(57)【要約】  メッセージ伝送における干渉防止能力を改善するために、通信技術の分野に関係するメッセージ伝送の方法およびデバイスが開示されている。この方法は、基地局によって、第1の時間パラメータに従ってスクランブリングコードを生成するステップと、次いで、スクランブリングコードに従ってシステムメッセージをスクランブルするステップと、最後に、スクランブルされたシステムメッセージを物理ブロードキャストチャネル上で端末に送信するステップとを含む。この技術的解決方法において、第1の時間パラメータは、少なくとも2つの異なる時点で異なる値を有するので、少なくとも2つの対応する異なる時点において決定されたスクランブリングコードは異なる。したがって、基地局が同じスクランブリングコードを使用して一定の時間周期内に繰り返し同じシステムメッセージをスクランブルする可能性が低減され、それにより、システムメッセージ伝送における干渉防止能力が改善される。
2020507954.tif 000002
【特許請求の範囲】
【請求項１】
メッセージ送信方法であって、
基地局によって、第1の時間パラメータに従ってスクランブリングコードを生成するステップと、
前記基地局によって、前記スクランブリングコードに従ってシステムメッセージをスクランブルするステップと、
前記基地局によって、前記スクランブルされたシステムメッセージを物理ブロードキャストチャネル上で端末に送信するステップと
を含むメッセージ送信方法。
【請求項２】
前記第1の時間パラメータは、無線フレーム番号、タイムスロット番号、ハイパーフレーム番号、およびシンボル番号のうちの少なくとも1つの関数である請求項1に記載の方法。
【請求項３】
前記第1の時間パラメータは、無線フレーム番号、タイムスロット番号、ハイパーフレーム番号、およびシンボル番号のうちの1つであるか、または
前記第1の時間パラメータは、第1の法による無線フレーム番号、タイムスロット番号、ハイパーフレーム番号、およびシンボル番号のうちの1つの剰余演算の結果得られる値であり、前記第1の法は、正整数である請求項1または2に記載の方法。
【請求項４】
nが3に等しくない正整数である場合に前記第1の法は2nであるか、または前記第1の法は8であるか、または前記第1の法は素数である請求項3に記載の方法。
【請求項５】
基地局によって、第1の時間パラメータに従って前記スクランブリングコードを生成する前記ステップは、
前記基地局によって、前記第1の時間パラメータおよび第1の変数グループに従ってスクランブリングコード初期化シードを生成するステップであって、前記第1の変数グループはセルID、無線ネットワーク一時識別子RNTI、およびキャリア識別子のうちの少なくとも1つを含む、ステップと、
前記基地局によって、前記スクランブリングコード初期化シードに従って前記スクランブリングコードを生成するステップと
を含む請求項1から4のいずれか一項に記載の方法。
【請求項６】
基地局によって、第1の時間パラメータに基づきスクランブリングコードを生成する前記ステップは、
前記基地局によって、前記第1の時間パラメータに基づきスクランブリングコード初期化シードを生成するステップと、
前記基地局によって、前記スクランブリングコード初期化シードに基づき前記スクランブリングコードを生成するステップと
を含む請求項1から4のいずれか一項に記載の方法。
【請求項７】
前記第1の時間パラメータは、無線フレーム番号nfであり、前記初期化スクランブリングコードシードcinitは、式cinit=nfを満たすか、または
前記第1の時間パラメータは、前記第1の法kによる前記無線フレーム番号nfの剰余演算の結果得られる値であり、前記初期化スクランブリングコードシードcinitは、式cinit=nf mod kを満たし、k=8であるか、kは素数であるか、もしくはkは8でも素数でもない正整数であり、または
前記第1の時間パラメータは、前記無線フレーム番号nfであり、前記第1の変数グループは、前記セルID
【数１】
2020507954.tif 000344
を含み、前記初期化スクランブリングコードシードcinitは、式
【数２】
2020507954.tif 000345
もしくは
【数３】
2020507954.tif 000346
を満たし、ただし、a1はcinitにおいて、
【数４】
2020507954.tif 000347
によって占有されるビットの数であり、b1はcinitにおいてnfによって占有されるビットの数であり、または
前記第1の時間パラメータは、前記第1の法kによる前記無線フレーム番号nfの剰余演算の結果得られる値であり、前記第1の変数グループは、前記セルID
【数５】
2020507954.tif 000348
を含み、前記初期化スクランブリングコードシードcinitは、式
【数６】
2020507954.tif 000349
もしくは
【数７】
2020507954.tif 000350
を満たし、ただし、k=8であるか、kは素数であるか、もしくはkは8でも素数でもない正整数であり、a2はcinitにおいて、
【数８】
2020507954.tif 000351
によって占有されるビットの数であり、b2はcinitにおいて(nf mod k)によって占有されるビットの数であり、または
前記第1の時間パラメータは、前記第1の法kによる前記無線フレーム番号nf(もしくは前記無線フレーム番号+ある整数)の剰余演算の結果得られる値であり、前記第1の変数グループは、前記セルID
【数９】
2020507954.tif 000352
を含み、前記初期化スクランブリングコードシードcinitは、式
【数１０】
2020507954.tif 000353
もしくは
【数１１】
2020507954.tif 000354
を満たし、ただし、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、Pは前記セルIDおよび/もしくは前記無線フレーム番号の関数であり、たとえば、前記セルID
【数１２】
2020507954.tif 000355
に等しいか、もしくは
【数１３】
2020507954.tif 000356
に等しく、ただし、vは正整数であり、Qは前記セルIDの関数であり、たとえば、前記セルIDに等しいか、もしくは0に等しく(前記公式の中にパラメータQがないことを意味する)、a3は非負整数であり、たとえば、a3はcinitにおいてQにより占有されるビットの数に等しく、b3は非負整数であり、たとえば、b3はcinitにおいて[(nf+h) mod k)+w]u・Pにより占有されるビットの数に等しい請求項1から6のいずれか一項に記載の方法。
【請求項８】
メッセージ受信方法であって、
端末によって、第1の時間パラメータを決定するステップと、
前記端末によって、スクランブルされたシステムメッセージを物理ブロードキャストチャネル上で受信するステップと、
前記端末によって、前記第1の時間パラメータに従ってスクランブリングコードを生成するステップと、
前記端末によって、前記スクランブリングコードに従って前記受信されたスクランブルされたシステムメッセージを逆スクランブルするステップと
を含むメッセージ受信方法。
【請求項９】
前記端末によって、前記第1の時間パラメータに基づきスクランブリングコードを生成する前記ステップは、
前記端末によって、前記第1の時間パラメータに基づきスクランブリングコード初期化シードを生成するステップであって、前記第1の時間パラメータは、無線フレーム番号、タイムスロット番号、ハイパーフレーム番号、およびシンボル番号のうちの少なくとも1つの関数である、ステップと、
前記端末によって、前記スクランブリングコード初期化シードに基づき前記スクランブリングコードを生成するステップと
を含む請求項8に記載の方法。
【請求項１０】
前記端末によって、前記第1の時間パラメータに従って前記スクランブリングコードを生成する前記ステップは、
前記端末によって、前記第1の時間パラメータおよび第1の変数グループに従ってスクランブリングコード初期化シードを生成するステップであって、前記第1の時間パラメータは、無線フレーム番号、タイムスロット番号、ハイパーフレーム番号、およびシンボル番号のうちの少なくとも1つの関数であり、前記第1の変数グループはセルID、無線ネットワーク一時識別子RNTI、およびキャリア識別子のうちの少なくとも1つを含む、ステップと、
前記端末によって、前記スクランブリングコード初期化シードに従って前記スクランブリングコードを生成するステップと
を含む請求項8に記載の方法。
【請求項１１】
前記第1の時間パラメータは、無線フレーム番号nfであり、前記初期化スクランブリングコードシードcinitは、式cinit=nfを満たすか、または
前記第1の時間パラメータは、第1の法kによる前記無線フレーム番号nfの剰余演算の結果得られる値であり、前記初期化スクランブリングコードシードcinitは、式cinit=nf mod kを満たし、ただし、k=8であるか、kは素数であるか、もしくはkは8でも素数でもない正整数であり、または
前記第1の時間パラメータは、前記無線フレーム番号nfであり、前記第1の変数グループは、前記セルID
【数１４】
2020507954.tif 000357
を含み、前記初期化スクランブリングコードシードcinitは、式
【数１５】
2020507954.tif 000358
もしくは
【数１６】
2020507954.tif 000359
を満たし、ただし、a1はcinitにおいて、
【数１７】
2020507954.tif 000360
によって占有されるビットの数であり、b1はcinitにおいてnfによって占有されるビットの数であり、または
前記第1の時間パラメータは、第1の法kによる前記無線フレーム番号nfの剰余演算の結果得られる値であり、前記第1の変数グループは、前記セルID
【数１８】
2020507954.tif 000361
を含み、前記初期化スクランブリングコードシードcinitは、式
【数１９】
2020507954.tif 000362
もしくは
【数２０】
2020507954.tif 000363
を満たし、ただし、k=8であるか、kは素数であるか、もしくはkは8でも素数でもない正整数であり、a2はcinitにおいて、
【数２１】
2020507954.tif 000364
によって占有されるビットの数であり、b2はcinitにおいて(nf mod k)によって占有されるビットの数であり、または
前記第1の時間パラメータは、第1の法kによる前記無線フレーム番号nf(もしくは前記無線フレーム番号+ある整数)の剰余演算の結果得られる値であり、前記第1の変数グループは、前記セルID
【数２２】
2020507954.tif 000365
を含み、前記初期化スクランブリングコードシードcinitは、式
【数２３】
2020507954.tif 000366
もしくは
【数２４】
2020507954.tif 000367
を満たし、ただし、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、Pは前記セルIDおよび/もしくは前記無線フレーム番号の関数であり、たとえば、前記セルID
【数２５】
2020507954.tif 000368
に等しいか、もしくは
【数２６】
2020507954.tif 000369
に等しく、ただし、vは正整数であり、Qは前記セルIDの関数であり、たとえば、前記セルIDに等しいか、もしくは0に等しく(前記公式の中にパラメータQがないことを意味する)、a3は非負整数であり、たとえば、cinitにおいてQにより占有されるビットの数に等しく、b3は非負整数であり、たとえば、cinitにおいて[(nf+h) mod k)+w]u・Pにより占有されるビットの数に等しい請求項9または10に記載の方法。
【請求項１２】
メッセージ送信方法であって、
基地局によって、第1のパラメータに従ってスクランブリングコードを生成するステップであって、前記第1のパラメータは、無線フレーム番号、もしくは第1の法による前記無線フレーム番号の剰余演算の結果得られる値を含み、前記第1の法は、3以上の正整数である、ステップと、
前記基地局によって、前記スクランブリングコードに従って第1のメッセージをスクランブルするステップと、
前記基地局によって、前記スクランブルされた第1のメッセージを第1のチャネル上で端末に送信するステップと
を含むメッセージ送信方法。
【請求項１３】
前記第1のメッセージはシステムメッセージであるか、または前記第1のメッセージはシステムメッセージの一部であるか、または前記第1のメッセージは符号化されたシステムメッセージであるか、または前記第1のメッセージは符号化されたシステムメッセージの一部であり、前記第1のチャネルは物理ダウンリンク共有チャネルまたは物理ブロードキャストチャネルである請求項12に記載の方法。
【請求項１４】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項12または13に記載の方法。
【請求項１５】
nが1より大きい正整数である場合に前記第1の法は2nであるか、または前記第1の法は、3以上の素数である請求項12から14のいずれか一項に記載の方法。
【請求項１６】
基地局によって、前記第1のパラメータに従ってスクランブリングコードを生成する前記ステップは、
前記基地局によって、前記第1のパラメータに従ってスクランブリングコード初期化シードを生成するステップと、
前記基地局によって、前記スクランブリングコード初期化シードに従って前記スクランブリングコードを生成するステップと
を含む請求項12から14のいずれか一項に記載の方法。
【請求項１７】
前記第1のパラメータは、前記第1の法kによる前記無線フレーム番号nfの剰余演算の結果得られる前記値と、前記無線ネットワーク一時識別子nRNTIと、前記タイムスロット番号nsと、前記セルID
【数２７】
2020507954.tif 000370
とを含み、前記スクランブリングコード初期化シードcinitは、式
【数２８】
2020507954.tif 000371
を満たし、ただし、a1はcinitにおいて(nf mod k)、
【数２９】
2020507954.tif 000372
、および
【数３０】
2020507954.tif 000373
によって占有されるビットの数の総和であり、b1はcinitにおいて、
【数３１】
2020507954.tif 000374
および
【数３２】
2020507954.tif 000375
によって占有されるビットの数の総和であり、c1はcinitにおいて、
【数３３】
2020507954.tif 000376
によって占有されるビットの数であり、または
前記第1のパラメータは、前記無線フレーム番号nfと、前記タイムスロット番号nsと、前記セルID
【数３４】
2020507954.tif 000377
とを含み、前記スクランブリングコード初期化シードcinitは、式
【数３５】
2020507954.tif 000378
を満たし、ただし、b2はcinitにおいて
【数３６】
2020507954.tif 000379
および
【数３７】
2020507954.tif 000380
によって占有されるビットの数の総和であり、c2はcinitにおいて、
【数３８】
2020507954.tif 000381
によって占有されるビットの数であり、または
前記第1のパラメータは、前記第1の法kによる前記無線フレーム番号nfの剰余演算の結果得られる前記値と、前記タイムスロット番号nsと、前記セルID
【数３９】
2020507954.tif 000382
とを含み、前記スクランブリングコード初期化シードcinitは、式
【数４０】
2020507954.tif 000383
を満たし、ただし、b3はcinitにおいて
【数４１】
2020507954.tif 000384
および
【数４２】
2020507954.tif 000385
によって占有されるビットの数の総和であり、c3はcinitにおいて、
【数４３】
2020507954.tif 000386
によって占有されるビットの数であり、または
前記第1のパラメータは、前記無線ネットワーク一時識別子nRNTIと、前記第1の法kによる前記無線フレーム番号nfの剰余演算の結果得られる前記値と、前記セルID
【数４４】
2020507954.tif 000387
とを含み、前記スクランブリングコード初期化シードcinitは、式
【数４５】
2020507954.tif 000388
を満たし、ただし、a4はcinitにおいて(nf mod k)および
【数４６】
2020507954.tif 000389
によって占有されるビットの数の総和であり、b4はcinitにおいて、
【数４７】
2020507954.tif 000390
によって占有されるビットの数であり、または
前記第1のパラメータは、前記セルID
【数４８】
2020507954.tif 000391
と、前記第1の法kによる前記無線フレーム番号nfの剰余演算の結果得られる前記値とを含み、前記スクランブリングコード初期化シードcinitは、式
【数４９】
2020507954.tif 000392
を満たし、ただし、b5はcinitにおいて、
【数５０】
2020507954.tif 000393
によって占有されるビットの数であり、または
前記第1のパラメータは、前記無線フレーム番号nfと、前記セルID
【数５１】
2020507954.tif 000394
とを含み、前記スクランブリングコード初期化シードcinitは、式
【数５２】
2020507954.tif 000395
を満たし、ただし、b6はcinitにおいて、
【数５３】
2020507954.tif 000396
によって占有されるビットの数であり、または
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数５４】
2020507954.tif 000397
のうちの少なくとも1つを含み、前記初期化スクランブリングコードシードcinitは、式
【数５５】
2020507954.tif 000398
を満たし、ただし、Rは前記無線ネットワーク一時識別子の関数であり、たとえば、前記無線ネットワーク一時識別子nRNTIに等しいか、もしくは0に等しく(前記公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、Pは前記セルIDおよび/もしくは前記無線フレーム番号の関数であり、たとえば、前記セルID
【数５６】
2020507954.tif 000399
に等しいか、もしくは
【数５７】
2020507954.tif 000400
に等しく、ただし、vは正整数であり、Hは前記タイムスロット番号の関数であり、たとえば、前記タイムスロット番号nsに等しいか、もしくは0に等しく(前記公式の中にパラメータHがないことを意味する)、Qは前記セルIDの関数であり、たとえば、前記セルIDに等しいか、もしくは0に等しく(前記公式の中にパラメータQがないことを意味する)、a7は非負整数であり、たとえば、a7はcinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しい請求項16に記載の方法。
【請求項１８】
メッセージ受信方法であって、
端末によって、第1のパラメータを決定するステップであって、前記第1のパラメータは、無線フレーム番号、もしくは第1の法による前記無線フレーム番号の剰余演算の結果得られる値を含み、前記第1の法は、3以上の正整数である、ステップと、
前記端末によって、スクランブルされた第1のメッセージを第1のチャネル上で受信するステップと、
前記端末によって、前記第1のパラメータに従ってスクランブリングコードを生成するステップと、
前記端末によって、前記スクランブリングコードに従って前記受信されたスクランブルされた第1のメッセージを逆スクランブルするステップと
を含むメッセージ受信方法。
【請求項１９】
nが1より大きい正整数である場合に前記第1の法は2nであるか、または前記第1の法は、3以上の素数である請求項18に記載の方法。
【請求項２０】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項18または19に記載の方法。
【請求項２１】
前記端末によって、前記第1のパラメータに従ってスクランブリングコードを生成する前記ステップは、
前記端末によって、前記第1のパラメータに従ってスクランブリングコード初期化シードを生成するステップと、
前記端末によって、前記スクランブリングコード初期化シードに従って前記スクランブリングコードを生成するステップと
を含む請求項18から20のいずれか一項に記載の方法。
【請求項２２】
前記第1のパラメータは、前記第1の法kによる前記無線フレーム番号nfの剰余演算の結果得られる前記値と、前記無線ネットワーク一時識別子nRNTIと、前記タイムスロット番号nsと、前記セルID
【数５８】
2020507954.tif 000401
とを含み、前記スクランブリングコード初期化シードcinitは、式
【数５９】
2020507954.tif 000402
を満たし、ただし、a1はcinitにおいて(nf mod k)、
【数６０】
2020507954.tif 000403
、および
【数６１】
2020507954.tif 000404
によって占有されるビットの数の総和であり、b1はcinitにおいて、
【数６２】
2020507954.tif 000405
および
【数６３】
2020507954.tif 000406
によって占有されるビットの数の総和であり、c1はcinitにおいて、
【数６４】
2020507954.tif 000407
によって占有されるビットの数であり、または
前記第1のパラメータは、前記無線フレーム番号nfと、前記タイムスロット番号nsと、前記セルID
【数６５】
2020507954.tif 000408
とを含み、前記スクランブリングコード初期化シードcinitは、式
【数６６】
2020507954.tif 000409
を満たし、ただし、b2はcinitにおいて
【数６７】
2020507954.tif 000410
および
【数６８】
2020507954.tif 000411
によって占有されるビットの数の総和であり、c2はcinitにおいて、
【数６９】
2020507954.tif 000412
によって占有されるビットの数であり、または
前記第1のパラメータは、前記第1の法kによる前記無線フレーム番号nfの剰余演算の結果得られる前記値と、前記タイムスロット番号nsと、前記セルID
【数７０】
2020507954.tif 000413
とを含み、前記スクランブリングコード初期化シードcinitは、式
【数７１】
2020507954.tif 000414
を満たし、ただし、b3はcinitにおいて
【数７２】
2020507954.tif 000415
および
【数７３】
2020507954.tif 000416
によって占有されるビットの数の総和であり、c3はcinitにおいて、
【数７４】
2020507954.tif 000417
によって占有されるビットの数であり、または
前記第1のパラメータは、前記無線ネットワーク一時識別子nRNTIと、前記第1の法kによる前記無線フレーム番号nfの剰余演算の結果得られる前記値と、前記セルID
【数７５】
2020507954.tif 000418
とを含み、前記スクランブリングコード初期化シードcinitは、式
【数７６】
2020507954.tif 000419
を満たし、ただし、a4はcinitにおいて(nf mod k)および
【数７７】
2020507954.tif 000420
によって占有されるビットの数の総和であり、b4はcinitにおいて、
【数７８】
2020507954.tif 000421
によって占有されるビットの数であり、または
前記第1のパラメータは、前記セルID
【数７９】
2020507954.tif 000422
と、前記第1の法kによる前記無線フレーム番号nfの剰余演算の結果得られる前記値とを含み、前記スクランブリングコード初期化シードcinitは、式
【数８０】
2020507954.tif 000423
を満たし、ただし、b5はcinitにおいて、
【数８１】
2020507954.tif 000424
によって占有されるビットの数であり、または
前記第1のパラメータは、前記無線フレーム番号nfと、前記セルID
【数８２】
2020507954.tif 000425
とを含み、前記スクランブリングコード初期化シードcinitは、式
【数８３】
2020507954.tif 000426
を満たし、ただし、b6はcinitにおいて、
【数８４】
2020507954.tif 000427
によって占有されるビットの数であり、または
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数８５】
2020507954.tif 000428
のうちの少なくとも1つを含み、前記初期化スクランブリングコードシードcinitは、式
【数８６】
2020507954.tif 000429
を満たし、ただし、Rは前記無線ネットワーク一時識別子の関数であり、たとえば、前記無線ネットワーク一時識別子nRNTIに等しいか、もしくは0に等しく(前記公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、Pは前記セルIDおよび/もしくは前記無線フレーム番号の関数であり、たとえば、前記セルID
【数８７】
2020507954.tif 000430
に等しいか、もしくは
【数８８】
2020507954.tif 000431
に等しく、ただし、vは正整数であり、Hは前記タイムスロット番号の関数であり、たとえば、前記タイムスロット番号nsに等しいか、もしくは0に等しく(前記公式の中にパラメータHがないことを意味する)、Qは前記セルIDの関数であり、たとえば、前記セルIDに等しいか、もしくは0に等しく(前記公式の中にパラメータQがないことを意味する)、a7は非負整数であり、たとえば、a7はcinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しい請求項21に記載の方法。
【請求項２３】
基地局であって、
第1の時間パラメータに従ってスクランブリングコードを生成し、前記スクランブリングコードに従ってシステムメッセージをスクランブルするように構成されている処理モジュールと、
端末に物理ブロードキャストチャネル上で、前記処理モジュールによってスクランブルされた前記システムメッセージを送信するように構成されている送信モジュールと
を備える基地局。
【請求項２４】
前記第1の時間パラメータは、無線フレーム番号、タイムスロット番号、ハイパーフレーム番号、およびシンボル番号のうちの少なくとも1つの関数である請求項23に記載の基地局。
【請求項２５】
前記第1の時間パラメータは、無線フレーム番号、タイムスロット番号、ハイパーフレーム番号、およびシンボル番号のうちの少なくとも1つであるか、または
前記第1の時間パラメータは、第1の法による無線フレーム番号、タイムスロット番号、ハイパーフレーム番号、およびシンボル番号のうちの1つの剰余演算の結果得られる値であり、前記第1の法は、正整数である請求項23または24に記載の基地局。
【請求項２６】
nが3に等しくない正整数である場合に前記第1の法は2nであるか、または前記第1の法は8であるか、または前記第1の法は素数である請求項25に記載の基地局。
【請求項２７】
前記処理モジュールが前記第1の時間パラメータに従って前記スクランブリングコードを決定するように構成されることは、
前記第1の時間パラメータおよび第1の変数グループに従ってスクランブリングコード初期化シードを生成するように構成されることと、前記スクランブリングコード初期化シードに従って前記スクランブリングコードを決定することとを含み、前記第1の変数グループはセルID、無線ネットワーク一時識別子RNTI、およびキャリア識別子のうちの少なくとも1つを含む請求項23から26のいずれか一項に記載の基地局。
【請求項２８】
前記処理モジュールが前記第1の時間パラメータに基づき前記スクランブリングコードを生成することは、
前記第1の時間パラメータに基づきスクランブリングコード初期化シードを生成することと、前記スクランブリングコード初期化シードに基づき前記スクランブリングコードを決定することとを含む請求項23から27のいずれか一項に記載の基地局。
【請求項２９】
前記第1の時間パラメータは、前記無線フレーム番号nfであり、前記初期化スクランブリングコードシードcinitは、式cinit=nfを満たすか、または
前記第1の時間パラメータは、前記第1の法kによる前記無線フレーム番号nfの剰余演算の結果得られる値であり、前記初期化スクランブリングコードシードcinitは、式cinit=nf mod kを満たし、ただし、k=8であるか、kは素数であるか、もしくはkは8でも素数でもない正整数であり、または
前記第1の時間パラメータは、前記無線フレーム番号nfであり、前記第1の変数グループは、前記セルID
【数８９】
2020507954.tif 000432
を含み、前記初期化スクランブリングコードシードcinitは、式
【数９０】
2020507954.tif 000433
もしくは
【数９１】
2020507954.tif 000434
を満たし、ただし、a1はcinitにおいて、
【数９２】
2020507954.tif 000435
によって占有されるビットの数であり、b1はcinitにおいてnfによって占有されるビットの数であり、または
前記第1の時間パラメータは、前記第1の法kによる前記無線フレーム番号nfの剰余演算の結果得られる値であり、前記第1の変数グループは、前記セルID
【数９３】
2020507954.tif 000436
を含み、前記初期化スクランブリングコードシードcinitは、式
【数９４】
2020507954.tif 000437
もしくは
【数９５】
2020507954.tif 000438
を満たし、ただし、k=8であるか、kは素数であるか、もしくはkは8でも素数でもない正整数であり、a2はcinitにおいて、
【数９６】
2020507954.tif 000439
によって占有されるビットの数であり、b2はcinitにおいて(nf mod k)によって占有されるビットの数であり、または
前記第1の時間パラメータは、前記第1の法kによる前記無線フレーム番号nf(もしくは前記無線フレーム番号+ある整数)の剰余演算の結果得られる値であり、前記第1の変数グループは、前記セルID
【数９７】
2020507954.tif 000440
を含み、前記初期化スクランブリングコードシードcinitは、式
【数９８】
2020507954.tif 000441
もしくは
【数９９】
2020507954.tif 000442
を満たし、ただし、hは整数であり、たとえば、hは0もしくは1に等しく、k=8であるか、kは素数であるか、もしくはkは8でも素数でもない正整数であり、wは整数であり、たとえば、wは0もしくは1に等しく、uは非負整数、たとえば、0、1、2、もしくは3であり、Pは前記セルIDおよび/もしくは前記無線フレーム番号の関数であり、たとえば、前記セルID
【数１００】
2020507954.tif 000443
に等しいか、もしくは
【数１０１】
2020507954.tif 000444
に等しく、ただし、vは正整数であり、Qは前記セルIDの関数であり、たとえば、Qは前記セルIDに等しいか、もしくはQは0に等しく(前記公式の中にパラメータQがないことを意味する)、a3は非負整数であり、たとえば、a3はcinitにおいてQにより占有されるビットの数に等しく、b3は非負整数であり、たとえば、b3はcinitにおいて[(nf+h) mod k)+w]u・Pにより占有されるビットの数に等しい請求項27または28に記載の基地局。
【請求項３０】
端末であって、
第1の時間パラメータを決定するように構成されている処理モジュールと、
スクランブルされたシステムメッセージを物理ブロードキャストチャネル上で受信するように構成されている受信モジュールとを備え、
前記処理モジュールは、前記第1の時間パラメータに従ってスクランブリングコードを生成し、前記スクランブリングコードに従って、前記受信モジュールによって受信された前記スクランブルされたシステムメッセージを逆スクランブルするようにさらに構成される端末。
【請求項３１】
前記処理モジュールが前記第1の時間パラメータに基づき前記スクランブリングコードを生成することは、
前記第1の時間パラメータに基づきスクランブリングコード初期化シードを生成することと、前記スクランブリングコード初期化シードに基づき前記スクランブリングコードを生成することとを含み、前記第1の時間パラメータは、無線フレーム番号、タイムスロット番号、ハイパーフレーム番号、およびシンボル番号のうちの少なくとも1つの関数である請求項30に記載の端末。
【請求項３２】
前記処理モジュールが前記第1の時間パラメータに従って前記スクランブリングコードを生成するように構成されることは、
前記第1の時間パラメータおよび第1の変数グループに従ってスクランブリングコード初期化シードを生成するように構成されることと、前記スクランブリングコード初期化シードに従って前記スクランブリングコードを生成することとを含み、前記第1の時間パラメータは、無線フレーム番号、タイムスロット番号、ハイパーフレーム番号、およびシンボル番号のうちの少なくとも1つの関数であり、前記第1の変数グループはセルID、無線ネットワーク一時識別子RNTI、およびキャリア識別子のうちの少なくとも1つを含む請求項30に記載の端末。
【請求項３３】
前記第1の時間パラメータは、前記無線フレーム番号nfであり、前記初期化スクランブリングコードシードcinitは、式cinit=nfを満たすか、または
前記第1の時間パラメータは、第1の法kによる前記無線フレーム番号nfの剰余演算の結果得られる値であり、前記初期化スクランブリングコードシードcinitは、式cinit=nf mod kを満たし、k=8であるか、kは素数であるか、もしくはkは8でも素数でもない正整数であり、または
前記第1の時間パラメータは、前記無線フレーム番号nfであり、前記第1の変数グループは、前記セルID
【数１０２】
2020507954.tif 000445
を含み、前記初期化スクランブリングコードシードcinitは、式
【数１０３】
2020507954.tif 000446
もしくは
【数１０４】
2020507954.tif 000447
を満たし、ただし、a1はcinitにおいて、
【数１０５】
2020507954.tif 000448
によって占有されるビットの数であり、b1はcinitにおいてnfによって占有されるビットの数であり、または
前記第1の時間パラメータは、第1の法kによる前記無線フレーム番号nfの剰余演算の結果得られる値であり、前記第1の変数グループは、前記セルID
【数１０６】
2020507954.tif 000449
を含み、前記初期化スクランブリングコードシードcinitは、式
【数１０７】
2020507954.tif 000450
もしくは
【数１０８】
2020507954.tif 000451
を満たし、ただし、k=8であるか、kは素数であるか、もしくはkは8でも素数でもない正整数であり、a2はcinitにおいて、
【数１０９】
2020507954.tif 000452
によって占有されるビットの数であり、b2はcinitにおいて(nf mod k)によって占有されるビットの数であり、または
前記第1の時間パラメータは、第1の法kによる前記無線フレーム番号nf(もしくは前記無線フレーム番号+ある整数)の剰余演算の結果得られる値であり、前記第1の変数グループは、前記セルID
【数１１０】
2020507954.tif 000453
を含み、前記初期化スクランブリングコードシードcinitは、式
【数１１１】
2020507954.tif 000454
もしくは
【数１１２】
2020507954.tif 000455
を満たし、ただし、hは整数であり、たとえば、hは0もしくは1に等しく、k=8であるか、kは素数であるか、もしくはkは8でも素数でもない正整数であり、wは整数であり、たとえば、wは0もしくは1に等しく、uは非負整数、たとえば、0、1、2、もしくは3であり、Pは前記セルIDおよび/もしくは前記無線フレーム番号の関数であり、たとえば、前記セルID
【数１１３】
2020507954.tif 000456
に等しいか、もしくは
【数１１４】
2020507954.tif 000457
に等しく、ただし、vは正整数であり、Qは前記セルIDの関数であり、たとえば、Qは前記セルIDに等しいか、もしくはQは0に等しく(前記公式の中にパラメータQがないことを意味する)、a3は非負整数であり、たとえば、a3はcinitにおいてQにより占有されるビットの数に等しく、b3は非負整数であり、たとえば、b3はcinitにおいて[(nf+h) mod k)+w]u・Pにより占有されるビットの数に等しい請求項31または32に記載の端末。
【請求項３４】
基地局であって、
第1のパラメータに従ってスクランブリングコードを生成し、前記スクランブリングコードに従って第1のメッセージをスクランブルするように構成されている処理モジュールであって、前記第1のパラメータは、無線フレーム番号、もしくは第1の法による前記無線フレーム番号の剰余演算の結果得られる値を含み、前記第1の法は、3以上の正整数である、処理モジュールと、
端末に第1のチャネル上で、前記処理モジュールによってスクランブルされた前記第1のメッセージを送信するように構成されている送信モジュールと
を備える基地局。
【請求項３５】
前記第1のメッセージはシステムメッセージであるか、または前記第1のメッセージはシステムメッセージの一部であるか、または前記第1のメッセージは符号化されたシステムメッセージであるか、または前記第1のメッセージは符号化されたシステムメッセージの一部であり、前記第1のチャネルは物理ダウンリンク共有チャネルまたは物理ブロードキャストチャネルである請求項34に記載の基地局。
【請求項３６】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項34または35に記載の基地局。
【請求項３７】
nが1より大きい正整数である場合に前記第1の法は2nであるか、または前記第1の法は、3以上の素数である請求項34から36のいずれか一項に記載の基地局。
【請求項３８】
前記処理モジュールが前記第1のパラメータに従って前記スクランブリングコードを生成するように構成されることは、
前記第1のパラメータに従ってスクランブリングコード初期化シードを生成するように構成されることと、前記スクランブリングコード初期化シードに従って前記スクランブリングコードを決定することとを含む請求項34から37のいずれか一項に記載の基地局。
【請求項３９】
前記第1のパラメータは、前記第1の法kによる前記無線フレーム番号nfの剰余演算の結果得られる前記値と、前記無線ネットワーク一時識別子nRNTIと、前記タイムスロット番号nsと、前記セルID
【数１１５】
2020507954.tif 000458
とを含み、前記スクランブリングコード初期化シードcinitは、式
【数１１６】
2020507954.tif 000459
を満たし、ただし、a1はcinitにおいて(nf mod k)、
【数１１７】
2020507954.tif 000460
、および
【数１１８】
2020507954.tif 000461
によって占有されるビットの数の総和であり、b1はcinitにおいて、
【数１１９】
2020507954.tif 000462
および
【数１２０】
2020507954.tif 000463
によって占有されるビットの数の総和であり、c1はcinitにおいて、
【数１２１】
2020507954.tif 000464
によって占有されるビットの数であり、または
前記第1のパラメータは、前記無線フレーム番号nfと、前記タイムスロット番号nsと、前記セルID
【数１２２】
2020507954.tif 000465
とを含み、前記スクランブリングコード初期化シードcinitは、式
【数１２３】
2020507954.tif 000466
を満たし、ただし、b2はcinitにおいて
【数１２４】
2020507954.tif 000467
および
【数１２５】
2020507954.tif 000468
によって占有されるビットの数の総和であり、c2はcinitにおいて、
【数１２６】
2020507954.tif 000469
によって占有されるビットの数であり、または
前記第1のパラメータは、前記第1の法kによる前記無線フレーム番号nfの剰余演算の結果得られる前記値と、前記タイムスロット番号nsと、前記セルID
【数１２７】
2020507954.tif 000470
とを含み、前記スクランブリングコード初期化シードcinitは、式
【数１２８】
2020507954.tif 000471
を満たし、ただし、b3はcinitにおいて
【数１２９】
2020507954.tif 000472
および
【数１３０】
2020507954.tif 000473
によって占有されるビットの数の総和であり、c3はcinitにおいて、
【数１３１】
2020507954.tif 000474
によって占有されるビットの数であり、または
前記第1のパラメータは、前記無線ネットワーク一時識別子nRNTIと、前記第1の法kによる前記無線フレーム番号nfの剰余演算の結果得られる前記値と、前記セルID
【数１３２】
2020507954.tif 000475
とを含み、前記スクランブリングコード初期化シードcinitは、式
【数１３３】
2020507954.tif 000476
を満たし、ただし、a4はcinitにおいて(nf mod k)および
【数１３４】
2020507954.tif 000477
によって占有されるビットの数の総和であり、b4はcinitにおいて、
【数１３５】
2020507954.tif 000478
によって占有されるビットの数であり、または
前記第1のパラメータは、前記セルID
【数１３６】
2020507954.tif 000479
と、前記第1の法kによる前記無線フレーム番号nfの剰余演算の結果得られる前記値とを含み、前記スクランブリングコード初期化シードcinitは、式
【数１３７】
2020507954.tif 000480
を満たし、ただし、b5はcinitにおいて、
【数１３８】
2020507954.tif 000481
によって占有されるビットの数であり、または
前記第1のパラメータは、前記無線フレーム番号nfと、前記セルID
【数１３９】
2020507954.tif 000482
とを含み、前記スクランブリングコード初期化シードcinitは、式
【数１４０】
2020507954.tif 000483
を満たし、ただし、b6はcinitにおいて、
【数１４１】
2020507954.tif 000484
によって占有されるビットの数であり、または
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数１４２】
2020507954.tif 000485
のうちの少なくとも1つを含み、前記初期化スクランブリングコードシードcinitは、式
【数１４３】
2020507954.tif 000486
を満たし、ただし、Rは前記無線ネットワーク一時識別子の関数であり、たとえば、Rは前記無線ネットワーク一時識別子nRNTIに等しいか、もしくはRは0に等しく(前記公式の中にパラメータRがないことを意味する)、hは整数であり、たとえば、hは0もしくは1に等しく、k=8であるか、kは素数であるか、もしくはkは8でも素数でもない正整数であり、wは整数であり、たとえば、wは0もしくは1に等しく、uは非負整数、たとえば、0、1、2、もしくは3であり、Pは前記セルIDおよび/もしくは前記無線フレーム番号の関数であり、たとえば、前記セルID
【数１４４】
2020507954.tif 000487
に等しいか、もしくは
【数１４５】
2020507954.tif 000488
に等しく、ただし、vは正整数であり、Hは前記タイムスロット番号の関数であり、たとえば、前記タイムスロット番号nsに等しいか、もしくは0に等しく(前記公式の中にパラメータHがないことを意味する)、Qは前記セルIDの関数であり、たとえば、Qは前記セルIDに等しいか、もしくはQは0に等しく(前記公式の中にパラメータQがないことを意味する)、a7は非負整数であり、たとえば、a7はcinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しい請求項34から38のいずれか一項に記載の基地局。
【請求項４０】
端末であって、
第1のパラメータを決定するように構成されている処理モジュールであって、前記第1のパラメータは、無線フレーム番号、もしくは第1の法による前記無線フレーム番号の剰余演算の結果得られる値を含み、前記第1の法は、3以上の正整数である、処理モジュールと、
スクランブルされた第1のメッセージを第1のチャネル上で受信するように構成されている受信モジュールとを備え、
前記処理モジュールは、前記第1のパラメータに従ってスクランブリングコードを生成し、前記スクランブリングコードに従って、前記受信モジュールによって受信された前記スクランブルされた第1のメッセージを逆スクランブルするようにさらに構成される端末。
【請求項４１】
nが1より大きい正整数である場合に前記第1の法は2nであるか、または前記第1の法は、3以上の素数である請求項40に記載の端末。
【請求項４２】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項40または41に記載の端末。
【請求項４３】
前記処理モジュールが前記第1のパラメータに従って前記スクランブリングコードを生成するように構成されることは、
前記第1のパラメータに従ってスクランブリングコード初期化シードを生成するように構成されることと、前記スクランブリングコード初期化シードに従って前記スクランブリングコードを生成することとを含む請求項40から42のいずれか一項に記載の端末。
【請求項４４】
前記第1のパラメータは、前記第1の法kによる前記無線フレーム番号nfの剰余演算の結果得られる前記値と、前記無線ネットワーク一時識別子nRNTIと、前記タイムスロット番号nsと、前記セルID
【数１４６】
2020507954.tif 000489
とを含み、前記スクランブリングコード初期化シードcinitは、式
【数１４７】
2020507954.tif 000490
を満たし、ただし、a1はcinitにおいて(nf mod k)、
【数１４８】
2020507954.tif 000491
、および
【数１４９】
2020507954.tif 000492
によって占有されるビットの数の総和であり、b1はcinitにおいて、
【数１５０】
2020507954.tif 000493
および
【数１５１】
2020507954.tif 000494
によって占有されるビットの数の総和であり、c1はcinitにおいて、
【数１５２】
2020507954.tif 000495
によって占有されるビットの数であり、または
前記第1のパラメータは、前記無線フレーム番号nfと、前記タイムスロット番号nsと、前記セルID
【数１５３】
2020507954.tif 000496
とを含み、前記スクランブリングコード初期化シードcinitは、式
【数１５４】
2020507954.tif 000497
を満たし、ただし、b2はcinitにおいて
【数１５５】
2020507954.tif 000498
および
【数１５６】
2020507954.tif 000499
によって占有されるビットの数の総和であり、c2はcinitにおいて、
【数１５７】
2020507954.tif 000500
によって占有されるビットの数であり、または
前記第1のパラメータは、前記第1の法kによる前記無線フレーム番号nfの剰余演算の結果得られる前記値と、前記タイムスロット番号nsと、前記セルID
【数１５８】
2020507954.tif 000501
とを含み、前記スクランブリングコード初期化シードcinitは、式
【数１５９】
2020507954.tif 000502
を満たし、ただし、b3はcinitにおいて
【数１６０】
2020507954.tif 000503
および
【数１６１】
2020507954.tif 000504
によって占有されるビットの数の総和であり、c3はcinitにおいて、
【数１６２】
2020507954.tif 000505
によって占有されるビットの数であり、または
前記第1のパラメータは、前記無線ネットワーク一時識別子nRNTIと、前記第1の法kによる前記無線フレーム番号nfの剰余演算の結果得られる前記値と、前記セルID
【数１６３】
2020507954.tif 000506
とを含み、前記スクランブリングコード初期化シードcinitは、式
【数１６４】
2020507954.tif 000507
を満たし、ただし、a4はcinitにおいて(nf mod k)および
【数１６５】
2020507954.tif 000508
によって占有されるビットの数の総和であり、b4はcinitにおいて、
【数１６６】
2020507954.tif 000509
によって占有されるビットの数であり、または
前記第1のパラメータは、前記セルID
【数１６７】
2020507954.tif 000510
と、前記第1の法kによる前記無線フレーム番号nfの剰余演算の結果得られる前記値とを含み、前記スクランブリングコード初期化シードcinitは、式
【数１６８】
2020507954.tif 000511
を満たし、ただし、b5はcinitにおいて、
【数１６９】
2020507954.tif 000512
によって占有されるビットの数であり、または
前記第1のパラメータは、前記無線フレーム番号nfと、前記セルID
【数１７０】
2020507954.tif 000513
とを含み、前記スクランブリングコード初期化シードcinitは、式
【数１７１】
2020507954.tif 000514
を満たし、ただし、b6はcinitにおいて、
【数１７２】
2020507954.tif 000515
によって占有されるビットの数であり、または
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数１７３】
2020507954.tif 000516
のうちの少なくとも1つを含み、前記初期化スクランブリングコードシードcinitは、式
【数１７４】
2020507954.tif 000517
を満たし、ただし、Rは前記無線ネットワーク一時識別子の関数であり、たとえば、Rは前記無線ネットワーク一時識別子nRNTIに等しいか、もしくはRは0に等しく(前記公式の中にパラメータRがないことを意味する)、hは整数であり、たとえば、hは0もしくは1に等しく、k=8であるか、kは素数であるか、もしくはkは8でも素数でもない正整数であり、wは整数であり、たとえば、wは0もしくは1に等しく、uは非負整数、たとえば、0、1、2、もしくは3であり、Pは前記セルIDおよび/もしくは前記無線フレーム番号の関数であり、たとえば、前記セルID
【数１７５】
2020507954.tif 000518
に等しいか、もしくは
【数１７６】
2020507954.tif 000519
に等しく、ただし、vは正整数であり、Hは前記タイムスロット番号の関数であり、たとえば、前記タイムスロット番号nsに等しいか、もしくは0に等しく(前記公式の中にパラメータHがないことを意味する)、Qは前記セルIDの関数であり、たとえば、前記セルIDに等しいか、もしくは0に等しく(前記公式の中にパラメータQがないことを意味する)、a7は非負整数であり、たとえば、a7はcinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しい請求項43に記載の端末。
【発明の詳細な説明】
【技術分野】
【０００１】
本出願は、通信技術の分野に関し、詳細には、メッセージ伝送の方法およびデバイスに関する。
【背景技術】
【０００２】
現在、通常、基地局がMIB(Master Information Block、マスター情報ブロック)などの比較的重要なシステムメッセージに符号化およびスクランブリング処理を実行し、次いで、PBCH(Physical Broadcast Channel、物理ブロードキャストチャネル)上でシステムメッセージを伝送し、ブロードキャスト方式でシステムメッセージを伝送する。
【０００３】
干渉防止のために、異なるセル、セル内の異なる端末、または同様のものに対して異なるスクランブリングコード(scrambling code)が使用される必要がある。スクランブリングコードがスクランブリングコード初期化シードに従って基地局によって決定され、スクランブリングコード初期化シードは、セルIDに従って決定される。MIBが、一例として使用される。スクランブリングコード初期化シードcinitは、セルID
【数１】
2020507954.tif 000003
、および特に
【数２】
2020507954.tif 000004
に従って決定される。生成されたスクランブリングコードは、基地局のセルIDが異なるので異なるが、MIBは、端末によるMIBの受信成功率を高めるために従来技術(たとえば、NB-IoT(Narrow Band-Internet of Things、狭帯域IoT))では80ms以内に繰り返し伝送される。特に、MIBは、80ms以内に8回送信され、10ms毎に1回送信される。スクランブリングコードシード生成公式
【数３】
2020507954.tif 000005
から、MIBは同じスクランブリングコードを使用することによって80ms以内に伝送されることが分かりうる。基地局のスクランブリングメカニズムは同じであるので、同じ80msの時間周期内に、基地局1がそのMIBを、スクランブリングコード1を使用することによってスクランブルし、次いでMIBをブロードキャストし、基地局2がそのMIBを、スクランブリングコード2を使用することによってスクランブルし、次いで、MIBをブロードキャストすることが可能である。基地局1によって送信されるスクランブルされたMIBと基地局2によって送信されるスクランブルされたMIBとの間の干渉が相当あり、各繰り返しにおける基地局1のスクランブルされたMIBと基地局2のスクランブルされたMIBとの間の差は、次の繰り返しにおけるものと同じである。したがって、80ms以内に、基地局1のスクランブルされたMIBを10msおきに受信し、次いで、基地局1のスクランブルされたMIBの各繰り返しに逆スクランブリングおよび同相組み合わせを実行したときに、基地局1の端末は、また、基地局2のスクランブルされたMIB(干渉としてみなされてもよい)上で同相組み合わせを実行する。それ故に、干渉電力が増大し、端末によるMIB受信のパフォーマンスに影響を及ぼす。基地局1および基地局2は、前述の説明において一例として使用されている。同じ基地局の異なるセル間にも同じ問題が存在する。
【０００４】
それに加えて、NB-IoTシステムは、一例として使用されている。基地局が、物理ダウンリンク共有チャネル上でSIB(System Information Block、システム情報ブロック)1を伝送する。通常、基地局は、SIB1を送信する前にSIB1上で符号化およびスクランブリング処理を実行する必要がある。しかしながら、従来技術では、SIB1をスクランブルするときに、基地局は、最初に、スクランブリングコード初期化シードcinitを生成し、次いで、スクランブリングコード初期化シードcinitに従ってスクランブリングコードを生成する。特に、SIB1については、スクランブリングコード初期化シードは
【数４】
2020507954.tif 000006
であり、
【数５】
2020507954.tif 000007
はセルIDであり、セルIDはSIB1の伝送中に変化せず、nfは無線フレーム番号であり、無線フレーム番号は時間とともに変化するが、(nf mod 2)は、SIB1を搬送する無線フレームは偶数個の無線フレーム番号で分離されるので変化しないままであり、nRNTIはSI-RNTI(System Information Radio Network Temporary Identifier、システムメッセージブロードキャストネットワーク一時識別子)であり、一定の値であり、nsはタイムスロット番号であり、タイムスロット番号も、SIB1が固定されたサブフレームで常に送信されるので固定される。したがって、MIBと同様に、基地局が同じスクランブリングメカニズムを使用することによってSIB1をスクランブルするときに、SIB1の伝送中の干渉が増加し、端末によるSIB1受信のパフォーマンスに影響を及ぼす。
【発明の概要】
【課題を解決するための手段】
【０００５】
本出願の実施形態は、メッセージ伝送における干渉防止能力を改善するためのメッセージ伝送の方法およびデバイスを提供する。
【０００６】
第1の態様によれば、
基地局によって、第1の時間パラメータに従ってスクランブリングコードを生成するステップと、次いで、スクランブリングコードに従ってシステムメッセージをスクランブルするステップと、最後に、スクランブルされたシステムメッセージを物理ブロードキャストチャネル上で端末に送信するステップとを含むメッセージ送信方法が提供される。
【０００７】
なお、第1の時間パラメータは、本出願のこの実施形態において少なくとも2つの異なる時点で異なる値を有する。
【０００８】
第1の時間パラメータは、少なくとも2つの異なる時点で異なる値を有するので、少なくとも2つの対応する異なる時点において決定されたスクランブリングコードは異なる。したがって、基地局が同じスクランブリングコードを使用して一定の時間周期内に繰り返し同じシステムメッセージをスクランブルする可能性が低減され、それにより、システムメッセージ伝送における干渉防止能力が改善される。
【０００９】
第1の態様に基づき、可能な実装形態において、第1の時間パラメータは、無線フレーム番号、タイムスロット番号、ハイパーフレーム番号、およびシンボル番号のうちの少なくとも1つの関数である。
【００１０】
たとえば、第1のパラメータは、無線フレーム番号の関数である。無線フレーム番号は、システムメッセージを送信するための開始位置が配置される無線フレーム番号である。タイムスロット番号、ハイパーフレーム番号、およびシンボル番号の場合はこれに類似している。
【００１１】
システムメッセージの無線フレーム番号、タイムスロット番号、ハイパーフレーム番号、またはシンボル番号は、時間とともに変化し、第1の時間パラメータは、無線フレーム番号、タイムスロット番号、ハイパーフレーム番号、およびシンボル番号のうちの少なくとも1つの関数であるので、第1の時間パラメータは、時間とともに変化する物理的量でもある。したがって、第1の時間パラメータに従って決定されたスクランブリングコードも、時間とともに変化する。
【００１２】
第1の態様に基づき、可能な実装形態において、第1の時間パラメータは、無線フレーム番号、タイムスロット番号、ハイパーフレーム番号、およびシンボル番号のうちのいずれか1つであるか、または
第1の時間パラメータは、第1の法による無線フレーム番号、タイムスロット番号、ハイパーフレーム番号、およびシンボル番号のうちのいずれか1つの剰余演算の結果得られる値であり、第1の法は、正整数である。
【００１３】
そうする利点は、端末によるシステムメッセージ検出の複雑度が減ることにある。端末は、スクランブルされたシステムメッセージを検出するときに無線フレーム番号に関するすべての情報を知っているわけではないので、端末は、ブラインド検出を実行する必要がある。
【００１４】
たとえば、システムメッセージがMIBである場合、NB-IoTにおいて、端末は、同期化メッセージを使用することによって、8を法とする無線フレーム番号の剰余演算の結果得られる値を知ってもよく、MIBの最小繰り返し周期は無線フレーム8個分である。したがって、第1の法が8であるときに、端末が無線フレーム番号に対してさらに多くのブラインド検出演算を実行することを防止されてもよく、良好な干渉防止利得が達成されうる。したがって、NT-IoTでは、第1の法は、システムメッセージがMIBであるときに8に設定されてもよい。
【００１５】
第1の態様に基づき、可能な実装形態において、nが3に等しくない正整数である場合に第1の法は2nであるか、または第1の法は8であるか、または第1の法は素数である。
【００１６】
第1の法が素数であるときに、素数の特徴を使用することによってシステムメッセージを送信する際のより良い干渉防止能力が達成されうる。
【００１７】
第1の態様に基づき、基地局が第1の時間パラメータに従ってスクランブリングコードを生成する可能な実装形態は、
基地局は、第1の時間パラメータおよび第1の変数グループに従ってスクランブリングコード初期化シードを生成し、ただし、第1の変数グループはセルID、RNTI、およびキャリア識別子のうちの少なくとも1つを含み、次いで、スクランブリングコード初期化シードに従ってスクランブリングコードを生成する。
【００１８】
第1の態様に基づき、基地局が第1の時間パラメータに従ってスクランブリングコードを生成する別の可能な実装形態は、
基地局は、第1の時間パラメータに従ってスクランブリングコード初期化シードを生成し、次いで、スクランブリングコード初期化シードに従ってスクランブリングコードを生成する。
【００１９】
第1の態様に基づき、本出願の実施形態は、基地局が第1の時間パラメータに従ってスクランブリングコード初期化シードを生成するいくつかの可能な実装形態をさらに提供する。
【００２０】
第1の時間パラメータは、無線フレーム番号nfであり、初期化スクランブリングコードシードcinitは、式cinit=nfを満たし、または
第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数であり、または
第1の時間パラメータは、無線フレーム番号nfであり、第1の変数グループは、セルID
【数６】
2020507954.tif 000008
を含み、初期化スクランブリングコードシードcinitは、式
【数７】
2020507954.tif 000009
もしくは
【数８】
2020507954.tif 000010
を満たし、ただし、a1はcinitにおいて
【数９】
2020507954.tif 000011
により占有されるビットの数であり、b1はcinitにおいてnfにより占有されるビットの数であり、または
第1の時間パラメータは、第1の法kによる無線フレーム番号nfの剰余演算の結果得られる値であり、第1の変数グループは、セルID
【数１０】
2020507954.tif 000012
を含み、初期化スクランブリングコードシードcinitは、式
【数１１】
2020507954.tif 000013
もしくは
【数１２】
2020507954.tif 000014
を満たし、ただし、k=8であるか、kは素数であるか、もしくはkは8でも素数でもない正整数であり、a2はcinitにおいて
【数１３】
2020507954.tif 000015
により占有されるビットの数であり、b2はcinitにおいて(nf mod k)により占有されるビットの数であり、または
第1の時間パラメータは、第1の法kによる無線フレーム番号nf(もしくは無線フレーム番号+ある整数)の剰余演算の結果得られる値であり、第1の変数グループは、セルID
【数１４】
2020507954.tif 000016
を含み、初期化スクランブリングコードシードcinitは、式
【数１５】
2020507954.tif 000017
もしくは
【数１６】
2020507954.tif 000018
を満たし、ただし、hは整数であり、たとえば、hは0もしくは1に等しく、k=8であるか、kは素数であるか、もしくはkは8でも素数でもない正整数であり、wは整数であり、たとえば、wは0もしくは1に等しく、uは非負整数であり、たとえば、uは0、1、2、もしくは3であってもよく、PはセルIDおよび/もしくは無線フレーム番号の関数であり、たとえば、PはセルID
【数１７】
2020507954.tif 000019
に等しいか、もしくはPは
【数１８】
2020507954.tif 000020
に等しいか、もしくはPは
【数１９】
2020507954.tif 000021
に等しく、ただし、vは正整数であり、QはセルIDの関数であり、たとえば、セルIDに等しいか、もしくは0に等しく(公式の中にパラメータQがないことを意味する)、a3は非負整数であり、たとえば、a3はcinitにおいてQにより占有されるビットの数に等しく、b3は非負整数であり、たとえば、b3はcinitにおいて[(nf+h) mod k)+w]u・Pにより占有されるビットの数に等しい。
【００２１】
第1の態様に基づき、可能な実装形態において、スクランブリングは、ビットレベルスクランブリングであってもよい。たとえば、mod-2加算は、スクランブリングコードおよびスクランブルされるべき情報に対して実行されてもよい。スクランブルされるべき情報は、システムメッセージもしくはシステムメッセージの一部であってもよく、または符号化されたシステムメッセージもしくは符号化されたシステムメッセージの一部であってもよい。
【００２２】
第1の態様に基づき、別の可能な実装形態において、スクランブリングは、シンボルレベルスクランブリングであってもよい。たとえば、基地局は、最初に、スクランブリングコードをビット形式からシンボル形式にマッピングしてもよい。マッピング方法は限定されない。たとえば、BPSKもしくはQPSK変調または別の類似のマッピング方法が実行されてもよい。次いで、基地局は、点毎の積演算、点毎の共役積演算、または同様のものをシンボル形式のスクランブリングコードと、スクランブルされるべき情報とに実行する。スクランブルされるべき情報は、符号変調後に得られるシステムメッセージまたは符号変調後に得られるシステムメッセージの一部であってもよい。
【００２３】
第2の態様によれば、
端末によって、第1の時間パラメータを決定するステップと、スクランブルされたシステムメッセージを物理ブロードキャストチャネル上で受信するステップと、第1の時間パラメータに従ってスクランブリングコードを生成するステップと、最後に、端末によって、スクランブリングコードに従って受信されたスクランブルされたシステムメッセージを逆スクランブルするステップとを含むメッセージ受信方法が提供される。
【００２４】
第1の時間パラメータは、本出願のこの実施形態において少なくとも2つの異なる時点に異なる値を有するので、少なくとも2つの対応する異なる時点においてスクランブルされ、端末によって受信されるシステムメッセージに使用されるスクランブリングコードは異なっていてもよく、それにより端末によるシステムメッセージの受信のパフォーマンスが改善される。
【００２５】
第2の態様に基づき、可能な実装形態において、第1の時間パラメータは、無線フレーム番号、タイムスロット番号、ハイパーフレーム番号、およびシンボル番号のうちの少なくとも1つの関数である。
【００２６】
たとえば、第1の時間パラメータは、無線フレーム番号の関数である。無線フレーム番号は、システムメッセージを送信するための開始位置が配置される無線フレーム番号である。タイムスロット番号、ハイパーフレーム番号、およびシンボル番号の場合はこれに類似している。
【００２７】
無線フレーム番号、タイムスロット番号、ハイパーフレーム番号、またはシンボル番号は、時間とともに変化し、第1の時間パラメータは、無線フレーム番号、タイムスロット番号、ハイパーフレーム番号、およびシンボル番号のうちの少なくとも1つの関数であるので、第1の時間パラメータは、時間とともに変化する物理的量でもある。したがって、第1の時間パラメータに従って決定されたスクランブリングコードも、時間とともに変化する。
【００２８】
第2の態様に基づき、可能な実装形態において、第1の時間パラメータは、無線フレーム番号、タイムスロット番号、ハイパーフレーム番号、およびシンボル番号のうちのいずれか1つであるか、または
第1の時間パラメータは、第1の法による無線フレーム番号、タイムスロット番号、ハイパーフレーム番号、およびシンボル番号のうちのいずれか1つの剰余演算の結果の値であり、第1の法は、正整数である。
【００２９】
そうする利点は、端末によるシステムメッセージ検出の複雑度が減ることにある。端末は、スクランブルされたシステムメッセージを検出するときに無線フレーム番号に関するすべての情報を知っているわけではないので、端末は、ブラインド検出を実行する必要がある。
【００３０】
たとえば、システムメッセージがMIBである場合、NB-IoTにおいて、端末は、同期化メッセージを使用することによって、8を法とする無線フレーム番号の剰余演算の結果の値を知ってもよく、MIBの最小繰り返し周期は無線フレーム8個分である。したがって、第1の法が8であるときに、端末が無線フレーム番号に対してさらに多くのブラインド検出演算を実行することを防止されてもよく、良好な干渉防止利得が達成されうる。したがって、NT-IoTでは、第1の法は、システムメッセージがMIBであるときに8に設定されてもよい。
【００３１】
第2の態様に基づき、可能な実装形態において、nが3に等しくない正整数である場合に第1の法は2nであるか、または第1の法は8であるか、または第1の法は素数である。
【００３２】
第1の法が素数であるときに、素数の特徴を使用することによってシステムメッセージを送信する際のより良い干渉防止能力が達成されうる。
【００３３】
第2の態様に基づき、端末が第1の時間パラメータに従ってスクランブリングコードを生成する可能な実装形態は、
端末は、第1の時間パラメータおよび第1の変数グループに従ってスクランブリングコード初期化シードを生成し、ただし、第1の変数グループはセルID、RNTI、およびキャリア識別子のうちの少なくとも1つを含み、次いで、スクランブリングコード初期化シードに従ってスクランブリングコードを生成する。
【００３４】
第2の態様に基づき、端末が第1の時間パラメータに従ってスクランブリングコードを生成する別の可能な実装形態は、
端末は、第1の時間パラメータに従ってスクランブリングコード初期化シードを生成し、次いで、スクランブリングコード初期化シードに従ってスクランブリングコードを生成する。
【００３５】
第2の態様に基づき、本出願の実施形態は、端末が第1の時間パラメータに従ってスクランブリングコード初期化シードを生成するいくつかの可能な実装形態をさらに提供する。
【００３６】
第1の時間パラメータは、無線フレーム番号nfであり、初期化スクランブリングコードシードcinitは、式cinit=nfを満たし、または
第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数であり、または
第1の時間パラメータは、無線フレーム番号nfであり、第1の変数グループは、セルID
【数２０】
2020507954.tif 000022
を含み、初期化スクランブリングコードシードcinitは、式
【数２１】
2020507954.tif 000023
もしくは
【数２２】
2020507954.tif 000024
を満たし、ただし、a1はcinitにおいて
【数２３】
2020507954.tif 000025
により占有されるビットの数であり、b1はcinitにおいてnfにより占有されるビットの数であり、または
第1の時間パラメータは、第1の法kによる無線フレーム番号nfの剰余演算の結果得られる値であり、第1の変数グループは、セルID
【数２４】
2020507954.tif 000026
を含み、初期化スクランブリングコードシードcinitは、式
【数２５】
2020507954.tif 000027
もしくは
【数２６】
2020507954.tif 000028
を満たし、ただし、k=8であるか、kは素数であるか、もしくはkは8でも素数でもない正整数であり、a2はcinitにおいて
【数２７】
2020507954.tif 000029
により占有されるビットの数であり、b2はcinitにおいて(nf mod k)により占有されるビットの数であり、または
第1の時間パラメータは、第1の法kによる無線フレーム番号nf(もしくは無線フレーム番号+ある整数)の剰余演算の結果得られる値であり、第1の変数グループは、セルID
【数２８】
2020507954.tif 000030
を含み、初期化スクランブリングコードシードcinitは、式
【数２９】
2020507954.tif 000031
もしくは
【数３０】
2020507954.tif 000032
を満たし、ただし、hは整数であり、たとえば、hは0もしくは1に等しく、k=8であるか、kは素数であるか、もしくはkは8でも素数でもない正整数であり、wは整数であり、たとえば、wは0もしくは1に等しく、uは非負整数、たとえば、0、1、2、もしくは3であり、PはセルIDおよび/もしくは無線フレーム番号の関数であり、たとえば、セルID
【数３１】
2020507954.tif 000033
に等しいか、もしくは
【数３２】
2020507954.tif 000034
に等しいか、もしくは
【数３３】
2020507954.tif 000035
に等しく、ただし、vは正整数であり、QはセルIDの関数であり、たとえば、セルIDに等しいか、もしくは0に等しく(公式の中にパラメータQがないことを意味する)、a3は非負整数であり、たとえば、a3はcinitにおいてQにより占有されるビットの数に等しく、b3は非負整数であり、たとえば、b3はcinitにおいて[(nf+h) mod k)+w]u・Pにより占有されるビットの数に等しい。
【００３７】
第2の態様に基づき、可能な実装形態において、逆スクランブリングは、ビットレベル逆スクランブリングまたはシンボルレベル逆スクランブリングであってもよい。特定の実装方法は、第1の態様において基地局によって実行されるスクランブリングステップに対応している。第3の態様によれば、
基地局によって、第1のパラメータに従ってスクランブリングコードを生成するステップであって、第1のパラメータは、無線フレーム番号、もしくは第1の法による無線フレーム番号の剰余演算の結果得られる値を含み、第1の法は、3以上の正整数である、生成するステップと、スクランブリングコードに従って第1のメッセージをスクランブルするステップと、最後に、スクランブルされた第1のメッセージを第1のチャネル上で端末に送信するステップと、または
端末によって、第1のパラメータに従ってスクランブリングコードを生成するステップであって、第1のパラメータは、無線フレーム番号、もしくは第1の法による無線フレーム番号の剰余演算の結果得られる値を含み、第1の法は、3以上の正整数である、生成するステップと、スクランブリングコードに従って第1のメッセージをスクランブルするステップと、最後に、スクランブルされた第1のメッセージを第1のチャネル上で基地局に送信するステップとを含むメッセージ送信方法が提供される。
【００３８】
本出願のこの実施形態における無線フレーム番号は、第1のメッセージを送信するための開始位置が配置される無線フレーム番号である。
【００３９】
本出願のこの実施形態において、無線フレーム番号は時間とともに変化し、基地局または端末によって生成されるスクランブリングコードは、第1のパラメータに従って決定される。第1のパラメータは、無線フレーム番号、もしくは第1の法による無線フレーム番号の剰余演算の結果得られる値を含み、第1の法は、3以上の正整数である。したがって、決定されたスクランブリングコードに対して少なくとも3つの異なる時点があり、少なくとも3つの異なる時点で基地局または端末によって決定されたスクランブリングコードは、異なる。第1のメッセージは、スクランブリングコードに従ってスクランブルされる。したがって、第1のメッセージの伝送における干渉防止能力は、本出願のこの実施形態の技術的解決方法に従って改善される。
【００４０】
第3の態様に基づき、可能な実装形態において、第1のメッセージはシステムメッセージであってもよく、またはシステムメッセージの一部であってもよい。第1のメッセージは符号化されたシステムメッセージであってもよく、または第1のメッセージは符号化されたシステムメッセージの一部である。第1のチャネルは、物理ダウンリンク共有チャネルまたは物理ブロードキャストチャネルである。別の可能な実装形態において、第1のメッセージはデータ情報もしくは制御情報であってもよく、またはデータ情報もしくは制御情報の一部であってもよい。第1のメッセージは符号化されたデータ情報もしくは制御情報であってもよく、または第1のメッセージは符号化されたデータ情報もしくは制御情報の一部である。第1のチャネルは、物理ダウンリンク共有チャネル、物理ダウンリンク制御チャネル、物理アップリンク共有チャネル、または物理アップリンク制御チャネルである。第3の態様に基づき、可能な実装形態において、無線フレーム番号または第1の法による無線フレーム番号の剰余演算の結果得られる値のいずれかに加えて、第1のパラメータは、RNTI、タイムスロット番号、シンボル番号、セルID、およびキャリア識別子のうちの少なくとも1つを含む。
【００４１】
第3の態様に基づき、可能な実装形態において、nが1より大きい正整数である場合に第1の法は2nであるか、または第1の法は、3以上の素数である。
【００４２】
第1の法が素数であるときに、素数の特徴を使用することによって第1のメッセージを送信する際のより良い干渉防止能力が達成されうる。
【００４３】
第3の態様に基づき、基地局または端末が第1のパラメータに従ってスクランブリングコードを生成する可能な実装形態は、
基地局または端末は、第1のパラメータに従ってスクランブリングコード初期化シードを生成し、次いで、スクランブリングコード初期化シードに従ってスクランブリングコードを生成する。
【００４４】
第3の態様に基づき、本出願の実施形態は、基地局または端末が第1のパラメータに従ってスクランブリングコード初期化シードを生成するいくつかの可能な実装形態をさらに提供する。
【００４５】
第1のパラメータは、第1の法kによる無線フレーム番号nfの剰余演算の結果得られる値と、無線ネットワーク一時識別子nRNTIと、タイムスロット番号nsと、セルID
【数３４】
2020507954.tif 000036
とを含み、スクランブリングコード初期化シードcinitは、式
【数３５】
2020507954.tif 000037
を満たし、ただし、a1はcinitにおいて(nf mod k)、
【数３６】
2020507954.tif 000038
、および
【数３７】
2020507954.tif 000039
によって占有されるビットの数の総和であり、b1はcinitにおいて、
【数３８】
2020507954.tif 000040
および
【数３９】
2020507954.tif 000041
によって占有されるビットの数の総和であり、c1はcinitにおいて、
【数４０】
2020507954.tif 000042
によって占有されるビットの数であり、または
第1のパラメータは、無線フレーム番号nfと、タイムスロット番号nsと、セルID
【数４１】
2020507954.tif 000043
とを含み、スクランブリングコード初期化シードcinitは、式
【数４２】
2020507954.tif 000044
を満たし、ただし、b2はcinitにおいて
【数４３】
2020507954.tif 000045
および
【数４４】
2020507954.tif 000046
によって占有されるビットの数の総和であり、c2はcinitにおいて、
【数４５】
2020507954.tif 000047
によって占有されるビットの数であり、または
第1のパラメータは、第1の法kによる無線フレーム番号nfの剰余演算の結果得られる値と、タイムスロット番号nsと、セルID
【数４６】
2020507954.tif 000048
とを含み、スクランブリングコード初期化シードcinitは、式
【数４７】
2020507954.tif 000049
を満たし、ただし、b3はcinitにおいて
【数４８】
2020507954.tif 000050
および
【数４９】
2020507954.tif 000051
によって占有されるビットの数の総和であり、c3はcinitにおいて、
【数５０】
2020507954.tif 000052
によって占有されるビットの数であり、または
第1のパラメータは、無線ネットワーク一時識別子nRNTIと、第1の法kによる無線フレーム番号nfの剰余演算の結果得られる値と、セルID
【数５１】
2020507954.tif 000053
とを含み、スクランブリングコード初期化シードcinitは、式
【数５２】
2020507954.tif 000054
を満たし、ただし、a4はcinitにおいて(nf mod k)および
【数５３】
2020507954.tif 000055
によって占有されるビットの数の総和であり、b4はcinitにおいて、
【数５４】
2020507954.tif 000056
によって占有されるビットの数であり、または
第1のパラメータは、セルID
【数５５】
2020507954.tif 000057
と、第1の法kによる無線フレーム番号nfの剰余演算の結果得られる値とを含み、スクランブリングコード初期化シードcinitは、式
【数５６】
2020507954.tif 000058
を満たし、ただし、b5はcinitにおいて、
【数５７】
2020507954.tif 000059
によって占有されるビットの数であり、または
第1のパラメータは、無線フレーム番号nfと、セルID
【数５８】
2020507954.tif 000060
とを含み、スクランブリングコード初期化シードcinitは、式
【数５９】
2020507954.tif 000061
を満たし、ただし、b6はcinitにおいて、
【数６０】
2020507954.tif 000062
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数６１】
2020507954.tif 000063
のうちの少なくとも1つを含み、初期化スクランブリングコードシードcinitは、式
【数６２】
2020507954.tif 000064
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数６３】
2020507954.tif 000065
に等しいか、もしくは
【数６４】
2020507954.tif 000066
に等しいか、もしくは
【数６５】
2020507954.tif 000067
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、a7はcinitにおいて[(nf+h) mod k)+w]u・P、H、およびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数６６】
2020507954.tif 000068
のうちの少なくとも1つを含み、初期化スクランブリングコードシードcinitは、式
【数６７】
2020507954.tif 000069
、もしくは
【数６８】
2020507954.tif 000070
、もしくは
【数６９】
2020507954.tif 000071
、もしくは
【数７０】
2020507954.tif 000072
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【００４６】
なお、第1のパラメータは、シンボル番号、ハイパーフレーム番号、およびキャリア識別子のうちの少なくとも1つをさらに含んでもよい。本出願のこの実施形態において、RNTI、タイムスロット番号、シンボル番号、ハイパーフレーム番号、セルID、キャリア識別子、および同様のものは、法による剰余演算の結果得られる値を使用することによってスクランブリングコード初期化シードの決定にすべて関与してもよい。それに加えて、本出願のこの実施形態では、変数である無線フレーム番号nf、第1の法kによる無線フレーム番号nfの剰余演算の結果得られる値、無線ネットワーク一時識別子nRNTI、タイムスロット番号ns、およびセルID
【数７１】
2020507954.tif 000073
によってcinitにおいて占有されるビットの上位ビットおよび下位ビットは交換されてもよい。これは、本出願のこの実施形態において限定されない。
【００４７】
第3の態様に基づき、基地局は、端末に、第1のチャネル/第1の情報をスクランブルする方式を指示するために使用される指示情報を送信する。
【００４８】
特に、第1のチャネル/第1の情報をスクランブルする方式を示すために使用される指示情報の可能な実装形態は、指示情報は、第1のチャネル/第1の情報のスクランブリングコード初期化シードを決定する方式および/またはスクランブリングコード初期化方法を指示するために使用されてもよい。
【００４９】
特に、スクランブリングコード初期化方法は、スクランブリングコード長およびスクランブリングコード初期化頻度/周期のうちの少なくとも1つを含む。
【００５０】
指示情報は、システムメッセージ(MIBまたはSIB)内に配置され、PBCHまたはPDSCHを使用することによって基地局により端末に送信されてもよい。
【００５１】
第3の態様に基づき、端末は、端末指示情報を基地局に報告し、端末指示情報は端末のスクランブリング方式サポート能力を指示するために使用される。
【００５２】
通信システムでは、スクランブリング方式は、通常、完全後方互換性が可能でないことを特徴とする。したがって、端末は、端末のスクランブリング方式サポート能力を報告し、それにより、基地局は、基地局によって端末に送信されるデータに適切なスクランブリング方式を使用することができ、基地局は、正しいスクランブリング方式で、端末によって基地局に送信されたデータも受信することができる。
【００５３】
可能な実装方法において、端末のスクランブリング方式サポート能力は、端末によってサポートされるスクランブリング方式の数および端末がスクランブリング方式をサポートしているかどうか、または使用するかどうか、のうちの少なくとも1つを含む。たとえば、通信システムは、2つのスクランブリング方式をサポートする。スクランブリング方式1は、スクランブリングコードがスクランブリングコードシード生成公式1を使用することによって生成される、ビットレベルスクランブリングである。スクランブリング方式2は、スクランブリングコードがスクランブリングコードシード生成公式2を使用することによって生成される、シンボルレベルスクランブリングである。端末指示情報は、端末が1つのスクランブリング方式をサポートするか、または2つのスクランブリング方式を両方ともサポートするかを指示するために使用されてもよく、および/または端末指示情報は、端末がスクランブリング方式1または2をサポートするかどうかを指示するために使用されてもよい。
【００５４】
可能な実装方法において、端末は、RRCシグナリングまたは他の上位層シグナリングを使用することによって端末指示情報を基地局に報告してもよい。
【００５５】
第4の態様によれば、
端末によって、第1のパラメータを決定するステップであって、第1のパラメータは、無線フレーム番号、もしくは第1の法による無線フレーム番号の剰余演算の結果得られる値を含み、第1の法は、3以上の正整数である、決定するステップと、スクランブルされた第1のメッセージを第1のチャネル上で受信するステップと、第1のパラメータに従ってスクランブリングコードを生成するステップと、最後に、スクランブリングコードに従って受信されたスクランブルされた第1のメッセージを逆スクランブルするステップと、または
基地局によって、第1のパラメータを決定するステップであって、第1のパラメータは、無線フレーム番号、もしくは第1の法による無線フレーム番号の剰余演算の結果得られる値を含み、第1の法は、3以上の正整数である、決定するステップと、スクランブルされた第1のメッセージを第1のチャネル上で受信するステップと、第1のパラメータに従ってスクランブリングコードを生成するステップと、最後に、スクランブリングコードに従って受信されたスクランブルされた第1のメッセージを逆スクランブルするステップと、を含むメッセージ受信方法が提供される。
【００５６】
無線フレーム番号または第1の法による無線フレーム番号の剰余演算の結果得られる値は、本出願のこの実施形態において少なくとも2つの異なる時点に異なる値を有し、無線フレーム番号および値は第1のパラメータに含まれるので、少なくとも2つの対応する異なる時点においてスクランブルされ、端末もしくは基地局によって受信される第1のメッセージに使用されるスクランブリングコードは異なっていてもよく、それにより端末もしくは基地局によるシステムメッセージの受信のパフォーマンスが改善される。
【００５７】
第4の態様に基づき、可能な実装形態において、第1のメッセージはシステムメッセージであってもよく、またはシステムメッセージの一部であってもよい。第1のメッセージは符号化されたシステムメッセージであってもよく、または第1のメッセージは符号化されたシステムメッセージの一部である。第1のチャネルは、物理ダウンリンク共有チャネルまたは物理ブロードキャストチャネルである。別の可能な実装形態において、第1のメッセージはデータ情報もしくは制御情報であってもよく、またはデータ情報もしくは制御情報の一部であってもよい。第1のメッセージは符号化されたデータ情報もしくは制御情報であってもよく、または第1のメッセージは符号化されたデータ情報もしくは制御情報の一部である。第1のチャネルは、物理ダウンリンク共有チャネル、物理ダウンリンク制御チャネル、物理アップリンク共有チャネル、または物理アップリンク制御チャネルである。
【００５８】
第4の態様に基づき、可能な実装形態において、無線フレーム番号または第1の法による無線フレーム番号の剰余演算の結果得られる値のいずれかに加えて、第1のパラメータは、RNTI、タイムスロット番号、シンボル番号、セルID、およびキャリア識別子のうちの少なくとも1つを含む。
【００５９】
第4の態様に基づき、可能な実装形態において、nが1より大きい正整数である場合に第1の法は2nであるか、または第1の法は、3以上の素数である。
【００６０】
第1の法が素数であるときに、素数の特徴を使用することによって第1のメッセージを送信する際のより良い干渉防止能力が達成されうる。
【００６１】
第4の態様に基づき、端末または基地局が第1のパラメータに従ってスクランブリングコードを生成する可能な実装形態は、
端末または基地局は、第1のパラメータに従ってスクランブリングコード初期化シードを生成し、次いで、スクランブリングコード初期化シードに従ってスクランブリングコードを生成する。
【００６２】
第4の態様に基づき、本出願の実施形態は、端末または基地局が第1のパラメータに従ってスクランブリングコード初期化シードを生成するいくつかの可能な実装形態をさらに提供する。
【００６３】
第1のパラメータは、第1の法kによる無線フレーム番号nfの剰余演算の結果得られる値と、無線ネットワーク一時識別子nRNTIと、タイムスロット番号nsと、セルID
【数７２】
2020507954.tif 000074
とを含み、スクランブリングコード初期化シードcinitは、式
【数７３】
2020507954.tif 000075
を満たし、ただし、a1はcinitにおいて(nf mod k)、
【数７４】
2020507954.tif 000076
、および
【数７５】
2020507954.tif 000077
によって占有されるビットの数の総和であり、b1はcinitにおいて、
【数７６】
2020507954.tif 000078
および
【数７７】
2020507954.tif 000079
によって占有されるビットの数の総和であり、c1はcinitにおいて、
【数７８】
2020507954.tif 000080
によって占有されるビットの数であり、または
第1のパラメータは、無線フレーム番号nfと、タイムスロット番号nsと、セルID
【数７９】
2020507954.tif 000081
とを含み、スクランブリングコード初期化シードcinitは、式
【数８０】
2020507954.tif 000082
を満たし、ただし、b2はcinitにおいて
【数８１】
2020507954.tif 000083
および
【数８２】
2020507954.tif 000084
によって占有されるビットの数の総和であり、c2はcinitにおいて、
【数８３】
2020507954.tif 000085
によって占有されるビットの数であり、または
第1のパラメータは、第1の法kによる無線フレーム番号nfの剰余演算の結果得られる値と、タイムスロット番号nsと、セルID
【数８４】
2020507954.tif 000086
とを含み、スクランブリングコード初期化シードcinitは、式
【数８５】
2020507954.tif 000087
を満たし、ただし、b3はcinitにおいて
【数８６】
2020507954.tif 000088
および
【数８７】
2020507954.tif 000089
によって占有されるビットの数の総和であり、c3はcinitにおいて、
【数８８】
2020507954.tif 000090
によって占有されるビットの数であり、または
第1のパラメータは、無線ネットワーク一時識別子nRNTIと、第1の法kによる無線フレーム番号nfの剰余演算の結果得られる値と、セルID
【数８９】
2020507954.tif 000091
とを含み、スクランブリングコード初期化シードcinitは、式
【数９０】
2020507954.tif 000092
を満たし、ただし、a4はcinitにおいて(nf mod k)および
【数９１】
2020507954.tif 000093
によって占有されるビットの数の総和であり、b4はcinitにおいて、
【数９２】
2020507954.tif 000094
によって占有されるビットの数であり、または
第1のパラメータは、セルID
【数９３】
2020507954.tif 000095
と、第1の法kによる無線フレーム番号nfの剰余演算の結果得られる値とを含み、スクランブリングコード初期化シードcinitは、式
【数９４】
2020507954.tif 000096
を満たし、ただし、b5はcinitにおいて、
【数９５】
2020507954.tif 000097
によって占有されるビットの数であり、または
第1のパラメータは、無線フレーム番号nfと、セルID
【数９６】
2020507954.tif 000098
とを含み、スクランブリングコード初期化シードcinitは、式
【数９７】
2020507954.tif 000099
を満たし、ただし、b6はcinitにおいて、
【数９８】
2020507954.tif 000100
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数９９】
2020507954.tif 000101
のうちの少なくとも1つを含み、初期化スクランブリングコードシードcinitは、式
【数１００】
2020507954.tif 000102
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数１０１】
2020507954.tif 000103
に等しいか、もしくは
【数１０２】
2020507954.tif 000104
に等しいか、もしくは
【数１０３】
2020507954.tif 000105
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数１０４】
2020507954.tif 000106
のうちの少なくとも1つを含み、初期化スクランブリングコードシードcinitは、式
【数１０５】
2020507954.tif 000107
、もしくは
【数１０６】
2020507954.tif 000108
、もしくは
【数１０７】
2020507954.tif 000109
、もしくは
【数１０８】
2020507954.tif 000110
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【００６４】
なお、第1のパラメータは、シンボル番号、ハイパーフレーム番号、およびキャリア識別子のうちの少なくとも1つをさらに含んでもよい。本出願のこの実施形態において、RNTI、タイムスロット番号、シンボル番号、ハイパーフレーム番号、セルID、キャリア識別子、および同様のものは、法による剰余演算の結果得られる値を使用することによってスクランブリングコード初期化シードの決定にすべて関与してもよい。それに加えて、本出願のこの実施形態では、変数である無線フレーム番号nf、第1の法kによる無線フレーム番号nfの剰余演算の結果得られる値、無線ネットワーク一時識別子nRNTI、タイムスロット番号ns、およびセルID
【数１０９】
2020507954.tif 000111
によってcinitにおいて占有されるビットの上位ビットおよび下位ビットは交換されてもよい。これは、本出願のこの実施形態において限定されない。
【００６５】
第5の態様によれば、処理モジュールと送信モジュールとを備える基地局が提供され、処理モジュールは、第1の時間パラメータに従ってスクランブリングコードを生成し、スクランブリングコードに従ってシステムメッセージをスクランブルするように構成され、送信モジュールは、端末に物理ブロードキャストチャネル上で、処理モジュールによってスクランブルされたシステムメッセージを送信するように構成される。
【００６６】
第5の態様に基づき、可能な実装形態において、第1の時間パラメータは、無線フレーム番号、タイムスロット番号、ハイパーフレーム番号、およびシンボル番号のうちの少なくとも1つの関数である。
【００６７】
第5の態様に基づき、可能な実装形態において、第1の時間パラメータは、無線フレーム番号、タイムスロット番号、ハイパーフレーム番号、およびシンボル番号のうちのいずれか1つであるか、または
第1の時間パラメータは、第1の法による無線フレーム番号、タイムスロット番号、ハイパーフレーム番号、およびシンボル番号のうちのいずれか1つの剰余演算の結果得られる値であり、第1の法は、正整数である。
【００６８】
第5の態様に基づき、可能な実装形態において、nが3に等しくない正整数である場合に第1の法は2nであるか、または第1の法は8であるか、または第1の法は素数である。
【００６９】
第5の態様に基づき、処理モジュールが第1の時間パラメータに従ってスクランブリングコードを生成する可能な実装形態は、
第1の時間パラメータおよび第1の変数グループに従ってスクランブリングコード初期化シードを生成し、スクランブリングコード初期化シードに従ってスクランブリングコードを生成することであり、第1の変数グループはセルID、無線ネットワーク一時識別子RNTI、およびキャリア識別子のうちの少なくとも1つを含む。
【００７０】
第5の態様に基づき、処理モジュールが第1の時間パラメータに従ってスクランブリングコードを生成する別の可能な実装形態は、
第1の時間パラメータに従ってスクランブリングコード初期化シードを生成し、スクランブリングコード初期化シードに従ってスクランブリングコードを生成することである。
【００７１】
第5の態様に基づき、本出願の実施形態は、基地局が第1の時間パラメータに従ってスクランブリングコード初期化シードを生成するいくつかの可能な実装形態をさらに提供する。
【００７２】
第1の時間パラメータは、無線フレーム番号nfであり、初期化スクランブリングコードシードcinitは、式cinit=nfを満たすか、または
第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数であり、または
第1の時間パラメータは、無線フレーム番号nfであり、第1の変数グループは、セルID
【数１１０】
2020507954.tif 000112
を含み、初期化スクランブリングコードシードcinitは、式
【数１１１】
2020507954.tif 000113
もしくは
【数１１２】
2020507954.tif 000114
を満たし、ただし、a1はcinitにおいて
【数１１３】
2020507954.tif 000115
により占有されるビットの数であり、b1はcinitにおいてnfにより占有されるビットの数であり、または
第1の時間パラメータは、第1の法kによる無線フレーム番号nfの剰余演算の結果得られる値であり、第1の変数グループは、セルID
【数１１４】
2020507954.tif 000116
を含み、初期化スクランブリングコードシードcinitは、式
【数１１５】
2020507954.tif 000117
もしくは
【数１１６】
2020507954.tif 000118
を満たし、ただし、k=8であるか、kは素数であるか、もしくはkは8でも素数でもない正整数であり、a2はcinitにおいて
【数１１７】
2020507954.tif 000119
により占有されるビットの数であり、b2はcinitにおいて(nf mod k)により占有されるビットの数であり、または
第1の時間パラメータは、第1の法kによる無線フレーム番号nf(もしくは無線フレーム番号+ある整数)の剰余演算の結果得られる値であり、第1の変数グループは、セルID
【数１１８】
2020507954.tif 000120
を含み、初期化スクランブリングコードシードcinitは、式
【数１１９】
2020507954.tif 000121
もしくは
【数１２０】
2020507954.tif 000122
を満たし、ただし、hは整数であり、たとえば、hは0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数１２１】
2020507954.tif 000123
に等しいか、もしくは
【数１２２】
2020507954.tif 000124
に等しく、ただし、vは正整数であり、QはセルIDの関数であり、たとえば、セルIDに等しいか、もしくは0に等しく(公式の中にパラメータQがないことを意味する)、a3は非負整数であり、たとえば、cinitにおいてQにより占有されるビットの数に等しく、b3は非負整数であり、たとえば、cinitにおいて[(nf+h) mod k)+w]u・Pにより占有されるビットの数に等しい。
【００７３】
第5の態様に基づき、可能な実装形態において、スクランブリングは、ビットレベルスクランブリングであってもよい。たとえば、mod-2加算は、スクランブリングコードおよびスクランブルされるべき情報に対して実行されてもよい。スクランブルされるべき情報は、システムメッセージもしくはシステムメッセージの一部であってもよく、または符号化されたシステムメッセージもしくは符号化されたシステムメッセージの一部であってもよい。
【００７４】
第5の態様に基づき、別の可能な実装形態において、スクランブリングは、シンボルレベルスクランブリングであってもよい。たとえば、基地局は、最初に、スクランブリングコードをビット形式からシンボル形式にマッピングしてもよい。マッピング方法は限定されない。たとえば、BPSKもしくはQPSK変調または別の類似のマッピング方法が実行されてもよい。次いで、基地局は、点毎の積演算、点毎の共役積演算、または同様のものをシンボル形式のスクランブリングコードと、スクランブルされるべき情報とに実行する。スクランブルされるべき情報は、符号変調後に得られるシステムメッセージまたは符号変調後に得られるシステムメッセージの一部であってもよい。
【００７５】
第6の態様によれば、処理モジュールと受信モジュールとを備える端末が提供され、処理モジュールは、第1の時間パラメータを決定するように構成され、受信モジュールは、スクランブルされたシステムメッセージを物理ブロードキャストチャネル上で受信するように構成され、処理モジュールは、第1の時間パラメータに従ってスクランブリングコードを生成し、スクランブリングコードに従って、処理モジュールによってスクランブルされた受信されたシステムメッセージを逆スクランブルするようにさらに構成される。
【００７６】
第6の態様に基づき、可能な実装形態において、第1の時間パラメータは、無線フレーム番号、タイムスロット番号、ハイパーフレーム番号、およびシンボル番号のうちの少なくとも1つの関数である。
【００７７】
第6の態様に基づき、可能な実装形態において、第1の時間パラメータは、無線フレーム番号、タイムスロット番号、ハイパーフレーム番号、およびシンボル番号のうちのいずれか1つであるか、または
第1の時間パラメータは、第1の法による無線フレーム番号、タイムスロット番号、ハイパーフレーム番号、およびシンボル番号のうちのいずれか1つの剰余演算の結果得られる値であり、第1の法は、正整数である。
【００７８】
第6の態様に基づき、可能な実装形態において、nが3に等しくない正整数である場合に第1の法は2nであるか、または第1の法は8であるか、または第1の法は素数である。
【００７９】
第6の態様に基づき、処理モジュールが第1の時間パラメータに従ってスクランブリングコードを生成する可能な実装形態は、
第1の時間パラメータおよび第1の変数グループに従ってスクランブリングコード初期化シードを生成し、スクランブリングコード初期化シードに従ってスクランブリングコードを生成することであり、第1の変数グループはセルID、無線ネットワーク一時識別子RNTI、およびキャリア識別子のうちの少なくとも1つを含む。
【００８０】
第6の態様に基づき、処理モジュールが第1の時間パラメータに従ってスクランブリングコードを生成する別の可能な実装形態は、
第1の時間パラメータに従ってスクランブリングコード初期化シードを生成し、スクランブリングコード初期化シードに従ってスクランブリングコードを生成することである。
【００８１】
第6の態様に基づき、本出願の実施形態は、処理モジュールが第1の時間パラメータに従ってスクランブリングコード初期化シードを生成するいくつかの可能な実装形態をさらに提供する。
【００８２】
第1の時間パラメータは、無線フレーム番号nfであり、初期化スクランブリングコードシードcinitは、式cinit=nfを満たすか、または
第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数であり、または
第1の時間パラメータは、無線フレーム番号nfであり、第1の変数グループは、セルID
【数１２３】
2020507954.tif 000125
を含み、初期化スクランブリングコードシードcinitは、式
【数１２４】
2020507954.tif 000126
もしくは
【数１２５】
2020507954.tif 000127
を満たし、ただし、a1はcinitにおいて
【数１２６】
2020507954.tif 000128
により占有されるビットの数であり、b1はcinitにおいてnfにより占有されるビットの数であり、または
第1の時間パラメータは、第1の法kによる無線フレーム番号nfの剰余演算の結果得られる値であり、第1の変数グループは、セルID
【数１２７】
2020507954.tif 000129
を含み、初期化スクランブリングコードシードcinitは、式
【数１２８】
2020507954.tif 000130
もしくは
【数１２９】
2020507954.tif 000131
を満たし、ただし、k=8であるか、kは素数であるか、もしくはkは8でも素数でもない正整数であり、a2はcinitにおいて
【数１３０】
2020507954.tif 000132
により占有されるビットの数であり、b2はcinitにおいて(nf mod k)により占有されるビットの数であり、または
第1の時間パラメータは、第1の法kによる無線フレーム番号nf(もしくは無線フレーム番号+ある整数)の剰余演算の結果得られる値であり、第1の変数グループは、セルID
【数１３１】
2020507954.tif 000133
を含み、初期化スクランブリングコードシードcinitは、式
【数１３２】
2020507954.tif 000134
もしくは
【数１３３】
2020507954.tif 000135
を満たし、ただし、hは整数であり、たとえば、hは0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数１３４】
2020507954.tif 000136
に等しいか、もしくは
【数１３５】
2020507954.tif 000137
に等しく、ただし、vは正整数であり、QはセルIDの関数であり、たとえば、セルIDに等しいか、もしくは0に等しく(公式の中にパラメータQがないことを意味する)、a3は非負整数であり、たとえば、cinitにおいてQにより占有されるビットの数に等しく、b3は非負整数であり、たとえば、cinitにおいて[(nf+h) mod k)+w]u・Pにより占有されるビットの数に等しい。
【００８３】
第6の態様に基づき、可能な実装形態において、逆スクランブリングは、ビットレベル逆スクランブリングまたはシンボルレベル逆スクランブリングであってもよい。特定の実装方法は、第5の態様において基地局によって実行されるスクランブリングステップに対応している。
【００８４】
第7の態様によれば、第5の態様において提供される基地局と、第6の態様において提供される端末とを備える通信システムが提供される。
【００８５】
第8の態様によれば、処理モジュールと送信モジュールとを備える基地局または端末が提供され、処理モジュールは、第1のパラメータに従ってスクランブリングコードを生成し、スクランブリングコードに従って第1のメッセージをスクランブルするように構成され、第1のパラメータは、無線フレーム番号、もしくは第1の法による無線フレーム番号の剰余演算の結果得られる値を含み、第1の法は、3以上の正整数であり、送信モジュールは、端末または基地局に第1のチャネル上で、処理モジュールによってスクランブルされた第1のメッセージを送信するように構成される。
【００８６】
第8の態様に基づき、可能な実装形態において、第1のメッセージはシステムメッセージであるか、または第1のメッセージはシステムメッセージの一部であるか、または第1のメッセージは符号化されたシステムメッセージであるか、または第1のメッセージは符号化されたシステムメッセージの一部である。第1のチャネルは、物理ダウンリンク共有チャネルまたは物理ブロードキャストチャネルである。別の可能な実装形態において、第1のメッセージはデータ情報もしくは制御情報であってもよく、またはデータ情報もしくは制御情報の一部であってもよい。第1のメッセージは符号化されたデータ情報もしくは制御情報であってもよく、または第1のメッセージは符号化されたデータ情報もしくは制御情報の一部である。第1のチャネルは、物理ダウンリンク共有チャネル、物理ダウンリンク制御チャネル、物理アップリンク共有チャネル、または物理アップリンク制御チャネルである。
【００８７】
第8の態様に基づき、可能な実装形態において、無線フレーム番号または第1の法による無線フレーム番号の剰余演算の結果得られる値に加えて、第1のパラメータは、無線ネットワーク一時識別子RNTI、タイムスロット番号、シンボル番号、セルID、およびキャリア識別子のうちの少なくとも1つを含む。
【００８８】
第8の態様に基づき、可能な実装形態において、nが1より大きい正整数である場合に第1の法は2nであるか、または第1の法は、3以上の素数である。
【００８９】
第8の態様に基づき、処理モジュールが第1のパラメータに従ってスクランブリングコードを生成する可能な実装形態は、
第1のパラメータに従ってスクランブリングコード初期化シードを生成し、スクランブリングコード初期化シードに従ってスクランブリングコードを生成することである。
【００９０】
第8の態様に基づき、本出願の実施形態は、処理モジュールが第1の時間パラメータに従ってスクランブリングコード初期化シードを生成するいくつかの可能な実装形態をさらに提供する。
【００９１】
第1のパラメータは、第1の法kによる無線フレーム番号nfの剰余演算の結果得られる値と、無線ネットワーク一時識別子nRNTIと、タイムスロット番号nsと、セルID
【数１３６】
2020507954.tif 000138
とを含み、スクランブリングコード初期化シードcinitは、式
【数１３７】
2020507954.tif 000139
を満たし、ただし、a1はcinitにおいて(nf mod k)、
【数１３８】
2020507954.tif 000140
、および
【数１３９】
2020507954.tif 000141
によって占有されるビットの数の総和であり、b1はcinitにおいて、
【数１４０】
2020507954.tif 000142
および
【数１４１】
2020507954.tif 000143
によって占有されるビットの数の総和であり、c1はcinitにおいて、
【数１４２】
2020507954.tif 000144
によって占有されるビットの数であり、または
第1のパラメータは、無線フレーム番号nfと、タイムスロット番号nsと、セルID
【数１４３】
2020507954.tif 000145
とを含み、スクランブリングコード初期化シードcinitは、式
【数１４４】
2020507954.tif 000146
を満たし、ただし、b2はcinitにおいて
【数１４５】
2020507954.tif 000147
および
【数１４６】
2020507954.tif 000148
によって占有されるビットの数の総和であり、c2はcinitにおいて、
【数１４７】
2020507954.tif 000149
によって占有されるビットの数であり、または
第1のパラメータは、第1の法kによる無線フレーム番号nfの剰余演算の結果得られる値と、タイムスロット番号nsと、セルID
【数１４８】
2020507954.tif 000150
とを含み、スクランブリングコード初期化シードcinitは、式
【数１４９】
2020507954.tif 000151
を満たし、ただし、b3はcinitにおいて
【数１５０】
2020507954.tif 000152
および
【数１５１】
2020507954.tif 000153
によって占有されるビットの数の総和であり、c3はcinitにおいて、
【数１５２】
2020507954.tif 000154
によって占有されるビットの数であり、または
第1のパラメータは、無線ネットワーク一時識別子nRNTIと、第1の法kによる無線フレーム番号nfの剰余演算の結果得られる値と、セルID
【数１５３】
2020507954.tif 000155
とを含み、スクランブリングコード初期化シードcinitは、式
【数１５４】
2020507954.tif 000156
を満たし、ただし、a4はcinitにおいて(nf mod k)および
【数１５５】
2020507954.tif 000157
によって占有されるビットの数の総和であり、b4はcinitにおいて、
【数１５６】
2020507954.tif 000158
によって占有されるビットの数であり、または
第1のパラメータは、セルID
【数１５７】
2020507954.tif 000159
と、第1の法kによる無線フレーム番号nfの剰余演算の結果得られる値とを含み、スクランブリングコード初期化シードcinitは、式
【数１５８】
2020507954.tif 000160
を満たし、ただし、b5はcinitにおいて、
【数１５９】
2020507954.tif 000161
によって占有されるビットの数であり、または
第1のパラメータは、無線フレーム番号nfと、セルID
【数１６０】
2020507954.tif 000162
とを含み、スクランブリングコード初期化シードcinitは、式
【数１６１】
2020507954.tif 000163
を満たし、ただし、b6はcinitにおいて、
【数１６２】
2020507954.tif 000164
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数１６３】
2020507954.tif 000165
のうちの少なくとも1つを含み、初期化スクランブリングコードシードcinitは、式
【数１６４】
2020507954.tif 000166
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数１６５】
2020507954.tif 000167
に等しいか、もしくは
【数１６６】
2020507954.tif 000168
に等しいか、もしくは
【数１６７】
2020507954.tif 000169
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数１６８】
2020507954.tif 000170
のうちの少なくとも1つを含み、初期化スクランブリングコードシードcinitは、式
【数１６９】
2020507954.tif 000171
、もしくは
【数１７０】
2020507954.tif 000172
、もしくは
【数１７１】
2020507954.tif 000173
、もしくは
【数１７２】
2020507954.tif 000174
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【００９２】
第9の態様によれば、処理モジュールと受信モジュールとを備える端末または基地局が提供され、処理モジュールは、第1のパラメータを決定するように構成され、第1のパラメータは、無線フレーム番号、もしくは第1の法による無線フレーム番号の剰余演算の結果得られる値を含み、第1の法は、3以上の正整数であり、受信モジュールは、スクランブルされた第1のメッセージを第1のチャネル上で受信するように構成され、処理モジュールは、第1のパラメータに従ってスクランブリングコードを生成し、スクランブリングコードに従って、処理モジュールによってスクランブルされた受信された第1のメッセージを逆スクランブルするようにさらに構成される。
【００９３】
第9の態様に基づき、可能な実装形態において、第1のメッセージはシステムメッセージであるか、または第1のメッセージはシステムメッセージの一部であるか、または第1のメッセージは符号化されたシステムメッセージであるか、または第1のメッセージは符号化されたシステムメッセージの一部である。第1のチャネルは、物理ダウンリンク共有チャネルまたは物理ブロードキャストチャネルである。別の可能な実装形態において、第1のメッセージはデータ情報もしくは制御情報であってもよく、またはデータ情報もしくは制御情報の一部であってもよい。第1のメッセージは符号化されたデータ情報もしくは制御情報であってもよく、または第1のメッセージは符号化されたデータ情報もしくは制御情報の一部である。第1のチャネルは、物理ダウンリンク共有チャネル、物理ダウンリンク制御チャネル、物理アップリンク共有チャネル、または物理アップリンク制御チャネルである。
【００９４】
第9の態様に基づき、可能な実装形態において、無線フレーム番号または第1の法による無線フレーム番号の剰余演算の結果得られる値に加えて、第1のパラメータは、無線ネットワーク一時識別子RNTI、タイムスロット番号、シンボル番号、セルID、およびキャリア識別子のうちの少なくとも1つを含む。
【００９５】
第9の態様に基づき、可能な実装形態において、nが1より大きい正整数である場合に第1の法は2nであるか、または第1の法は、3以上の素数である。
【００９６】
第9の態様に基づき、処理モジュールが第1のパラメータに従ってスクランブリングコードを生成する可能な実装形態は、
第1のパラメータに従ってスクランブリングコード初期化シードを生成し、スクランブリングコード初期化シードに従ってスクランブリングコードを生成することである。
【００９７】
第9の態様に基づき、本出願の実施形態は、処理モジュールが第1の時間パラメータに従ってスクランブリングコード初期化シードを生成するいくつかの可能な実装形態をさらに提供する。
【００９８】
第1のパラメータは、第1の法kによる無線フレーム番号nfの剰余演算の結果得られる値と、無線ネットワーク一時識別子nRNTIと、タイムスロット番号nsと、セルID
【数１７３】
2020507954.tif 000175
とを含み、スクランブリングコード初期化シードcinitは、式
【数１７４】
2020507954.tif 000176
を満たし、ただし、a1はcinitにおいて(nf mod k)、
【数１７５】
2020507954.tif 000177
、および
【数１７６】
2020507954.tif 000178
によって占有されるビットの数の総和であり、b1はcinitにおいて、
【数１７７】
2020507954.tif 000179
および
【数１７８】
2020507954.tif 000180
によって占有されるビットの数の総和であり、c1はcinitにおいて、
【数１７９】
2020507954.tif 000181
によって占有されるビットの数であり、または
第1のパラメータは、無線フレーム番号nfと、タイムスロット番号nsと、セルID
【数１８０】
2020507954.tif 000182
とを含み、スクランブリングコード初期化シードcinitは、式
【数１８１】
2020507954.tif 000183
を満たし、ただし、b2はcinitにおいて
【数１８２】
2020507954.tif 000184
および
【数１８３】
2020507954.tif 000185
によって占有されるビットの数の総和であり、c2はcinitにおいて、
【数１８４】
2020507954.tif 000186
によって占有されるビットの数であり、または
第1のパラメータは、第1の法kによる無線フレーム番号nfの剰余演算の結果得られる値と、タイムスロット番号nsと、セルID
【数１８５】
2020507954.tif 000187
とを含み、スクランブリングコード初期化シードcinitは、式
【数１８６】
2020507954.tif 000188
を満たし、ただし、b3はcinitにおいて
【数１８７】
2020507954.tif 000189
および
【数１８８】
2020507954.tif 000190
によって占有されるビットの数の総和であり、c3はcinitにおいて、
【数１８９】
2020507954.tif 000191
によって占有されるビットの数であり、または
第1のパラメータは、無線ネットワーク一時識別子nRNTIと、第1の法kによる無線フレーム番号nfの剰余演算の結果得られる値と、セルID
【数１９０】
2020507954.tif 000192
とを含み、スクランブリングコード初期化シードcinitは、式
【数１９１】
2020507954.tif 000193
を満たし、ただし、a4はcinitにおいて(nf mod k)および
【数１９２】
2020507954.tif 000194
によって占有されるビットの数の総和であり、b4はcinitにおいて、
【数１９３】
2020507954.tif 000195
によって占有されるビットの数であり、または
第1のパラメータは、セルID
【数１９４】
2020507954.tif 000196
と、第1の法kによる無線フレーム番号nfの剰余演算の結果得られる値とを含み、スクランブリングコード初期化シードcinitは、式
【数１９５】
2020507954.tif 000197
を満たし、ただし、b5はcinitにおいて、
【数１９６】
2020507954.tif 000198
によって占有されるビットの数であり、または
第1のパラメータは、無線フレーム番号nfと、セルID
【数１９７】
2020507954.tif 000199
とを含み、スクランブリングコード初期化シードcinitは、式
【数１９８】
2020507954.tif 000200
を満たし、ただし、b6はcinitにおいて、
【数１９９】
2020507954.tif 000201
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数２００】
2020507954.tif 000202
のうちの少なくとも1つを含み、初期化スクランブリングコードシードcinitは、式
【数２０１】
2020507954.tif 000203
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数２０２】
2020507954.tif 000204
に等しいか、もしくは
【数２０３】
2020507954.tif 000205
に等しいか、もしくは
【数２０４】
2020507954.tif 000206
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数２０５】
2020507954.tif 000207
のうちの少なくとも1つを含み、初期化スクランブリングコードシードcinitは、式
【数２０６】
2020507954.tif 000208
、もしくは
【数２０７】
2020507954.tif 000209
、もしくは
【数２０８】
2020507954.tif 000210
、もしくは
【数２０９】
2020507954.tif 000211
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【００９９】
第10の態様によれば、第8の態様による基地局と、第9の態様において提供される端末とを備える、または第8の態様による端末と、第9の態様において提供される基地局とを備える、通信システムが提供される。
【０１００】
第11の態様によれば、
基地局によって、セルIDおよび/または第1の時間パラメータに従ってスクランブリングコードを生成するステップと、次いで、スクランブリングコードに従ってシステムメッセージをスクランブルするステップと、最後に、スクランブルされたシステムメッセージを第1のチャネル上で端末に送信するステップとを含むメッセージ送信方法が提供される。
【０１０１】
第1の時間パラメータは、無線フレーム番号、タイムスロット番号、ハイパーフレーム番号、およびシンボル番号のうちの少なくとも1つの関数である。第1のチャネルは、物理ブロードキャストチャネルまたは物理ダウンリンク共有チャネルである。システムメッセージは、MIBまたはSIBである。
【０１０２】
基地局によって、スクランブリングコードに従ってシステムメッセージをスクランブルするステップは、特に、基地局によって、システムメッセージを繰り返すステップと、繰り返されたシステムメッセージを一緒にスクランブルするステップとを含む。基地局によって、繰り返されたシステムメッセージを一緒にスクランブルするステップは、特に、基地局によって、初期化シードを使用することによって生成された完全なスクランブリングコードを使用することによって、繰り返されたシステムメッセージをスクランブルするステップを含み、初期化シードを使用することによって生成された完全なスクランブリングコードに含まれるシンボルの数またはビットの数は、繰り返されたシステムメッセージに含まれるシンボルの数またはビットの数に等しい。
【０１０３】
第11の態様に基づき、可能な実装形態において、スクランブリングは、ビットレベルスクランブリングであってもよい。たとえば、mod-2加算は、スクランブリングコードおよびスクランブルされるべき情報に対して実行されてもよい。スクランブルされるべき情報は、システムメッセージもしくはシステムメッセージの一部であってもよく、または符号化されたシステムメッセージもしくは符号化されたシステムメッセージの一部であってもよい。
【０１０４】
第11の態様に基づき、別の可能な実装形態において、スクランブリングは、シンボルレベルスクランブリングであってもよい。たとえば、基地局は、最初に、スクランブリングコードをビット形式からシンボル形式にマッピングしてもよい。マッピング方法は限定されない。たとえば、BPSKもしくはQPSK変調または別の類似のマッピング方法が実行されてもよい。次いで、基地局は、点毎の積演算、点毎の共役積演算、または同様のものをシンボル形式のスクランブリングコードと、スクランブルされるべき情報とに実行する。スクランブルされるべき情報は、符号変調後に得られるシステムメッセージまたは符号変調後に得られるシステムメッセージの一部であってもよい。
【図面の簡単な説明】
【０１０５】
【図１】本出願の実施形態に係るメッセージ伝送方法の概略フローチャートである。
【図２】LTEにおける無線フレームの概略構造図である。
【図３】本出願の実施形態に係るメッセージ伝送方法の概略フローチャートである。
【図４ａ】本出願の実施形態に係る基地局の概略構造図である。
【図４ｂ】本出願の実施形態に係る基地局のハードウェアの概略構造図である。
【図５ａ】本出願の実施形態に係る端末の概略構造図である。
【図５ｂ】本出願の実施形態に係る端末のハードウェアの概略構造図である。
【図６】本出願の実施形態に係る通信システムの概略図である。
【図７ａ】本出願の実施形態に係る基地局の概略構造図である。
【図７ｂ】本出願の実施形態に係る基地局のハードウェアの概略構造図である。
【図８ａ】本出願の実施形態に係る端末の概略構造図である。
【図８ｂ】本出願の実施形態に係る端末のハードウェアの概略構造図である。
【図９】本出願の実施形態に係る通信システムの概略図である。
【発明を実施するための形態】
【０１０６】
次に、添付図面を参照しつつ本出願の実施形態についてさらに詳細に説明する。
【０１０７】
本出願の実施形態は、LTE(Long Term Evolution、ロングタームエボリューション)システムに適用されてもよく、またはGSM(Global System for Mobile Communication、グローバル・システム・フォー・モバイル・コミュニケーションズ)、UMTS(Universal Mobile Telecommunications System、モバイルテレコミュニケーションシステム)、CDMA(Code Division Multiple Access、符号分割多元接続)システム、および5G(5-Generation)ネットワークシステムなどの新しいネットワークシステムなどの、他のワイヤレス通信システムに適用されてもよい。
【０１０８】
本出願の実施形態における基地局は、受信された無線フレームとIP(Internet Protocol、インターネットプロトコル)パケットとの間の変換を実行し、ワイヤレス端末とアクセスネットワークの残り部分との間でルーターとしての役目を果たすように構成されてもよい。アクセスネットワークの残り部分は、IPネットワークを含んでもよい。本出願の実施形態における基地局は、エアインターフェース上の属性管理を調整するようにさらに構成されてもよい。たとえば、本出願の実施形態における基地局は、GSMシステムもしくはCDMAシステムにおけるBTS(Base Transceiver Station、基地トランシーバ局)であってもよく、WCDMA(Wideband Code Division Multiple Access、広帯域符号分割多元接続)におけるNodeB(ノードB)であってもよく、またはLTEシステムにおけるeNB(evolutional Node B、発展型NodeB)であってもよい。これは、本出願の実施形態において限定されない。
【０１０９】
本出願の実施形態における端末は、ユーザに音声および/またはデータ接続性を提供するように構成されているデバイス、ワイヤレス接続機能を有するハンドヘルドデバイス、またはワイヤレスモデムに接続される別の処理デバイスであってもよい。代替的に、端末は、ワイヤレス端末であってもよい。ワイヤレス端末は、RAN(Radio Access Network、無線アクセスネットワーク)を通じて1つ以上のコアネットワークと通信してもよい。ワイヤレス端末は、携帯電話(もしくは「セルラー」フォンと称される)などの携帯端末または携帯端末を備えるコンピュータであってもよい。たとえば、携帯端末を備えるコンピュータは、無線アクセスネットワークと音声および/またはデータを交換するポータブル、ポケットサイズ、ハンドヘルド、コンピュータ内蔵、または車載型モバイル装置であってもよい。たとえば、代替的に、ワイヤレス端末は、PCS(Personal Communication Service、パーソナル通信サービス)電話機、コードレス電話機、SIP(Session Initiation Protocol、セッション開始プロトコル)電話機、WLL(Wireless Local Loop、ワイヤレスローカルループ)局、またはPDA(Personal Digital Assistant、携帯情報端末)などのデバイスであってもよい。ワイヤレス端末は、システム、加入者ユニット(Subscriber Unit)、加入者局(Subscriber Station)、移動局(Mobile Station)、モバイル(Mobile)、リモート局(Remote Station)、アクセスポイント(Access Point)、リモート端末(Remote Terminal)、アクセス端末(Access Terminal)、ユーザ端末(User Terminal)、ユーザエージェント(User Agent)、ユーザデバイス(User Device)、ユーザ機器(User Equipment)などとも称されてもよい。
【０１１０】
本出願の実施形態において、時間変数が、基地局によって生成されるスクランブリングコードの間で、いくつかの2つの異なる時点において生成されるスクランブリングコードが異なるようにスクランブリングコード生成プロセスに加えられる。2つの異なる時点において決定されるスクランブリングコードは異なるので、システムメッセージ伝送における干渉防止パフォーマンスは改善される。
【０１１１】
実施形態1
物理ブロードキャストチャネル上で伝送されるMIBなどのシステムメッセージについては、特に、図1に示されているように、本出願のこの実施形態におけるメッセージ送信方法は、次のステップを含む。
【０１１２】
ステップ100:基地局は、第1の時間パラメータに従ってスクランブリングコードを生成する。
【０１１３】
なお、第1の時間パラメータは、本出願のこの実施形態において少なくとも2つの異なる時点で異なる値を有する。第1の時間パラメータは、少なくとも2つの異なる時点で異なる値を有するので、少なくとも2つの対応する異なる時点において生成されるスクランブリングコードは異なる。したがって、基地局が同じスクランブリングコードを使用して一定の時間周期内に繰り返し同じシステムメッセージをスクランブルする可能性が低減され、それにより、システムメッセージ伝送における干渉防止能力が改善される。
【０１１４】
ステップ110:基地局は、スクランブリングコードに従ってシステムメッセージをスクランブルする。
【０１１５】
なお、本出願のこの実施形態において、システムメッセージは完全なシステムメッセージであってもよく、または完全なシステムメッセージの一部であってもよい。システムメッセージは符号化されたシステムメッセージであってもよく、または符号化されていないメッセージであってもよい。たとえば、完全なシステムメッセージがMIBであるときに、本出願のこの実施形態におけるシステムメッセージはMIBであってもよく、またはMIBの一部であってもよい。本出願のこの実施形態におけるシステムメッセージがMIBであるときに、MIBは符号化されたMIBであってもよく、または符号化前のMIBであってもよい。本出願のこの実施形態におけるシステムメッセージがMIBの一部であるときに、この部分は符号化されたMIBの一部であってもよく、または符号化されていないMIBの一部であってもよい。
【０１１６】
ステップ120:基地局は、スクランブルされたシステムメッセージを物理ブロードキャストチャネル上で端末に送信する。
【０１１７】
たとえば、本出願のこの実施形態は、物理ブロードキャストチャネル以外のチャネル、たとえば、PDSCH(Physical Downlink Shared Channel、物理ダウンリンク共有チャネル)、PUSCH(Physical Uplink Shared Channel、物理アップリンク共有チャネル)、PDCCH(Physical Downlink Control Channel、物理ダウンリンク制御チャネル)、PUCCH(Physical Uplink Control Channel、物理アップリンク制御チャネル)、PCFICH(Physical Control Format Indicator Channel、物理制御フォーマットインジケータチャネル)、PMCH(Physical Multicast Channel、物理マルチキャストチャネル)、またはPRACH(Physical Random Access Channel、物理ランダムアクセスチャネル)などのチャネルにも適用されてもよい。チャネルの名前は、すべて、LTEの従来の命名規則に従って提供されるが、チャネルは、別の通信システムでは他の名前を有していてもよい。たとえば、物理ブロードキャストチャネルは、NB-IoT(Narrow Brand Internet of Things、狭帯域IoT)ではNPBCH(Narrowband Physical Broadcast Channel、狭帯域物理ブロードキャストチャネル)と名付けられる。さらなる詳細は、ここでは説明されない。
【０１１８】
ステップ130:端末は、第1の時間パラメータを決定する。
【０１１９】
たとえば、特に、スクランブルされたシステムメッセージを端末に送信する前に、基地局は、同期化メッセージを端末に送信する。同期化メッセージは、第1の時間パラメータに関する情報(または第1の時間パラメータに関する情報の一部、たとえば、第1の時間パラメータがNB-IoTシステムにおける無線フレーム番号であるときに、端末は、同期化メッセージを使用して法8による無線フレーム番号の剰余演算の結果得られる値を決定してもよい)を指示するために使用されてもよい。第1の時間パラメータは、基地局がスクランブリングコードを生成するときのベースとして使用されるパラメータである。スクランブリングコードは、システムメッセージをスクランブルするために基地局によって使用されるスクランブリングコードである。端末は、基地局によって送信される同期化メッセージに従って第1の時間パラメータを決定する。端末が第1の時間パラメータを決定するステップ130は、ステップ120の前に実行されてもよく、またはステップ120の後に実行されてもよい。代替的に、ステップ130およびステップ120は、同時に実行されてもよい。
【０１２０】
ステップ140:端末は、スクランブルされたシステムメッセージを物理ブロードキャストチャネル上で受信する。
【０１２１】
基地局がスクランブルされたシステムメッセージを別のチャネル上で送信するときに、端末は、スクランブルされたシステムメッセージを対応するチャネル上で受信することは理解されるべきである。PDSCHが、一例として使用される。基地局がスクランブルされたシステムメッセージをPDSCH上で送信するときに、端末は、スクランブルされたシステムメッセージをPDSCH上で受信する。
【０１２２】
ステップ150:端末は、第1の時間パラメータに従ってスクランブリングコードを生成する。
【０１２３】
たとえば、端末が第1の時間パラメータに従ってスクランブリングコードを生成する方式は、基地局が第1の時間パラメータに従ってスクランブリングコードを生成する方式に類似している。詳細は、ここでは再び説明されない。
【０１２４】
なお、ステップ140およびステップ130に対する、ならびにステップ140およびステップ150に対する確定した順序はなく、ステップ130はステップ150の前に実行される。
【０１２５】
ステップ160:端末は、スクランブリングコードに従って、受信されたスクランブルされたシステムメッセージを逆スクランブルする。
【０１２６】
たとえば、本出願のこの実施形態において、第1の時間パラメータは、無線フレーム番号、タイムスロット番号、ハイパーフレーム番号、およびシンボル番号のうちの少なくとも1つの関数であってもよい。
【０１２７】
たとえば、第1の時間パラメータは、無線フレーム番号の関数である。第1の時間パラメータがyであり、無線フレーム番号がnfである場合、y=f(nf)であり、ただし、f()はyとnfとの間の関数関係である。基地局において予め設定されたポリシーに従って特定の関数関係が決定される。たとえば、f()は一次関数であり、傾きは2であり、切片は0である。この場合、y=2・nfである。代替的に、第1の時間パラメータは、無線フレーム番号、タイムスロット番号、ハイパーフレーム番号、およびシンボル番号のうちのいずれか1つまたは複数の関数であってもよい。詳細は、ここでは説明されない。
【０１２８】
たとえば、本出願のこの実施形態における無線フレーム番号は、システムメッセージを送信するための開始位置が配置される無線フレーム番号であってもよく、または無線フレーム番号は、システムメッセージを送信するための最後の位置が配置される無線フレーム番号、または同様のものであってもよい。タイムスロット番号、ハイパーフレーム番号、およびシンボル番号の場合はこれに類似しており、ここでは説明されない。
【０１２９】
システムメッセージを伝えるために使用される無線フレーム番号、タイムスロット番号、ハイパーフレーム番号、またはシンボル番号は、時間とともに変化し、第1の時間パラメータは、無線フレーム番号、タイムスロット番号、ハイパーフレーム番号、およびシンボル番号のうちの少なくとも1つの関数であるので、第1の時間パラメータは、時間とともに変化する物理的量、たとえば、サブフレーム番号でもある。したがって、第1の時間パラメータに従って決定されたスクランブリングコードも、時間とともに変化する。
【０１３０】
たとえば、代替的に、第1の時間パラメータは、時間とともに変化する別の物理的量、たとえば、サブフレーム番号であってもよく、本出願のこの実施形態における無線フレーム番号、タイムスロット番号、ハイパーフレーム番号、およびシンボル番号に限定されない。
【０１３１】
特に、図2に示されているように、図2は、LTEシステムにおける無線フレームのフレーム構造の概略図である。無線フレームは、別の通信システムでは別の名前を有していてもよい。
【０１３２】
ハイパーフレームは1つ以上の無線フレームを含む。
【０１３３】
たとえば、本出願のこの実施形態において、第1の時間パラメータは、無線フレーム番号、タイムスロット番号、ハイパーフレーム番号、およびシンボル番号のうちのいずれか1つであるか、または第1の時間パラメータは、第1の法による無線フレーム番号、タイムスロット番号、ハイパーフレーム番号、およびシンボル番号のうちのいずれか1つの剰余演算の結果得られる値であり、第1の法は、正整数である。
【０１３４】
たとえば、第1の法の値は2nであってもよく、ただし、nは正整数である。たとえば、第1の法の値は、2、4、8、16、32、64、128、256、または512であってもよい。代替的に、第1の法の値は、3、5、7、11、13、17、19、23、29、31、37、41、43、47、53、59、または61などの素数であってもよい。たとえば、第1の時間パラメータは、無線フレーム番号である。第1の時間パラメータは、第1の法による無線フレーム番号の剰余演算の結果得られる値である。したがって、そうする利点は、端末によるシステムメッセージ検出の複雑度が減ることにある。端末は、スクランブルされたシステムメッセージを検出するときに無線フレーム番号に関するすべての情報を知っていない可能性があるので、端末は、ブラインド検出を実行する必要がある。
【０１３５】
たとえば、システムメッセージがMIBである場合、NB-IoTにおいて、端末は、同期化メッセージを使用することによって、8を法とする無線フレーム番号の剰余演算の結果得られる値を知ってもよく、MIBの最小繰り返し周期は無線フレーム8個分である。したがって、第1の法が8であるときに、端末が無線フレーム番号に対してさらに多くのブラインド検出演算を実行することを防止されてもよく、良好な干渉防止利得が達成されうる。したがって、NT-IoTでは、第1の法は、通常、システムメッセージがMIBであるときに8に設定される。
【０１３６】
それに加えて、ステップ100において、基地局は第1の時間パラメータに従ってスクランブリングコードを生成する。特に、スクランブリングコードは、第1の時間パラメータに従って直接生成されてもよい。第1の時間パラメータは無線フレーム番号であると仮定すると、スクランブリングコードは2進法を使用することによって表される無線フレーム番号であってもよい。
【０１３７】
それに加えて、基地局は、2つの異なる実装形態において第1の時間パラメータに従ってスクランブリングコードを生成してもよい。可能な一実装形態は、基地局は、第1の時間パラメータに従ってスクランブリングコード初期化シードを生成し、次いで、スクランブリングコード初期化シードに従ってスクランブリングコードを生成する。可能な他の実装形態は、基地局は、第1の時間パラメータおよび第1の変数グループに従ってスクランブリングコード初期化シードを生成し、次いで、スクランブリングコード初期化シードに従ってスクランブリングコードを生成する。第1の変数グループはセルID、無線ネットワーク一時識別子RNTI、およびキャリア識別子のうちの少なくとも1つを含む。本出願のこの実施形態におけるスクランブリングコード初期化シードに従ってスクランブリングコードを生成する方式は従来技術のものに類似しているので、詳細はここでは説明されないことは理解されるべきである。
【０１３８】
基地局は、第1の時間パラメータに従ってスクランブリングコード初期化シードを生成する。特に、第1の時間パラメータは、無線フレーム番号nfであり、初期化スクランブリングコードシードcinitは、式cinit=nfを満たす。代替的に、第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数である。なお、cinit=nfは一例として使用されており、線形変形もcinit=nf上で実行されてもよい。nfが2進法を使用することによって表されている一例が、使用されている。この場合、スクランブリングコード初期化シードの数列長は予め設定された閾値以下であるという条件が満たされたときに、cinit=nfは、cinit=nf+Nに変形されてもよく、ただし、Nは予め設定された定数2進数列であり、またはcinit=nfは、cinit=2n・nf+Nに変形されてもよく、ただし、nはcinitにおいて定数2進数列Nによって占有されるビットの数である。代替的に、cinit=nfに対して実行されるものに似た変形は、cinit=nf mod kであるときに実行されてもよい。第1の時間パラメータがタイムスロット番号、ハイパーフレーム番号、またはシンボル番号であるときに使用される方式は、第1の時間パラメータが無線フレーム番号nfであるときに使用されるものに類似しており、詳細はここでは説明されないことは理解されるべきである。
【０１３９】
cinit=2n・nf+Nが一例として使用される。cinitの長さは16であり、nf=1011 0111、N=1100 0101、およびn=8と仮定する。この場合、cinitにおいて、nfは上位8ビットであり、Nは下位8ビットである。cinit=1011 0111 1100 0101。
【０１４０】
基地局は、第1の時間パラメータおよび第1の変数グループに従ってスクランブリングコード初期化シードを生成する。たとえば、第1の時間パラメータは、無線フレーム番号nfであり、第1の変数グループは、セルID
【数２１０】
2020507954.tif 000212
を含み、初期化スクランブリングコードシードcinitは、式
【数２１１】
2020507954.tif 000213
を満たし、a1はcinitにおいて、
【数２１２】
2020507954.tif 000214
によって占有されるビットの数であり、または初期化スクランブリングコードシードcinitは、式
【数２１３】
2020507954.tif 000215
を満たし、ただし、b1はcinitにおいてnfによって占有されるビットの数である。
【０１４１】
別の可能な実施例において、第1の時間パラメータは、第1の法kによる無線フレーム番号nfの剰余演算の結果得られる値であり、第1の変数グループは、セルID
【数２１４】
2020507954.tif 000216
を含み、初期化スクランブリングコードシードcinitは、式
【数２１５】
2020507954.tif 000217
を満たし、ただし、k=8であるか、kは素数であるか、もしくはkは8でも素数でもない正整数であり、a2はcinitにおいて、
【数２１６】
2020507954.tif 000218
によって占有されるビットの数であり、または初期化スクランブリングコードシードcinitは、式
【数２１７】
2020507954.tif 000219
を満たし、ただし、b2はcinitにおいて(nf mod k)によって占有されるビットの数である。
【０１４２】
別の可能な実施例において、第1の時間パラメータは、第1の法kによる無線フレーム番号nf(もしくは無線フレーム番号+ある整数)の剰余演算の結果得られる値であり、第1の変数グループは、セルID
【数２１８】
2020507954.tif 000220
を含み、初期化スクランブリングコードシードcinitは、式
【数２１９】
2020507954.tif 000221
もしくは
【数２２０】
2020507954.tif 000222
を満たし、ただし、hは整数であり、たとえば、hは0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数２２１】
2020507954.tif 000223
に等しいか、もしくは
【数２２２】
2020507954.tif 000224
に等しく、ただし、vは正整数であり、QはセルIDの関数であり、たとえば、セルIDに等しいか、もしくは0に等しく(公式の中にパラメータQがないことを意味する)、a3は非負整数であり、たとえば、cinitにおいてQにより占有されるビットの数に等しく、b3は非負整数であり、たとえば、cinitにおいて[(nf+h) mod k)+w]u・Pにより占有されるビットの数に等しい。
【０１４３】
この実施形態において、スクランブリングは、ビットレベルスクランブリングであってもよい。たとえば、mod-2加算は、スクランブリングコードおよびスクランブルされるべき情報に対して実行されてもよい。スクランブルされるべき情報は、システムメッセージもしくはシステムメッセージの一部であってもよく、または符号化されたシステムメッセージもしくは符号化されたシステムメッセージの一部であってもよい。
【０１４４】
この実施形態において、スクランブリングは、シンボルレベルスクランブリングであってもよい。たとえば、基地局は、最初に、スクランブリングコードをビット形式からシンボル形式にマッピングしてもよい。マッピング方法は限定されない。たとえば、BPSKもしくはQPSK変調または別の類似のマッピング方法が実行されてもよい。次いで、基地局は、点毎の積演算、点毎の共役積演算、または同様のものをシンボル形式のスクランブリングコードと、スクランブルされるべき情報とに実行する。スクランブルされるべき情報は、符号変調後に得られるシステムメッセージまたは符号変調後に得られるシステムメッセージの一部であってもよい。
【０１４５】
なお、本出願のこの実施形態において、
【数２２３】
2020507954.tif 000225
、nf、およびnf mod kは、すべて2進法を使用することによって表される。
【数２２４】
2020507954.tif 000226
は一例として使用されている。nfに
【数２２５】
2020507954.tif 000227
を掛けると、
【数２２６】
2020507954.tif 000228
はcinitにおいて下位a1ビットを占有する。
【０１４６】
なお、本出願のこの実施形態において、RNTI、タイムスロット番号、シンボル番号、ハイパーフレーム番号、セルID、キャリア識別子、および同様のものは、法による剰余演算の結果得られる値を使用することによってスクランブリングコード初期化シードの生成にすべて関与してもよい。特に、法は、素数または2の冪乗などの、正整数であってもよい。たとえば、
【数２２７】
2020507954.tif 000229
である。
【０１４７】
実施形態2
物理ダウンリンク共有チャネルにおけるSIB1などの第1のメッセージについては、図3に示されているように、本出願のこの実施形態におけるメッセージ送信方法は、次のステップを含む。
【０１４８】
ステップ300:基地局は、第1のパラメータに従ってスクランブリングコードを生成し、第1のパラメータは、無線フレーム番号、もしくは第1の法による無線フレーム番号の剰余演算の結果得られる値を含み、第1の法は、3以上の正整数である。
【０１４９】
たとえば、本出願のこの実施形態における無線フレーム番号は、第1のメッセージを送信するための開始位置が配置される無線フレーム番号であってもよく、または無線フレーム番号は、第1のメッセージを送信するための最後の位置が配置される無線フレーム番号、または同様のものであってもよい。タイムスロット番号、ハイパーフレーム番号、およびシンボル番号の場合はこれに類似しており、ここでは説明されない。
【０１５０】
なお、本出願のこの実施形態において、無線フレーム番号は時間とともに変化し、基地局によって生成されるスクランブリングコードは、第1のパラメータに従って決定される。第1のパラメータは、無線フレーム番号、もしくは第1の法による無線フレーム番号の剰余演算の結果得られる値を含み、第1の法は、3以上の正整数である。したがって、決定されたスクランブリングコードに対して少なくとも3つの異なる時点があり、少なくとも3つの異なる時点で基地局によって生成されたスクランブリングコードは、異なる。第1のメッセージは、スクランブリングコードに従ってスクランブルされる。したがって、第1のメッセージの伝送における干渉防止能力は、本出願のこの実施形態に従って改善される。
【０１５１】
たとえば、第1のメッセージはSIB1である。NB-IoTにおいて、SIB1を伝える無線フレーム番号は、偶数個数の無線フレーム番号によって分離される。したがって、第1の法が3以上である正整数であるときに、第1の法による時間に関して変化する無線フレーム番号の剰余演算の結果から得られる値に対して少なくとも3つの異なる値がある。
【０１５２】
ステップ310:基地局は、スクランブリングコードに従って第1のメッセージをスクランブルする。
【０１５３】
特に、第1のメッセージは完全なシステムメッセージであってもよく、または完全なシステムメッセージの一部であってもよい。代替的に、第1のメッセージは符号化されたシステムメッセージであってもよく、または符号化されたシステムメッセージの一部であってもよい。なお、代替的に、第1のメッセージは符号化前のシステムメッセージであってもよく、または符号化前のシステムメッセージの一部であってもよい。たとえば、完全なシステムメッセージがSIB1であるときに、本出願のこの実施形態における第1のメッセージはSIB1であってもよく、特に、第1のメッセージは符号化されたSIB1であってもよく、または符号化されていないSIB1であってもよい。代替的に、第1のメッセージは、SIB1の一部であってもよく、特に、第1のメッセージは符号化されたSIB1の一部であってもよく、または符号化されていないSIB1の一部であってもよい。
【０１５４】
ステップ320:基地局は、スクランブルされた第1のメッセージを第1のチャネル上で端末に送信する。
【０１５５】
本出願のこの実施形態において、第1のチャネルは物理ダウンリンク共有チャネルであってもよい。
【０１５６】
それに加えて、本出願のこの実施形態は、物理ダウンリンク共有チャネルに加えたチャネル、たとえば、PUSCH、PDCCH、PUCCH、PCFICH、PMCH、またはPRACHなどのチャネルに適用されてもよい。チャネルの名前は、すべて、LTEの従来の命名規則に従って提供されるが、チャネルは、別の通信システムでは他の名前を有していてもよい。たとえば、物理ダウンリンク共有チャネルは、NB-IoTではNPDSCH(Narrowband Physical Downlink Shared Channel、狭帯域物理ダウンリンク共有チャネル)と名付けられる。詳細は、ここでは説明されない。
【０１５７】
ステップ330:端末は、第1のパラメータを決定する。
【０１５８】
特に、スクランブルされた第1のメッセージを端末に送信する前に、基地局は、同期化メッセージを端末に送信する。同期化メッセージは、第1のパラメータに関する情報(または第1のパラメータに関する情報の一部、たとえば、第1のパラメータがNB-IoTシステムにおける無線フレーム番号のみを含むときに、端末は、同期化メッセージを使用して法8による無線フレーム番号の剰余演算の結果得られる値を決定してもよい)を指示するために使用されてもよい。第1のパラメータは、基地局がスクランブリングコードを生成するときのベースとして使用されるパラメータである。スクランブリングコードは、システムメッセージをスクランブルするために基地局によって使用されるスクランブリングコードである。端末は、基地局によって送信される同期化メッセージに従って第1のパラメータを決定する。端末が第1のパラメータを決定するステップ130は、ステップ120の前に実行されてもよく、またはステップ120の後に実行されてもよい。代替的に、ステップ130およびステップ120は、同時に実行されてもよい。
【０１５９】
ステップ340:端末は、スクランブルされた第1のメッセージを第1のチャネル上で受信する。
【０１６０】
第1のチャネルが物理ダウンリンク共有チャネルである一例において、基地局がスクランブルされたシステムメッセージを物理ダウンリンク共有チャネル上で送信したときに、端末は、スクランブルされたシステムメッセージを物理ダウンリンク共有チャネル上で受信することは理解されるべきである。
【０１６１】
ステップ350:端末は、第1のパラメータに従ってスクランブリングコードを生成する。
【０１６２】
端末が第1のパラメータに従ってスクランブリングコードを生成する方式は、基地局が第1のパラメータに従ってスクランブリングコードを生成する方式に類似している。本出願のこの実施形態において、基地局が第1のパラメータに従ってスクランブリングコードを生成する方式は、詳細に説明される。端末が第1のパラメータに従ってスクランブリングコードを生成する方式については、基地局が本出願のこの実施形態における第1のパラメータに従ってスクランブリングコードを生成する方式を参照されたい。
【０１６３】
なお、ステップ340およびステップ330に対する、ならびにステップ340およびステップ350に対する確定した順序はなく、ステップ330はステップ350の前に実行される。
【０１６４】
ステップ360:端末は、スクランブリングコードに従って、受信されたスクランブルされた第1のメッセージを逆スクランブルする。
【０１６５】
本出願のこの実施形態において、第1の法の値は2nであってもよく、ただし、nは1より大きい正整数である。たとえば、第1の法の値は、4、8、16、32、64、128、256、または512であってもよい。代替的に、第1の法の値は、5、7、11、13、17、19、23、29、31、37、41、43、47、53、59、または61などの、3以上の素数であってもよい。
【０１６６】
さらに、無線フレーム番号または第1の法による無線フレーム番号の剰余演算の結果得られる値のいずれかに加えて、第1のパラメータは、RNTI(Radio Network Temporary Identifier、無線ネットワーク一時識別子)、タイムスロット番号、シンボル番号、セルID、およびキャリア識別子のうちの少なくとも1つを含んでもよい。
【０１６７】
第1のメッセージがシステムメッセージであるときに、RNTIはSI-RNTIであってもよい。
【０１６８】
たとえば、第1のパラメータは、無線フレーム番号を含む。スクランブリングコードは、無線フレーム番号に従って生成されるので、第1のパラメータに従って生成されるスクランブリングコードも時間とともに変化し、したがって、第1のメッセージの送信における干渉防止能力が高められる。本出願のこの実施形態において、第1の法は3以上の正整数であるので、少なくとも3つの異なる値が、第1の法による異なる無線フレーム番号の剰余演算の結果得られる。したがって、第1のパラメータに従って生成される少なくとも3つのスクランブリングコードは異なり、それによって、無線フレーム番号がスクランブリングコード初期化シードの生成をよりランダムにすることができる。
【０１６９】
第1のパラメータが第1の法による無線フレーム番号の剰余演算の結果得られる値を含むときに、得られたスクランブリングコードのビットの数は、より容易にビットの予め設定された最大数以下になる。第1の法が3以上の素数であるときに、素数の特徴を使用することによって第1のメッセージを送信する際のより良い干渉防止能力が達成されうる。
【０１７０】
たとえば、素数5は、正確に5および1のみで割ることができる。したがって、第1の法が素数であるときに、第1の法による異なる無線フレーム番号の剰余演算の結果得られる異なる値の数は、第1の法が非素数であるときに得られる値より大きい。したがって、第1の法が素数であるときに、第1のメッセージを送信する際のより良い干渉防止能力が達成されうる。
【０１７１】
ステップ300において、基地局は第1のパラメータに従ってスクランブリングコードを生成する。特に、スクランブリングコードは、第1のパラメータに従って直接生成されてもよい。第1のパラメータは無線フレーム番号のみを含むと仮定すると、スクランブリングコードは2進法を使用することによって表される無線フレーム番号であってもよい。第1のパラメータは、第1の法による無線フレーム番号の剰余演算の結果得られる値のみを含むと仮定すると、スクランブリングコードは第1の法による2進法を使用することによって表される無線フレーム番号の剰余演算の結果得られる値であってもよい。
【０１７２】
それに加えて、基地局は、2つの異なる実装形態において第1のパラメータに従ってスクランブリングコードを生成してもよい。可能な一実装形態は、基地局は、第1のパラメータに従ってスクランブリングコード初期化シードを生成し、次いで、スクランブリングコード初期化シードに従ってスクランブリングコードを生成する。第1のパラメータは、無線フレーム番号のみを含むか、または第1の法による無線フレーム番号の剰余演算の結果得られる値のみを含む。可能な他の実装形態は、スクランブリングコードを生成する、前述の可能な実装形態と同じステップを含む。基地局は、第1のパラメータに従ってスクランブリングコード初期化シードを生成し、次いで、スクランブリングコード初期化シードに従ってスクランブリングコードを生成する。しかしながら、無線フレーム番号または第1の法による無線フレーム番号の剰余演算の結果得られる値のいずれかに加えて、第1のパラメータは、RNTI、タイムスロット番号、シンボル番号、セルID、およびキャリア識別子のうちの少なくとも1つを含む。
【０１７３】
特に、実施例1において、第1のパラメータは、無線フレーム番号nfのみを含み、初期化スクランブリングコードシードcinitは、式cinit=nfを満たすか、または第1のパラメータは、第1の法kによる無線フレーム番号nfの剰余演算の結果得られる値のみを含み、スクランブリングコード初期化シードcinitは、式cinit=nf mod kを満たす。なお、cinit=nfは一例として使用されており、線形変形もcinit=nf上で実行されてもよい。nfが2進法を使用することによって表されている一例が、使用されている。この場合、スクランブリングコード初期化シードの数列長は予め設定された閾値以下であるという条件が満たされたときに、cinit=nfはcinit=nf+Nに変形されてもよく、ただし、Nは予め設定された定数2進数列であり、またはcinit=nfは、cinit=2n・nf+Nに変形されてもよく、ただし、nはcinitにおいて定数2進数列Nによって占有されるビットの数である。代替的に、cinit=nfに対して実行されるものに似た変形は、cinit=nf mod kであるときに実行されるものとしてよい。詳細は、ここでは再び説明されない。
【０１７４】
cinit=2n・nf+Nが一例として使用される。cinitの長さは16であり、nf=1011 0111、N=1100 0101、およびn=8と仮定する。この場合、cinitにおいて、nfは上位8ビットであり、Nは下位8ビットである。cinit=1011 0111 1100 0101。
【０１７５】
実施例2:第1のパラメータは、第1の法kによる無線フレーム番号nfの剰余演算の結果得られる値と、無線ネットワーク一時識別子nRNTIと、タイムスロット番号nsと、セルID
【数２２８】
2020507954.tif 000230
とを含み、スクランブリングコード初期化シードcinitは、式
【数２２９】
2020507954.tif 000231
を満たし、ただし、a1はcinitにおいて(nf mod k)、
【数２３０】
2020507954.tif 000232
、および
【数２３１】
2020507954.tif 000233
によって占有されるビットの数の総和であり、b1はcinitにおいて、
【数２３２】
2020507954.tif 000234
および
【数２３３】
2020507954.tif 000235
によって占有されるビットの数の総和であり、c1はcinitにおいて、
【数２３４】
2020507954.tif 000236
によって占有されるビットの数である。
【０１７６】
たとえば、cinitは16ビット以下である2進数列であり、nRNTI=1011、(nf mod k)=0001、
【数２３５】
2020507954.tif 000237
、および
【数２３６】
2020507954.tif 000238
であると仮定する。この場合、a1=12、b1=8、およびc1=4である。
【数２３７】
2020507954.tif 000239
なので、cinit=1011 0001 0101 1010である。すなわち、nRNTIはcinitにおいて最上位4ビットを占有し、(nf mod k)はcinitにおいて上位4ビットを占有し、
【数２３８】
2020507954.tif 000240
はcinitにおいて下位4ビットを占有し、
【数２３９】
2020507954.tif 000241
は最下位4ビットを占有する。
【０１７７】
なお、この実施形態において、cinitにおいてnRNTI、(nf mod k)、
【数２４０】
2020507954.tif 000242
、および
【数２４１】
2020507954.tif 000243
によってそれぞれ占有される特定のビットは、交換されてもよい。これは、本出願において限定されない。たとえば、
【数２４２】
2020507954.tif 000244
である。この場合、cinitが16ビット以下の2進数列であり、a1=12、b1=8、c1=4であれば、nRNTIはcinitにおいて最下位4ビットを占有し、(nf mod k)はcinitにおいて下位4ビットを占有し、
【数２４３】
2020507954.tif 000245
はcinitにおいて上位4ビットを占有し、
【数２４４】
2020507954.tif 000246
は最上位4ビットを占有する。
【０１７８】
実施例3:第1のパラメータは、無線フレーム番号nfと、タイムスロット番号nsと、セルID
【数２４５】
2020507954.tif 000247
とを含み、スクランブリングコード初期化シードcinitは、式
【数２４６】
2020507954.tif 000248
を満たし、ただし、b2はcinitにおいて
【数２４７】
2020507954.tif 000249
および
【数２４８】
2020507954.tif 000250
によって占有されるビットの数の総和であり、c2はcinitにおいて、
【数２４９】
2020507954.tif 000251
によって占有されるビットの数である。
【０１７９】
実施例4:第1のパラメータは、第1の法kによる無線フレーム番号nfの剰余演算の結果得られる値と、タイムスロット番号nsと、セルID
【数２５０】
2020507954.tif 000252
とを含み、スクランブリングコード初期化シードcinitは、式
【数２５１】
2020507954.tif 000253
を満たし、ただし、b3はcinitにおいて
【数２５２】
2020507954.tif 000254
および
【数２５３】
2020507954.tif 000255
によって占有されるビットの数の総和であり、c3はcinitにおいて、
【数２５４】
2020507954.tif 000256
によって占有されるビットの数である。
【０１８０】
実施例5:第1のパラメータは、無線ネットワーク一時識別子nRNTIと、第1の法kによる無線フレーム番号nfの剰余演算の結果得られる値と、セルID
【数２５５】
2020507954.tif 000257
とを含み、スクランブリングコード初期化シードcinitは、式
【数２５６】
2020507954.tif 000258
を満たし、ただし、a4はcinitにおいて(nf mod k)および
【数２５７】
2020507954.tif 000259
によって占有されるビットの数の総和であり、b4はcinitにおいて、
【数２５８】
2020507954.tif 000260
によって占有されるビットの数である。
【０１８１】
実施例6:第1のパラメータは、セルID
【数２５９】
2020507954.tif 000261
と、第1の法kによる無線フレーム番号nfの剰余演算の結果得られる値とを含み、スクランブリングコード初期化シードcinitは、式
【数２６０】
2020507954.tif 000262
を満たし、ただし、b5はcinitにおいて
【数２６１】
2020507954.tif 000263
によって占有されるビットの数である。
【０１８２】
実施例7:第1のパラメータは、無線フレーム番号nfと、セルID
【数２６２】
2020507954.tif 000264
とを含み、スクランブリングコード初期化シードcinitは、式
【数２６３】
2020507954.tif 000265
を満たし、ただし、b6はcinitにおいて
【数２６４】
2020507954.tif 000266
によって占有されるビットの数である。
【０１８３】
実施例8:第1のパラメータは、無線ネットワーク一時識別子nRNTI、第1の法kによる無線フレーム番号nfの剰余演算の結果得られる値、タイムスロット番号ns、およびセルID
【数２６５】
2020507954.tif 000267
のうちの少なくとも1つを含み、初期化スクランブリングコードシードcinitは、式
【数２６６】
2020507954.tif 000268
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数２６７】
2020507954.tif 000269
に等しいか、もしくは
【数２６８】
2020507954.tif 000270
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、b3はcinitにおいてHおよびQにより占有されるビットの数の総和に等しく、c7は非負整数であり、たとえば、cinitにおいてQにより占有されるビットの数に等しい。
【０１８４】
なお、実施例3から実施例8は、実施例2に類似している。本出願のこの実施形態において、第1のパラメータに含まれる変数によってcinitにおいて占有される上位ビットおよび下位ビットは、交換されてもよい。実施例1から実施例8は、本出願のこの実施形態の技術的解決方法を説明するための例にすぎず、本出願のこの実施形態の技術的解決方法を制限することを意図されていない。
【０１８５】
なお、第1のパラメータは、シンボル番号、ハイパーフレーム番号、およびキャリア識別子のうちの少なくとも1つをさらに含んでもよい。本出願のこの実施形態において、RNTI、タイムスロット番号、シンボル番号、ハイパーフレーム番号、セルID、キャリア識別子、および同様のものは、法による剰余演算の結果得られる値を使用することによってスクランブリングコード初期化シードの生成にすべて関与してもよい。特に、法は、素数または2の冪乗であってもよい。たとえば、第1のパラメータは、無線フレーム番号nfと、セルID
【数２６９】
2020507954.tif 000271
とを含み、スクランブリングコード初期化シードcinitは、式
【数２７０】
2020507954.tif 000272
を満たし、ただし、b6はcinitにおいて
【数２７１】
2020507954.tif 000273
によって占有されるビットの数である。
【０１８６】
本出願のこの実施形態の可能な実装形態において、基地局は、端末に、第1のチャネル/第1の情報をスクランブルする方式を指示するために使用される指示情報を送信する。
【０１８７】
特に、基地局が、端末に、第1のチャネル/第1の情報をスクランブルする方式を指示するために使用される指示情報を送信することは、次のことを含む。指示情報は、第1のチャネル/第1の情報のスクランブリングコード初期化シードを決定する方式および/またはスクランブリングコード初期化方法を指示するために使用されてもよい。
【０１８８】
特に、スクランブリングコード初期化方法は、スクランブリングコード長およびスクランブリングコード初期化頻度/周期のうちの少なくとも1つを含む。
【０１８９】
指示情報は、システムメッセージ(MIBまたはSIB)内に配置され、PBCHまたはPDSCHを使用することによって基地局により端末に送信されてもよい。
【０１９０】
たとえば、第1のメッセージはSIB1などのシステムメッセージであり、第1のチャネルはPDSCHである。指示情報は、システムメッセージMIB内に配置され、PBCHで伝送されてもよい。
【０１９１】
たとえば、指示情報は、2つの2進値0および1を含んでもよく、指示情報の異なる値は、第1のチャネル/第1の情報をスクランブルする異なる方式に対応していてもよい。たとえば、0はスクランブリングコード初期化シードを決定するための方法1を示し、1はスクランブリングコード初期化シードを決定するための方法2を示す。
【０１９２】
たとえば、指示情報は、第1のチャネル/第1の情報をスクランブルするM個の方式にそれぞれ対応している、たとえば、第1のチャネル/第1の情報のスクランブリングコード初期化シードを決定するためのM個の方法にそれぞれ対応してもよい4個の2進値00、01、10、および11を含んでもよい。Mの値の範囲は{1, 2, 3, 4}である。M<4のときに、4つの状態00、01、10、および11のうちの少なくとも1つが選択的に使用されてもよい。
【０１９３】
前述の例において、指示情報は、値の別の個数を含んでもよく、詳細は、ここでは説明されない。
【０１９４】
同じ発明概念によれば、本発明の実施形態は、図4aに示されている基地局と、図5aに示されている端末と、図6に示されている通信システムとをさらに提供する。図4aに示されている基地局、図5aに示されている端末、および図6に示されている通信システムに対応する方法は、本出願の実施形態における図1に示されているメッセージ伝送方法である。したがって、本出願の実施形態において、図4aに示されている基地局、図5aに示されている端末、および図6に示されている通信システムの実装形態については、図1に示されている方法の実装形態を参照されたい。説明は繰り返されない。
【０１９５】
図4aに示されているように、本出願の実施形態における基地局400aは、処理モジュール410aと送信モジュール420aとを備える。処理モジュール410aは、第1の時間パラメータに従ってスクランブリングコードを生成し、スクランブリングコードに従ってシステムメッセージをスクランブルするように構成される。送信モジュール420aは、端末に物理ブロードキャストチャネル上で、処理モジュール410aによってスクランブルされたシステムメッセージを送信するように構成される。
【０１９６】
可能な実装形態において、第1の時間パラメータは、無線フレーム番号、タイムスロット番号、ハイパーフレーム番号、およびシンボル番号のうちの少なくとも1つの関数である。
【０１９７】
可能な実装形態において、第1の時間パラメータは、無線フレーム番号、タイムスロット番号、ハイパーフレーム番号、およびシンボル番号のうちのいずれか1つである。
【０１９８】
代替的に、第1の時間パラメータは、第1の法による無線フレーム番号、タイムスロット番号、ハイパーフレーム番号、およびシンボル番号のうちのいずれか1つの剰余演算の結果得られる値であり、第1の法は、正整数である。
【０１９９】
可能な実装形態において、nが3に等しくない正整数である場合に第1の法は2nであるか、または第1の法は8であるか、または第1の法は素数である。
【０２００】
処理モジュール410aが第1の時間パラメータに従ってスクランブリングコードを生成する可能な実装形態は、
第1の時間パラメータおよび第1の変数グループに従ってスクランブリングコード初期化シードを生成し、スクランブリングコード初期化シードに従ってスクランブリングコードを生成することであり、第1の変数グループはセルID、無線ネットワーク一時識別子RNTI、およびキャリア識別子のうちの少なくとも1つを含む。
【０２０１】
処理モジュール410aが第1の時間パラメータに従ってスクランブリングコードを生成する別の可能な実装形態は、
第1の時間パラメータに従ってスクランブリングコード初期化シードを生成し、スクランブリングコード初期化シードに従ってスクランブリングコードを生成することである。
【０２０２】
本出願のこの実施形態は、基地局が第1の時間パラメータに従ってスクランブリングコード初期化シードを生成するいくつかの可能な実装形態をさらに提供する。
【０２０３】
第1の時間パラメータは、無線フレーム番号nfであり、初期化スクランブリングコードシードcinitは、式cinit=nfを満たすか、または
第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数であり、または
第1の時間パラメータは、無線フレーム番号nfであり、第1の変数グループは、セルID
【数２７２】
2020507954.tif 000274
を含み、初期化スクランブリングコードシードcinitは、式
【数２７３】
2020507954.tif 000275
もしくは
【数２７４】
2020507954.tif 000276
を満たし、ただし、a1はcinitにおいて
【数２７５】
2020507954.tif 000277
により占有されるビットの数であり、b1はcinitにおいてnfにより占有されるビットの数であり、または
第1の時間パラメータは、第1の法kによる無線フレーム番号nfの剰余演算の結果得られる値であり、第1の変数グループは、セルID
【数２７６】
2020507954.tif 000278
を含み、初期化スクランブリングコードシードcinitは、式
【数２７７】
2020507954.tif 000279
もしくは
【数２７８】
2020507954.tif 000280
を満たし、ただし、k=8であるか、kは素数であるか、もしくはkは8でも素数でもない正整数であり、a2はcinitにおいて
【数２７９】
2020507954.tif 000281
により占有されるビットの数であり、b2はcinitにおいて(nf mod k)により占有されるビットの数である。
【０２０４】
なお、本出願のこの実施形態において、処理モジュール410aはプロセッサによって実装されてもよく、送信モジュール420aはトランシーバによって実装されてもよい。図4bに示されているように、基地局400bは、プロセッサ410bと、トランシーバ420bと、メモリ430bとを備えてもよい。メモリ430bは、基地局400bが工場から配送されるときに予めインストールされたプログラム/コードを記憶するように構成されてもよく、またはプロセッサ410bによって実行されるコード、もしくは同様のものを記憶してもよい。
【０２０５】
プロセッサ410bは、汎用CPU(Central Processing Unit、中央演算処理装置)、マイクロプロセッサ、ASIC(Application Specific Integrated Circuit、特定用途向け集積回路)、または1つ以上の集積回路であってもよく、本出願のこの実施形態において提供される技術的解決方法を実装するために、関係する演算を実行するように構成される。
【０２０６】
なお、プロセッサ410b、トランシーバ420b、およびメモリ430bのみが図4bに示されている基地局400bにおいて図示されているが、特定の実装プロセスにおいて、当業者であれば、基地局400bが通常実行を実装するのに必要な別のデバイスをさらに備えることを理解するはずである。それに加えて、当業者であれば、特定の要件に応じて、基地局400bは、別の追加の機能を実装するハードウェアデバイスをさらに備えてもよいことを理解するはずである。それに加えて、当業者であれば、基地局400bは、本出願のこの実施形態を実装するのに必要なデバイスもしくはモジュールのみを備えてもよいが、必ずしも図4bに示されているすべてのデバイスを備えるわけではないことを理解するはずである。
【０２０７】
当業者であれば、これらの実施形態における方法のプロセスの全部または一部が関連するハードウェアに命令を送るコンピュータプログラムによって実装されてもよいことを理解しうる。プログラムは、コンピュータ可読記憶媒体に記憶されてもよい。プログラムが実行されるときに、これらの実施形態における方法のプロセスが含まれてもよい。前述の記憶媒体は、磁気ディスク、光ディスク、ROM(Read-Only Memory、読取り専用メモリ)、RAM(Random Access Memory、ランダムアクセスメモリ)、または同様のものであってもよい。
【０２０８】
図5aに示されているように、本出願の実施形態における端末500aは、処理モジュール510aと受信モジュール520aとを備える。処理モジュール510aは、第1の時間パラメータを決定するように構成される。受信モジュール520aは、スクランブルされたシステムメッセージを物理ブロードキャストチャネル上で受信するように構成される。処理モジュール510aは、第1の時間パラメータに従ってスクランブリングコードを生成し、スクランブリングコードに従って、受信モジュール520aによって受信されたスクランブルされたシステムメッセージを逆スクランブルするようにさらに構成される。
【０２０９】
可能な実装形態において、第1の時間パラメータは、無線フレーム番号、タイムスロット番号、ハイパーフレーム番号、およびシンボル番号のうちの少なくとも1つの関数である。
【０２１０】
可能な実装形態において、第1の時間パラメータは、無線フレーム番号、タイムスロット番号、ハイパーフレーム番号、およびシンボル番号のうちのいずれか1つである。
【０２１１】
代替的に、第1の時間パラメータは、第1の法による無線フレーム番号、タイムスロット番号、ハイパーフレーム番号、およびシンボル番号のうちのいずれか1つの剰余演算の結果得られる値であり、第1の法は、正整数である。
【０２１２】
可能な実装形態において、nが3に等しくない正整数である場合に第1の法は2nであるか、または第1の法は8であるか、または第1の法は素数である。
【０２１３】
処理モジュール510aが第1の時間パラメータに従ってスクランブリングコードを生成する可能な実装形態は、
第1の時間パラメータおよび第1の変数グループに従ってスクランブリングコード初期化シードを生成し、スクランブリングコード初期化シードに従ってスクランブリングコードを生成することであり、第1の変数グループはセルID、無線ネットワーク一時識別子RNTI、およびキャリア識別子のうちの少なくとも1つを含む。
【０２１４】
処理モジュール510aが第1の時間パラメータに従ってスクランブリングコードを生成する別の可能な実装形態は、
第1の時間パラメータに従ってスクランブリングコード初期化シードを生成し、スクランブリングコード初期化シードに従ってスクランブリングコードを生成することである。
【０２１５】
本出願のこの実施形態は、基地局が第1の時間パラメータに従ってスクランブリングコード初期化シードを生成するいくつかの可能な実装形態をさらに提供する。
【０２１６】
第1の時間パラメータは、無線フレーム番号nfであり、初期化スクランブリングコードシードcinitは、式cinit=nfを満たすか、または
第1の時間パラメータは、第1の法kによる無線フレーム番号nfの剰余演算の結果得られる値であり、初期化スクランブリングコードシードcinitは、式cinit=nf mod kを満たし、ただし、k=8であるか、kは素数であるか、もしくはkは8でも素数でもない正整数であり、または
第1の時間パラメータは、無線フレーム番号nfであり、第1の変数グループは、セルID
【数２８０】
2020507954.tif 000282
を含み、初期化スクランブリングコードシードcinitは、式
【数２８１】
2020507954.tif 000283
もしくは
【数２８２】
2020507954.tif 000284
を満たし、ただし、a1はcinitにおいて
【数２８３】
2020507954.tif 000285
により占有されるビットの数であり、b1はcinitにおいてnfにより占有されるビットの数であり、または
第1の時間パラメータは、第1の法kによる無線フレーム番号nfの剰余演算の結果得られる値であり、第1の変数グループは、セルID
【数２８４】
2020507954.tif 000286
を含み、初期化スクランブリングコードシードcinitは、式
【数２８５】
2020507954.tif 000287
もしくは
【数２８６】
2020507954.tif 000288
を満たし、ただし、k=8であるか、kは素数であるか、もしくはkは8でも素数でもない正整数であり、a2はcinitにおいて
【数２８７】
2020507954.tif 000289
により占有されるビットの数であり、b2はcinitにおいて(nf mod k)により占有されるビットの数である。
【０２１７】
なお、本出願のこの実施形態において、処理モジュール510aはプロセッサによって実装されてもよく、受信モジュール520aはトランシーバによって実装されてもよい。図5bに示されているように、端末500bは、プロセッサ510bと、トランシーバ520bと、メモリ530bとを備えてもよい。メモリ530bは、端末500bが工場から配送されるときに予めインストールされたプログラム/コードを記憶するように構成されてもよく、またはプロセッサ510bによって実行されるコード、もしくは同様のものを記憶してもよい。
【０２１８】
プロセッサ510bは、汎用CPU、マイクロプロセッサ、ASIC、または1つ以上の集積回路であってもよく、本出願のこの実施形態において提供される技術的解決方法を実装するために、関係する演算を実行するように構成される。
【０２１９】
なお、プロセッサ510b、トランシーバ520b、およびメモリ530bのみが図5bに示されている端末500bにおいて図示されているが、特定の実装プロセスにおいて、当業者であれば、端末500bが通常実行を実装するのに必要な別のデバイスをさらに備えることを理解するはずである。それに加えて、当業者であれば、特定の要件に応じて、端末500bは、別の追加の機能を実装するハードウェアデバイスをさらに備えてもよいことを理解するばずである。それに加えて、当業者であれば、端末500bは、本出願のこの実施形態を実装するのに必要なデバイスもしくはモジュールのみを備えてもよいが、必ずしも図5bに示されているすべてのデバイスを備えるわけではないことを理解するはずである。
【０２２０】
当業者であれば、これらの実施形態における方法のプロセスの全部または一部が関連するハードウェアに命令を送るコンピュータプログラムによって実装されてもよいことを理解しうる。プログラムは、コンピュータ可読記憶媒体に記憶されてもよい。プログラムが実行されるときに、これらの実施形態における方法のプロセスが含まれてもよい。前述の記憶媒体は、磁気ディスク、光ディスク、ROM、RAM、または同様のものであってもよい。
【０２２１】
図6に示されているように、本出願の実施形態における通信システム600は、図4aに示されている基地局400aと図5aに示されている端末500aとを備える。
【０２２２】
同じ発明概念によれば、本発明の実施形態は、図7aに示されている基地局と、図8aに示されている端末と、図9に示されている通信システムとをさらに提供する。図7aに示されている基地局、図8aに示されている端末、および図9に示されている通信システムに対応する方法は、本出願の実施形態における図3に示されているメッセージ伝送方法である。したがって、本出願の実施形態において、図7aに示されている基地局、図8aに示されている端末、および図9に示されている通信システムの実装形態については、図3に示されている方法の実装形態を参照されたい。説明は繰り返されない。
【０２２３】
図7aに示されているように、本出願の実施形態における基地局700aは、処理モジュール710aと送信モジュール720aとを備える。処理モジュール710aは、第1のパラメータに従ってスクランブリングコードを生成し、スクランブリングコードに従って第1のメッセージをスクランブルするように構成される。第1のパラメータは、無線フレーム番号、もしくは第1の法による無線フレーム番号の剰余演算の結果得られる値を含み、第1の法は、3以上の正整数である。送信モジュール720aは、スクランブルされた第1のメッセージを第1のチャネル上で端末に送信するように構成される。
【０２２４】
可能な実装形態において、第1のメッセージはシステムメッセージであるか、または第1のメッセージはシステムメッセージの一部であるか、または第1のメッセージは符号化されたシステムメッセージであるか、または第1のメッセージは符号化されたシステムメッセージの一部である。第1のチャネルは、物理ダウンリンク共有チャネルまたは物理ブロードキャストチャネルである。
【０２２５】
可能な実装形態において、無線フレーム番号または第1の法による無線フレーム番号の剰余演算の結果得られる値に加えて、第1のパラメータは、無線ネットワーク一時識別子RNTI、タイムスロット番号、シンボル番号、セルID、およびキャリア識別子のうちの少なくとも1つを含む。
【０２２６】
可能な実装形態において、nが1より大きい正整数である場合に第1の法は2nであるか、または第1の法は、3以上の素数である。
【０２２７】
処理モジュール710aが第1のパラメータに従ってスクランブリングコードを生成する可能な実装形態は、
第1のパラメータに従ってスクランブリングコード初期化シードを生成し、スクランブリングコード初期化シードに従ってスクランブリングコードを生成することである。
【０２２８】
本出願のこの実施形態は、基地局が第1の時間パラメータに従ってスクランブリングコード初期化シードを生成するいくつかの可能な実装形態をさらに提供する。
【０２２９】
第1のパラメータは、第1の法kによる無線フレーム番号nfの剰余演算の結果得られる値と、無線ネットワーク一時識別子nRNTIと、タイムスロット番号nsと、セルID
【数２８８】
2020507954.tif 000290
とを含み、スクランブリングコード初期化シードcinitは、式
【数２８９】
2020507954.tif 000291
を満たし、ただし、a1はcinitにおいて(nf mod k)、
【数２９０】
2020507954.tif 000292
、および
【数２９１】
2020507954.tif 000293
によって占有されるビットの数の総和であり、b1はcinitにおいて、
【数２９２】
2020507954.tif 000294
および
【数２９３】
2020507954.tif 000295
によって占有されるビットの数の総和であり、c1はcinitにおいて、
【数２９４】
2020507954.tif 000296
によって占有されるビットの数であり、または
第1のパラメータは、無線フレーム番号nfと、タイムスロット番号nsと、セルID
【数２９５】
2020507954.tif 000297
とを含み、スクランブリングコード初期化シードcinitは、式
【数２９６】
2020507954.tif 000298
を満たし、ただし、b2はcinitにおいて
【数２９７】
2020507954.tif 000299
および
【数２９８】
2020507954.tif 000300
によって占有されるビットの数の総和であり、c2はcinitにおいて、
【数２９９】
2020507954.tif 000301
によって占有されるビットの数であり、または
第1のパラメータは、第1の法kによる無線フレーム番号nfの剰余演算の結果得られる値と、タイムスロット番号nsと、セルID
【数３００】
2020507954.tif 000302
とを含み、スクランブリングコード初期化シードcinitは、式
【数３０１】
2020507954.tif 000303
を満たし、ただし、b3はcinitにおいて
【数３０２】
2020507954.tif 000304
および
【数３０３】
2020507954.tif 000305
によって占有されるビットの数の総和であり、c3はcinitにおいて、
【数３０４】
2020507954.tif 000306
によって占有されるビットの数であり、または
第1のパラメータは、無線ネットワーク一時識別子nRNTIと、第1の法kによる無線フレーム番号nfの剰余演算の結果得られる値と、セルID
【数３０５】
2020507954.tif 000307
とを含み、スクランブリングコード初期化シードcinitは、式
【数３０６】
2020507954.tif 000308
を満たし、ただし、a4はcinitにおいて(nf mod k)および
【数３０７】
2020507954.tif 000309
によって占有されるビットの数の総和であり、b4はcinitにおいて、
【数３０８】
2020507954.tif 000310
によって占有されるビットの数であり、または
第1のパラメータは、セルID
【数３０９】
2020507954.tif 000311
と、第1の法kによる無線フレーム番号nfの剰余演算の結果得られる値とを含み、スクランブリングコード初期化シードcinitは、式
【数３１０】
2020507954.tif 000312
を満たし、ただし、b5はcinitにおいて、
【数３１１】
2020507954.tif 000313
によって占有されるビットの数であり、または
第1のパラメータは、無線フレーム番号nfと、セルID
【数３１２】
2020507954.tif 000314
とを含み、スクランブリングコード初期化シードcinitは、式
【数３１３】
2020507954.tif 000315
を満たし、ただし、b6はcinitにおいて
【数３１４】
2020507954.tif 000316
によって占有されるビットの数である。
【０２３０】
なお、本出願のこの実施形態において、処理モジュール710aはプロセッサによって実装されてもよく、送信モジュール720aはトランシーバによって実装されてもよい。図7bに示されているように、基地局700bは、プロセッサ710bと、トランシーバ720bと、メモリ730bとを備えてもよい。メモリ730bは、基地局700bが工場から配送されるときに予めインストールされたプログラム/コードを記憶するように構成されてもよく、またはプロセッサ710bによって実行されるコード、もしくは同様のものを記憶してもよい。
【０２３１】
プロセッサ710bは、汎用CPU、マイクロプロセッサ、ASIC、または1つ以上の集積回路であってもよく、本出願のこの実施形態において提供される技術的解決方法を実装するために、関係する演算を実行するように構成される。
【０２３２】
なお、プロセッサ710b、トランシーバ720b、およびメモリ730bのみが図7bに示されている基地局700bにおいて図示されているが、特定の実装プロセスにおいて、当業者であれば、基地局700bが通常実行を実装するのに必要な別のデバイスをさらに備えることを理解するはずである。それに加えて、当業者であれば、特定の要件に応じて、基地局700bは、別の追加の機能を実装するハードウェアデバイスをさらに備えてもよいことを理解するはずである。それに加えて、当業者であれば、基地局700bは、本出願のこの実施形態を実装するのに必要なデバイスもしくはモジュールのみを備えてもよいが、必ずしも図7bに示されているすべてのデバイスを備えるわけではないことを理解するはずである。
【０２３３】
当業者であれば、これらの実施形態における方法のプロセスの全部または一部が関連するハードウェアに命令を送るコンピュータプログラムによって実装されてもよいことを理解しうる。プログラムは、コンピュータ可読記憶媒体に記憶されてもよい。プログラムが実行されるときに、これらの実施形態における方法のプロセスが含まれてもよい。前述の記憶媒体は、磁気ディスク、光ディスク、ROM、RAM、または同様のものであってもよい。
【０２３４】
図8aに示されているように、本出願の実施形態における端末800aは、処理モジュール810aと受信モジュール820aとを備える。処理モジュール810aは、第1のパラメータを決定するように構成される。第1のパラメータは、無線フレーム番号、もしくは第1の法による無線フレーム番号の剰余演算の結果得られる値を含み、第1の法は、3以上の正整数である。受信モジュール820aは、スクランブルされた第1のメッセージを第1のチャネル上で受信するように構成される。処理モジュール810aは、第1のパラメータに従ってスクランブリングコードを生成し、スクランブリングコードに従って、受信モジュール820aによって受信されたスクランブルされた第1のメッセージを逆スクランブルするようにさらに構成される。
【０２３５】
可能な実装形態において、第1のメッセージはシステムメッセージであるか、または第1のメッセージはシステムメッセージの一部であるか、または第1のメッセージは符号化されたシステムメッセージであるか、または第1のメッセージは符号化されたシステムメッセージの一部である。第1のチャネルは、物理ダウンリンク共有チャネルまたは物理ブロードキャストチャネルである。
【０２３６】
可能な実装形態において、無線フレーム番号または第1の法による無線フレーム番号の剰余演算の結果得られる値に加えて、第1のパラメータは、無線ネットワーク一時識別子RNTI、タイムスロット番号、シンボル番号、セルID、およびキャリア識別子のうちの少なくとも1つを含む。
【０２３７】
可能な実装形態において、nが1より大きい正整数である場合に第1の法は2nであるか、または第1の法は、3以上の素数である。
【０２３８】
処理モジュール810aが第1のパラメータに従ってスクランブリングコードを生成する可能な実装形態は、
第1のパラメータに従ってスクランブリングコード初期化シードを生成し、スクランブリングコード初期化シードに従ってスクランブリングコードを生成することである。
【０２３９】
本出願のこの実施形態は、処理モジュール810aが第1の時間パラメータに従ってスクランブリングコード初期化シードを生成するいくつかの可能な実装形態をさらに提供する。
【０２４０】
第1のパラメータは、第1の法kによる無線フレーム番号nfの剰余演算の結果得られる値と、無線ネットワーク一時識別子nRNTIと、タイムスロット番号nsと、セルID
【数３１５】
2020507954.tif 000317
とを含み、スクランブリングコード初期化シードcinitは、式
【数３１６】
2020507954.tif 000318
を満たし、ただし、a1はcinitにおいて(nf mod k)、
【数３１７】
2020507954.tif 000319
、および
【数３１８】
2020507954.tif 000320
によって占有されるビットの数の総和であり、b1はcinitにおいて、
【数３１９】
2020507954.tif 000321
および
【数３２０】
2020507954.tif 000322
によって占有されるビットの数の総和であり、c1はcinitにおいて、
【数３２１】
2020507954.tif 000323
によって占有されるビットの数であり、または
第1のパラメータは、無線フレーム番号nfと、タイムスロット番号nsと、セルID
【数３２２】
2020507954.tif 000324
とを含み、スクランブリングコード初期化シードcinitは、式
【数３２３】
2020507954.tif 000325
を満たし、ただし、b2はcinitにおいて
【数３２４】
2020507954.tif 000326
および
【数３２５】
2020507954.tif 000327
によって占有されるビットの数の総和であり、c2はcinitにおいて、
【数３２６】
2020507954.tif 000328
によって占有されるビットの数であり、または
第1のパラメータは、第1の法kによる無線フレーム番号nfの剰余演算の結果得られる値と、タイムスロット番号nsと、セルID
【数３２７】
2020507954.tif 000329
とを含み、スクランブリングコード初期化シードcinitは、式
【数３２８】
2020507954.tif 000330
を満たし、ただし、b3はcinitにおいて
【数３２９】
2020507954.tif 000331
および
【数３３０】
2020507954.tif 000332
によって占有されるビットの数の総和であり、c3はcinitにおいて、
【数３３１】
2020507954.tif 000333
によって占有されるビットの数であり、または
第1のパラメータは、無線ネットワーク一時識別子nRNTIと、第1の法kによる無線フレーム番号nfの剰余演算の結果得られる値と、セルID
【数３３２】
2020507954.tif 000334
とを含み、スクランブリングコード初期化シードcinitは、式
【数３３３】
2020507954.tif 000335
を満たし、ただし、a4はcinitにおいて(nf mod k)および
【数３３４】
2020507954.tif 000336
によって占有されるビットの数の総和であり、b4はcinitにおいて、
【数３３５】
2020507954.tif 000337
によって占有されるビットの数であり、または
第1のパラメータは、セルID
【数３３６】
2020507954.tif 000338
と、第1の法kによる無線フレーム番号nfの剰余演算の結果得られる値とを含み、スクランブリングコード初期化シードcinitは、式
【数３３７】
2020507954.tif 000339
を満たし、ただし、b5はcinitにおいて、
【数３３８】
2020507954.tif 000340
によって占有されるビットの数であり、または
第1のパラメータは、無線フレーム番号nfと、セルID
【数３３９】
2020507954.tif 000341
とを含み、スクランブリングコード初期化シードcinitは、式
【数３４０】
2020507954.tif 000342
を満たし、ただし、b6はcinitにおいて
【数３４１】
2020507954.tif 000343
によって占有されるビットの数である。
【０２４１】
なお、本出願のこの実施形態において、処理モジュール810aはプロセッサによって実装されてもよく、受信モジュール820aはトランシーバによって実装されてもよい。図8bに示されているように、端末800bは、プロセッサ810bと、トランシーバ820bと、メモリ830bとを備えてもよい。メモリ830bは、端末800bが工場から配送されるときに予めインストールされたプログラム/コードを記憶するように構成されてもよく、またはプロセッサ810bによって実行されるコード、もしくは同様のものを記憶してもよい。
【０２４２】
プロセッサ810bは、汎用CPU、マイクロプロセッサ、ASIC、または1つ以上の集積回路であってもよく、本出願のこの実施形態において提供される技術的解決方法を実装するために、関係する演算を実行するように構成される。
【０２４３】
なお、プロセッサ810b、トランシーバ820b、およびメモリ830bのみが図8bに示されている端末800bにおいて図示されているが、特定の実装プロセスにおいて、当業者であれば、端末800bが通常実行を実装するのに必要な別のデバイスをさらに備えることを理解するはずである。それに加えて、当業者であれば、特定の要件に応じて、端末800bは、別の追加の機能を実装するハードウェアデバイスをさらに備えてもよいことを理解するはずである。それに加えて、当業者であれば、端末800bは、本出願のこの実施形態を実装するのに必要なデバイスもしくはモジュールのみを備えてもよいが、必ずしも図8bに示されているすべてのデバイスを備えるわけではないことを理解するはずである。
【０２４４】
当業者であれば、これらの実施形態における方法のプロセスの全部または一部が関連するハードウェアに命令を送るコンピュータプログラムによって実装されてもよいことを理解しうる。プログラムは、コンピュータ可読記憶媒体に記憶されてもよい。プログラムが実行されるときに、これらの実施形態における方法のプロセスが含まれてもよい。前述の記憶媒体は、磁気ディスク、光ディスク、ROM、RAM、または同様のものであってもよい。
【０２４５】
図9に示されているように、本出願の実施形態における通信システム900は、図7aに示されている基地局700aと図8aに示されている端末800aとを備える。
【０２４６】
結論として、本出願の実施形態では、基地局が第1の時間パラメータに従ってスクランブリングコードを生成し、次いで、スクランブリングコードに従ってシステムメッセージをスクランブルし、最後に、スクランブルされたシステムメッセージを物理ブロードキャストチャネル上で端末に送信する。この技術的解決方法において、第1の時間パラメータは、少なくとも2つの異なる時点で異なる値を有するので、少なくとも2つの対応する異なる時点において決定されたスクランブリングコードは異なる。したがって、基地局が同じスクランブリングコードを使用して一定の時間周期内に繰り返し同じシステムメッセージをスクランブルする可能性が低減され、それにより、システムメッセージ伝送における干渉防止能力が改善される。
【０２４７】
当業者であれば、本出願の実施形態が方法、システム、またはコンピュータプログラム製品として提供されてもよいことを理解するはずである。したがって、本出願の実施形態では、ハードウェアのみの実施形態、ソフトウェアのみの実施形態、またはソフトウェアとハードウェアとの組み合わせによる実施形態の形態を使用してもよい。それに加えて、本出願の実施形態では、コンピュータ使用可能プログラムコードを含む1つ以上のコンピュータ使用可能記憶媒体(限定はしないが、磁気ディスクメモリ、CD-ROM、光メモリ、および同様のものを含む)上に実装されるコンピュータプログラム製品の形態を使用してもよい。
【０２４８】
本出願の実施形態は、本出願の実施形態に係る方法、デバイス(システム)、およびコンピュータプログラム製品のフローチャートおよび/またはブロック図を参照しつつ説明されている。フローチャートおよび/またはブロック図内の各処理および/または各ブロック、ならびにフローチャートおよび/またはブロック図内の処理および/またはブロックの組み合わせを実装するためにコンピュータプログラム命令が使用されてもよいことが理解されるはずである。これらのコンピュータプログラム命令は、マシンを生成するために汎用コンピュータ、専用コンピュータ、組み込みプロセッサ、または他のプログラム可能データ処理デバイスのプロセッサに対して提供されてもよく、これにより、コンピュータまたは他のプログラム可能データ処理デバイスのプロセッサによって実行される命令が、フローチャート内の1つ以上の処理で、および/またはブロック図内の1つ以上のブロックで、指定された機能を実装するための装置を生成する。
【０２４９】
コンピュータまたは他のプログラム可能データ処理デバイスに特定の様式で動作することを指令することができるこれらのコンピュータプログラム命令は、コンピュータ可読メモリ内に記憶されてもよく、これにより、コンピュータ可読メモリ内に記憶される命令は命令装置を含むアーチファクトを生成する。命令装置は、フローチャート内の1つ以上の処理で、および/またはブロック図内の1つ以上のブロックで、指定された機能を実装する。
【０２５０】
これらのコンピュータプログラム命令も、コンピュータまたは別のプログラム可能データ処理デバイス上にロードされてもよく、これにより、コンピュータまたは別のプログラム可能デバイス上で一連のオペレーションおよびステップが実行され、これにより、コンピュータによって実装される処理を生成する。したがって、コンピュータまたは別のプログラム可能デバイス上で実行される命令は、フローチャート内の1つ以上の処理で、および/またはブロック図内の1つ以上のブロックで、指定された機能を実装するためのステップを提供する。
【０２５１】
明らかに、当業者であれば、本出願の精神および範囲から逸脱することなく、本出願の実施形態に対し様々な変更および変形を加えることができる。本出願は、以下の請求項およびその同等の技術によって定義された保護の範囲内に収まる限りこれらの変更および変形も対象とすることを意図されている。
【符号の説明】
【０２５２】
1  SIB
1  スクランブリング方式
1  スクランブリングコードシード生成公式
2  スクランブリング方式
2  スクランブリングコードシード生成公式
400a  基地局
400b  基地局
410a  処理モジュール
410b  プロセッサ
420a  送信モジュール
420b  トランシーバ
430b  メモリ
500a  端末
500b  端末
510a  処理モジュール
510b  プロセッサ
520a  受信モジュール
520b  トランシーバ
530b  メモリ
600  通信システム
700a  基地局
700b  基地局
710a  処理モジュール
710b  プロセッサ
720a  送信モジュール
720b  トランシーバ
730b  メモリ
800a  端末
800b  端末
810a  処理モジュール
810b  プロセッサ
820a  受信モジュール
820b  トランシーバ
830b  メモリ
【図１】
2020507954.tif 000520
【図２】
2020507954.tif 000521
【図３】
2020507954.tif 000522
【図４ａ】
2020507954.tif 000523
【図４ｂ】
2020507954.tif 000524
【図５ａ】
2020507954.tif 000525
【図５ｂ】
2020507954.tif 000526
【図６】
2020507954.tif 000527
【図７ａ】
2020507954.tif 000528
【図７ｂ】
2020507954.tif 000529
【図８ａ】
2020507954.tif 000530
【図８ｂ】
2020507954.tif 000531
【図９】
2020507954.tif 000532
【手続補正書】
【提出日】令和1年9月10日(2019.9.10)
【手続補正１】
【補正対象書類名】明細書
【補正対象項目名】０００３
【補正方法】変更
【補正の内容】
【０００３】
干渉防止のために、異なるセル、セル内の異なる端末、または同様のものに対して異なるスクランブリングコード(scrambling code)が使用される必要がある。スクランブリングコードがスクランブリングコード初期化シードに従って基地局によって決定され、スクランブリングコード初期化シードは、セルIDに従って決定される。MIBが、一例として使用される。スクランブリングコード初期化シードcinitは、セルID
【数１】
2020507954.tif 000533
、および特に
【数２】
2020507954.tif 000534
に従って決定される。生成されたスクランブリングコードは、基地局のセルIDが異なるので異なるが、MIBは、端末によるMIBの受信成功率を高めるために従来技術(たとえば、NB-IoT(Narrowband-Internet of Things、狭帯域IoT))では80ms以内に繰り返し伝送される。特に、MIBは、80ms以内に8回送信され、10ms毎に1回送信される。スクランブリングコードシード生成公式
【数３】
2020507954.tif 000535
から、MIBは同じスクランブリングコードを使用することによって80ms以内に伝送されることが分かりうる。基地局のスクランブリングメカニズムは同じであるので、同じ80msの時間周期内に、基地局1がそのMIBを、スクランブリングコード1を使用することによってスクランブルし、次いでMIBをブロードキャストし、基地局2がそのMIBを、スクランブリングコード2を使用することによってスクランブルし、次いで、MIBをブロードキャストすることが可能である。基地局1によって送信されるスクランブルされたMIBと基地局2によって送信されるスクランブルされたMIBとの間の干渉が相当あり、各繰り返しにおける基地局1のスクランブルされたMIBと基地局2のスクランブルされたMIBとの間の差は、次の繰り返しにおけるものと同じである。したがって、80ms以内に、基地局1のスクランブルされたMIBを10msおきに受信し、次いで、基地局1のスクランブルされたMIBの各繰り返しに逆スクランブリングおよび同相組み合わせを実行したときに、基地局1の端末は、また、基地局2のスクランブルされたMIB(干渉としてみなされてもよい)上で同相組み合わせを実行する。それ故に、干渉電力が増大し、端末によるMIB受信のパフォーマンスに影響を及ぼす。基地局1および基地局2は、前述の説明において一例として使用されている。同じ基地局の異なるセル間にも同じ問題が存在する。
【手続補正２】
【補正対象書類名】明細書
【補正対象項目名】０００４
【補正方法】変更
【補正の内容】
【０００４】
それに加えて、NB-IoTシステムは、一例として使用されている。基地局が、物理ダウンリンク共有チャネル上でSIB(System Information Block、システム情報ブロック)1を伝送する。通常、基地局は、SIB1を送信する前にSIB1上で符号化およびスクランブリング処理を実行する必要がある。しかしながら、従来技術では、SIB1をスクランブルするときに、基地局は、最初に、スクランブリングコード初期化シードcinitを生成し、次いで、スクランブリングコード初期化シードcinitに従ってスクランブリングコードを生成する。特に、SIB1については、スクランブリングコード初期化シードは
【数４】
2020507954.tif 000536
であり、
【数５】
2020507954.tif 000537
はセルIDであり、セルIDはSIB1の伝送中に変化せず、nfは無線フレーム番号であり、無線フレーム番号は時間とともに変化するが、(nf mod 2)は、SIB1を搬送する無線フレームは偶数個の無線フレーム番号で分離されるので変化しないままであり、nRNTIはSI-RNTI(System Information Radio Network Temporary Identifier、システム情報無線ネットワーク一時識別子)であり、一定の値であり、nsはタイムスロット番号であり、タイムスロット番号も、SIB1が固定されたサブフレームで常に送信されるので固定される。したがって、MIBと同様に、基地局が同じスクランブリングメカニズムを使用することによってSIB1をスクランブルするときに、SIB1の伝送中の干渉が増加し、端末によるSIB1受信のパフォーマンスに影響を及ぼす。
【手続補正３】
【補正対象書類名】明細書
【補正対象項目名】００１０
【補正方法】変更
【補正の内容】
【００１０】
たとえば、第1の時間パラメータは、無線フレーム番号の関数である。無線フレーム番号は、システムメッセージを送信するための開始位置が配置される無線フレーム番号である。タイムスロット番号、ハイパーフレーム番号、およびシンボル番号の場合はこれに類似している。
【手続補正４】
【補正対象書類名】明細書
【補正対象項目名】００３７
【補正方法】変更
【補正の内容】
【００３７】
第3の態様によれば、
基地局によって、第1のパラメータに従ってスクランブリングコードを生成するステップであって、第1のパラメータは、無線フレーム番号、もしくは第1の法による無線フレーム番号の剰余演算の結果得られる値を含み、第1の法は、3以上の正整数である、生成するステップと、スクランブリングコードに従って第1のメッセージをスクランブルするステップと、最後に、スクランブルされた第1のメッセージを第1のチャネル上で端末に送信するステップと、または
端末によって、第1のパラメータに従ってスクランブリングコードを生成するステップであって、第1のパラメータは、無線フレーム番号、もしくは第1の法による無線フレーム番号の剰余演算の結果得られる値を含み、第1の法は、3以上の正整数である、生成するステップと、スクランブリングコードに従って第1のメッセージをスクランブルするステップと、最後に、スクランブルされた第1のメッセージを第1のチャネル上で基地局に送信するステップとを含むメッセージ送信方法が提供される。
【手続補正５】
【補正対象書類名】明細書
【補正対象項目名】００５６
【補正方法】変更
【補正の内容】
【００５６】
無線フレーム番号または第1の法による無線フレーム番号の剰余演算の結果得られる値は、本出願のこの実施形態において少なくとも2つの異なる時点に異なる値を有し、無線フレーム番号および値は第1のパラメータに含まれるので、少なくとも2つの対応する異なる時点においてスクランブルされ、端末もしくは基地局によって受信される第1のメッセージに使用されるスクランブリングコードは異なっていてもよく、それにより端末によるシステムメッセージの受信のパフォーマンスが改善される。
【手続補正６】
【補正対象書類名】明細書
【補正対象項目名】００６３
【補正方法】変更
【補正の内容】
【００６３】
第1のパラメータは、第1の法kによる無線フレーム番号nfの剰余演算の結果得られる値と、無線ネットワーク一時識別子nRNTIと、タイムスロット番号nsと、セルID
【数６】
2020507954.tif 000538
とを含み、スクランブリングコード初期化シードcinitは、式
【数７】
2020507954.tif 000539
を満たし、ただし、a1はcinitにおいて(nf mod k)、
【数８】
2020507954.tif 000540
、および
【数９】
2020507954.tif 000541
によって占有されるビットの数の総和であり、b1はcinitにおいて、
【数１０】
2020507954.tif 000542
および
【数１１】
2020507954.tif 000543
によって占有されるビットの数の総和であり、c1はcinitにおいて、
【数１２】
2020507954.tif 000544
によって占有されるビットの数であり、または
第1のパラメータは、無線フレーム番号nfと、タイムスロット番号nsと、セルID
【数１３】
2020507954.tif 000545
とを含み、スクランブリングコード初期化シードcinitは、式
【数１４】
2020507954.tif 000546
を満たし、ただし、b2はcinitにおいて
【数１５】
2020507954.tif 000547
および
【数１６】
2020507954.tif 000548
によって占有されるビットの数の総和であり、c2はcinitにおいて、
【数１７】
2020507954.tif 000549
によって占有されるビットの数であり、または
第1のパラメータは、第1の法kによる無線フレーム番号nfの剰余演算の結果得られる値と、タイムスロット番号nsと、セルID
【数１８】
2020507954.tif 000550
とを含み、スクランブリングコード初期化シードcinitは、式
【数１９】
2020507954.tif 000551
を満たし、ただし、b3はcinitにおいて
【数２０】
2020507954.tif 000552
および
【数２１】
2020507954.tif 000553
によって占有されるビットの数の総和であり、c3はcinitにおいて、
【数２２】
2020507954.tif 000554
によって占有されるビットの数であり、または
第1のパラメータは、無線ネットワーク一時識別子nRNTIと、第1の法kによる無線フレーム番号nfの剰余演算の結果得られる値と、セルID
【数２３】
2020507954.tif 000555
とを含み、スクランブリングコード初期化シードcinitは、式
【数２４】
2020507954.tif 000556
を満たし、ただし、a4はcinitにおいて(nf mod k)および
【数２５】
2020507954.tif 000557
によって占有されるビットの数の総和であり、b4はcinitにおいて、
【数２６】
2020507954.tif 000558
によって占有されるビットの数であり、または
第1のパラメータは、セルID
【数２７】
2020507954.tif 000559
と、第1の法kによる無線フレーム番号nfの剰余演算の結果得られる値とを含み、スクランブリングコード初期化シードcinitは、式
【数２８】
2020507954.tif 000560
を満たし、ただし、b5はcinitにおいて、
【数２９】
2020507954.tif 000561
によって占有されるビットの数であり、または
第1のパラメータは、無線フレーム番号nfと、セルID
【数３０】
2020507954.tif 000562
とを含み、スクランブリングコード初期化シードcinitは、式
【数３１】
2020507954.tif 000563
を満たし、ただし、b6はcinitにおいて、
【数３２】
2020507954.tif 000564
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数３３】
2020507954.tif 000565
のうちの少なくとも1つを含み、初期化スクランブリングコードシードcinitは、式
【数３４】
2020507954.tif 000566
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数３５】
2020507954.tif 000567
に等しいか、もしくは
【数３６】
2020507954.tif 000568
に等しいか、もしくは
【数３７】
2020507954.tif 000569
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、cinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数３８】
2020507954.tif 000570
のうちの少なくとも1つを含み、初期化スクランブリングコードシードcinitは、式
【数３９】
2020507954.tif 000571
、もしくは
【数４０】
2020507954.tif 000572
、もしくは
【数４１】
2020507954.tif 000573
、もしくは
【数４２】
2020507954.tif 000574
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【手続補正７】
【補正対象書類名】明細書
【補正対象項目名】００９１
【補正方法】変更
【補正の内容】
【００９１】
第1のパラメータは、第1の法kによる無線フレーム番号nfの剰余演算の結果得られる値と、無線ネットワーク一時識別子nRNTIと、タイムスロット番号nsと、セルID
【数４３】
2020507954.tif 000575
とを含み、スクランブリングコード初期化シードcinitは、式
【数４４】
2020507954.tif 000576
を満たし、ただし、a1はcinitにおいて(nf mod k)、
【数４５】
2020507954.tif 000577
、および
【数４６】
2020507954.tif 000578
によって占有されるビットの数の総和であり、b1はcinitにおいて、
【数４７】
2020507954.tif 000579
および
【数４８】
2020507954.tif 000580
によって占有されるビットの数の総和であり、c1はcinitにおいて、
【数４９】
2020507954.tif 000581
によって占有されるビットの数であり、または
第1のパラメータは、無線フレーム番号nfと、タイムスロット番号nsと、セルID
【数５０】
2020507954.tif 000582
とを含み、スクランブリングコード初期化シードcinitは、式
【数５１】
2020507954.tif 000583
を満たし、ただし、b2はcinitにおいて
【数５２】
2020507954.tif 000584
および
【数５３】
2020507954.tif 000585
によって占有されるビットの数の総和であり、c2はcinitにおいて、
【数５４】
2020507954.tif 000586
によって占有されるビットの数であり、または
第1のパラメータは、第1の法kによる無線フレーム番号nfの剰余演算の結果得られる値と、タイムスロット番号nsと、セルID
【数５５】
2020507954.tif 000587
とを含み、スクランブリングコード初期化シードcinitは、式
【数５６】
2020507954.tif 000588
を満たし、ただし、b3はcinitにおいて
【数５７】
2020507954.tif 000589
および
【数５８】
2020507954.tif 000590
によって占有されるビットの数の総和であり、c3はcinitにおいて、
【数５９】
2020507954.tif 000591
によって占有されるビットの数であり、または
第1のパラメータは、無線ネットワーク一時識別子nRNTIと、第1の法kによる無線フレーム番号nfの剰余演算の結果得られる値と、セルID
【数６０】
2020507954.tif 000592
とを含み、スクランブリングコード初期化シードcinitは、式
【数６１】
2020507954.tif 000593
を満たし、ただし、a4はcinitにおいて(nf mod k)および
【数６２】
2020507954.tif 000594
によって占有されるビットの数の総和であり、b4はcinitにおいて、
【数６３】
2020507954.tif 000595
によって占有されるビットの数であり、または
第1のパラメータは、セルID
【数６４】
2020507954.tif 000596
と、第1の法kによる無線フレーム番号nfの剰余演算の結果得られる値とを含み、スクランブリングコード初期化シードcinitは、式
【数６５】
2020507954.tif 000597
を満たし、ただし、b5はcinitにおいて、
【数６６】
2020507954.tif 000598
によって占有されるビットの数であり、または
第1のパラメータは、無線フレーム番号nfと、セルID
【数６７】
2020507954.tif 000599
とを含み、スクランブリングコード初期化シードcinitは、式
【数６８】
2020507954.tif 000600
を満たし、ただし、b6はcinitにおいて、
【数６９】
2020507954.tif 000601
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数７０】
2020507954.tif 000602
のうちの少なくとも1つを含み、初期化スクランブリングコードシードcinitは、式
【数７１】
2020507954.tif 000603
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数７２】
2020507954.tif 000604
に等しいか、もしくは
【数７３】
2020507954.tif 000605
に等しいか、もしくは
【数７４】
2020507954.tif 000606
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、cinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数７５】
2020507954.tif 000607
のうちの少なくとも1つを含み、初期化スクランブリングコードシードcinitは、式
【数７６】
2020507954.tif 000608
、もしくは
【数７７】
2020507954.tif 000609
、もしくは
【数７８】
2020507954.tif 000610
、もしくは
【数７９】
2020507954.tif 000611
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【手続補正８】
【補正対象書類名】明細書
【補正対象項目名】００９８
【補正方法】変更
【補正の内容】
【００９８】
第1のパラメータは、第1の法kによる無線フレーム番号nfの剰余演算の結果得られる値と、無線ネットワーク一時識別子nRNTIと、タイムスロット番号nsと、セルID
【数８０】
2020507954.tif 000612
とを含み、スクランブリングコード初期化シードcinitは、式
【数８１】
2020507954.tif 000613
を満たし、ただし、a1はcinitにおいて(nf mod k)、
【数８２】
2020507954.tif 000614
、および
【数８３】
2020507954.tif 000615
によって占有されるビットの数の総和であり、b1はcinitにおいて、
【数８４】
2020507954.tif 000616
および
【数８５】
2020507954.tif 000617
によって占有されるビットの数の総和であり、c1はcinitにおいて、
【数８６】
2020507954.tif 000618
によって占有されるビットの数であり、または
第1のパラメータは、無線フレーム番号nfと、タイムスロット番号nsと、セルID
【数８７】
2020507954.tif 000619
とを含み、スクランブリングコード初期化シードcinitは、式
【数８８】
2020507954.tif 000620
を満たし、ただし、b2はcinitにおいて
【数８９】
2020507954.tif 000621
および
【数９０】
2020507954.tif 000622
によって占有されるビットの数の総和であり、c2はcinitにおいて、
【数９１】
2020507954.tif 000623
によって占有されるビットの数であり、または
第1のパラメータは、第1の法kによる無線フレーム番号nfの剰余演算の結果得られる値と、タイムスロット番号nsと、セルID
【数９２】
2020507954.tif 000624
とを含み、スクランブリングコード初期化シードcinitは、式
【数９３】
2020507954.tif 000625
を満たし、ただし、b3はcinitにおいて
【数９４】
2020507954.tif 000626
および
【数９５】
2020507954.tif 000627
によって占有されるビットの数の総和であり、c3はcinitにおいて、
【数９６】
2020507954.tif 000628
によって占有されるビットの数であり、または
第1のパラメータは、無線ネットワーク一時識別子nRNTIと、第1の法kによる無線フレーム番号nfの剰余演算の結果得られる値と、セルID
【数９７】
2020507954.tif 000629
とを含み、スクランブリングコード初期化シードcinitは、式
【数９８】
2020507954.tif 000630
を満たし、ただし、a4はcinitにおいて(nf mod k)および
【数９９】
2020507954.tif 000631
によって占有されるビットの数の総和であり、b4はcinitにおいて、
【数１００】
2020507954.tif 000632
によって占有されるビットの数であり、または
第1のパラメータは、セルID
【数１０１】
2020507954.tif 000633
と、第1の法kによる無線フレーム番号nfの剰余演算の結果得られる値とを含み、スクランブリングコード初期化シードcinitは、式
【数１０２】
2020507954.tif 000634
を満たし、ただし、b5はcinitにおいて、
【数１０３】
2020507954.tif 000635
によって占有されるビットの数であり、または
第1のパラメータは、無線フレーム番号nfと、セルID
【数１０４】
2020507954.tif 000636
とを含み、スクランブリングコード初期化シードcinitは、式
【数１０５】
2020507954.tif 000637
を満たし、ただし、b6はcinitにおいて、
【数１０６】
2020507954.tif 000638
によって占有されるビットの数であり、または
第1のパラメータは、無線ネットワーク一時識別子nRNTI、第1の法kによる無線フレーム番号nfの剰余演算の結果得られる値、タイムスロット番号ns、およびセルID
【数１０７】
2020507954.tif 000639
のうちの少なくとも1つを含み、初期化スクランブリングコードシードcinitは、式
【数１０８】
2020507954.tif 000640
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数１０９】
2020507954.tif 000641
に等しいか、もしくは
【数１１０】
2020507954.tif 000642
に等しいか、もしくは
【数１１１】
2020507954.tif 000643
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、cinitにおいてHおよびQにより占有されるビットの数の総和に等しく、c7は非負整数であり、たとえば、cinitにおいてQにより占有されるビットの数に等しく、または
第1のパラメータは、無線ネットワーク一時識別子nRNTI、無線フレーム番号nf、タイムスロット番号ns、およびセルID
【数１１２】
2020507954.tif 000644
のうちの少なくとも1つを含み、初期化スクランブリングコードシードcinitは、式
【数１１３】
2020507954.tif 000645
、もしくは
【数１１４】
2020507954.tif 000646
、もしくは
【数１１５】
2020507954.tif 000647
、もしくは
【数１１６】
2020507954.tif 000648
を満たし、
ただし、k0、k1、...、およびk39は非負整数であり、a8、b8、c8、d8、e8、およびf8は非負整数であり、u1、u2、...、およびu6は非負整数である。たとえば、可能な実装方法において、k0は1に等しく、k1は0または1に等しく、k2は10に等しく、k3は1に等しく、k4は0または1に等しく、u1は1または2に等しく、a8は0または9に等しく、k5は0または1に等しく、k6は0または1に等しい。可能な実装方法において、k18は0または1に等しく、b8は非負整数であり、k7は1に等しく、k8は0または1に等しく、k9は0または1に等しく、k10は0または1に等しく、k11は10に等しく、k12は1に等しく、k13は0または1に等しく、k14は素数であるかまたは2の整数冪乗であり、k15は0または1に等しく、u2は1または2に等しく、c8は0または9に等しく、k16は0または1に等しく、k17は0または1に等しい。可能な実装方法において、k19は1に等しく、k20は0または1に等しく、k21は1に等しく、k22は0または1に等しく、u3は1または2に等しく、k23は1に等しく、k24は0または1に等しく、u4は1または2に等しく、d8は0または9に等しく、k25は0または1に等しく、k26は0または1に等しい。可能な実装方法において、k27は0または1に等しく、e8は非負整数であり、k28は1に等しく、k29は0または1に等しく、k30は0または1に等しく、k31は0または1に等しく、k32は1に等しく、k33は0または1に等しく、k34は素数であるかまたは2の整数冪乗であり、k35は0または1に等しく、u5は1または2に等しく、k36は1に等しく、k37は0または1に等しく、u6は1または2に等しく、f8は0または9に等しく、k38は0または1に等しく、k39は0または1に等しい。
【手続補正９】
【補正対象書類名】明細書
【補正対象項目名】０１０７
【補正方法】変更
【補正の内容】
【０１０７】
本出願の実施形態は、LTE(Long Term Evolution、ロングタームエボリューション)システムに適用され得るか、またはGSM(Global System for Mobile Communications、グローバル・システム・フォー・モバイル・コミュニケーションズ)、UMTS(Universal Mobile Telecommunications System、ユニバーサルモバイルテレコミュニケーションシステム)、CDMA(Code Division Multiple Access、符号分割多元接続)システム、および5G(5th-Generation)ネットワークシステムなどの新しいネットワークシステムなどの、他のワイヤレス通信システムに適用され得る。
【手続補正１０】
【補正対象書類名】明細書
【補正対象項目名】０１１７
【補正方法】変更
【補正の内容】
【０１１７】
たとえば、本出願のこの実施形態は、物理ブロードキャストチャネル以外のチャネル、たとえば、PDSCH(Physical Downlink Shared Channel、物理ダウンリンク共有チャネル)、PUSCH(Physical Uplink Shared Channel、物理アップリンク共有チャネル)、PDCCH(Physical Downlink Control Channel、物理ダウンリンク制御チャネル)、PUCCH(Physical Uplink Control Channel、物理アップリンク制御チャネル)、PCFICH(Physical Control Format Indicator Channel、物理制御フォーマットインジケータチャネル)、PMCH(Physical Multicast Channel、物理マルチキャストチャネル)、またはPRACH(Physical Random Access Channel、物理ランダムアクセスチャネル)などのチャネルにも適用されてもよい。チャネルの名前は、すべて、LTEの従来の命名規則に従って提供されるが、チャネルは、別の通信システムでは他の名前を有していてもよい。たとえば、物理ブロードキャストチャネルは、NB-IoT(NarrowBrand Internet of Things、狭帯域IoT)ではNPBCH(Narrowband Physical Broadcast Channel、狭帯域物理ブロードキャストチャネル)と名付けられる。さらなる詳細は、ここでは説明されない。
【手続補正１１】
【補正対象書類名】明細書
【補正対象項目名】０１５８
【補正方法】変更
【補正の内容】
【０１５８】
特に、スクランブルされた第1のメッセージを端末に送信する前に、基地局は、同期化メッセージを端末に送信する。同期化メッセージは、第1のパラメータに関する情報(または第1のパラメータに関する情報の一部、たとえば、第1のパラメータがNB-IoTシステムにおける無線フレーム番号のみを含むときに、端末は、同期化メッセージを使用して法8による無線フレーム番号の剰余演算の結果得られる値を決定してもよい)を指示するために使用されてもよい。第1のパラメータは、基地局がスクランブリングコードを生成するときのベースとして使用されるパラメータである。スクランブリングコードは、第1のメッセージをスクランブルするために基地局によって使用されるスクランブリングコードである。端末は、基地局によって送信される同期化メッセージに従って第1のパラメータを決定する。端末が第1のパラメータを決定するステップ330は、ステップ320の前に実行されてもよく、またはステップ320の後に実行されてもよい。代替的に、ステップ330およびステップ320は、同時に実行されてもよい。
【手続補正１２】
【補正対象書類名】明細書
【補正対象項目名】０１８３
【補正方法】変更
【補正の内容】
【０１８３】
実施例8:第1のパラメータは、無線ネットワーク一時識別子nRNTI、第1の法kによる無線フレーム番号nfの剰余演算の結果得られる値、タイムスロット番号ns、およびセルID
【数１１７】
2020507954.tif 000649
のうちの少なくとも1つを含み、初期化スクランブリングコードシードcinitは、式
【数１１８】
2020507954.tif 000650
を満たし、ただし、Rは無線ネットワーク一時識別子の関数であり、たとえば、無線ネットワーク一時識別子nRNTIに等しいか、もしくは0に等しく(公式の中にパラメータRがないことを意味する)、hは整数であり、たとえば、0もしくは1に等しく、k=8であるか、kは素数であるか、もしくはkは8でも素数でもない正整数であり、wは整数であり、たとえば、0もしくは1に等しく、uは非負整数、たとえば、0、1、2、もしくは3であり、PはセルIDおよび/もしくは無線フレーム番号の関数であり、たとえば、セルID
【数１１９】
2020507954.tif 000651
に等しいか、もしくは
【数１２０】
2020507954.tif 000652
に等しく、ただし、vは正整数であり、Hはタイムスロット番号の関数であり、たとえば、タイムスロット番号nsに等しいか、もしくは0に等しく(公式の中にパラメータHがないことを意味する)、QはセルIDの関数であり、たとえば、セルIDに等しいか、もしくは0に等しく(公式の中にパラメータQがないことを意味する)、a7は非負整数であり、たとえば、cinitにおいて[(nf+h)mod k)+w]u・P、HおよびQにより占有されるビットの数の総和に等しく、b7は非負整数であり、たとえば、cinitにおいてHおよびQにより占有されるビットの数の総和に等しく、c7は非負整数であり、たとえば、cinitにおいてQにより占有されるビットの数に等しい。
【手続補正１３】
【補正対象書類名】明細書
【補正対象項目名】０２１５
【補正方法】変更
【補正の内容】
【０２１５】
本出願のこの実施形態は、端末が第1の時間パラメータに従ってスクランブリングコード初期化シードを生成するいくつかの可能な実装形態をさらに提供する。
【手続補正１４】
【補正対象書類名】明細書
【補正対象項目名】０２２８
【補正方法】変更
【補正の内容】
【０２２８】
本出願のこの実施形態は、基地局が第1のパラメータに従ってスクランブリングコード初期化シードを生成するいくつかの可能な実装形態をさらに提供する。
【手続補正１５】
【補正対象書類名】特許請求の範囲
【補正対象項目名】全文
【補正方法】変更
【補正の内容】
【特許請求の範囲】
【請求項１】
メッセージ送信方法であって、
基地局によって、第1の時間パラメータに従ってスクランブリングコードを生成するステップと、
前記基地局によって、前記スクランブリングコードに従ってシステムメッセージをスクランブルするステップと、
前記基地局によって、前記スクランブルされたシステムメッセージを物理ブロードキャストチャネル上で端末に送信するステップと
を含むメッセージ送信方法。
【請求項２】
前記第1の時間パラメータは、無線フレーム番号、タイムスロット番号、ハイパーフレーム番号、およびシンボル番号のうちの1つであるか、または
前記第1の時間パラメータは、第1の法による無線フレーム番号、タイムスロット番号、ハイパーフレーム番号、およびシンボル番号のうちの1つの剰余演算の結果得られる値であり、前記第1の法は、正整数である請求項1に記載の方法。
【請求項３】
前記第1の法は8である請求項2に記載の方法。
【請求項４】
基地局によって、第1の時間パラメータに従って前記スクランブリングコードを生成する前記ステップは、
前記基地局によって、前記第1の時間パラメータおよび第1の変数グループに従ってスクランブリングコード初期化シードを生成するステップであって、前記第1の変数グループはセルID、無線ネットワーク一時識別子RNTI、およびキャリア識別子のうちの少なくとも1つを含む、ステップと、
前記基地局によって、前記スクランブリングコード初期化シードに従って前記スクランブリングコードを生成するステップと
を含む請求項1から3のいずれか一項に記載の方法。
【請求項５】
前記第1の時間パラメータは、前記第1の法kによる前記無線フレーム番号nfの剰余演算の結果得られる値であり、前記第1の変数グループは、前記セルID
【数１２１】
2020507954.tif 000653
を含み、前記初期化スクランブリングコードシードcinitは、式
【数１２２】
2020507954.tif 000654
を満たし、ただし、hは0に等しく、k-8であり、wは1に等しく、uは3であり、Pは前記セルIDの関数であり、Qは前記セルIDの関数であり、a3は非負整数であり、b3は非負整数である請求項1から4のいずれか一項に記載の方法。
【請求項６】
メッセージ受信方法であって、
端末によって、第1の時間パラメータを決定するステップと、
前記端末によって、スクランブルされたシステムメッセージを物理ブロードキャストチャネル上で受信するステップと、
前記端末によって、前記第1の時間パラメータに従ってスクランブリングコードを生成するステップと、
前記端末によって、前記スクランブリングコードに従って前記受信されたスクランブルされたシステムメッセージを逆スクランブルするステップと
を含むメッセージ受信方法。
【請求項７】
前記端末によって、前記第1の時間パラメータに従って前記スクランブリングコードを生成する前記ステップは、
前記端末によって、前記第1の時間パラメータおよび第1の変数グループに従ってスクランブリングコード初期化シードを生成するステップであって、前記第1の時間パラメータは、無線フレーム番号、タイムスロット番号、ハイパーフレーム番号、およびシンボル番号のうちの少なくとも1つの関数であり、前記第1の変数グループはセルID、無線ネットワーク一時識別子RNTI、およびキャリア識別子のうちの少なくとも1つを含む、ステップと、
前記端末によって、前記スクランブリングコード初期化シードに従って前記スクランブリングコードを生成するステップと
を含む請求項6に記載の方法。
【請求項８】
前記第1の時間パラメータは、前記第1の法kによる前記無線フレーム番号nfの剰余演算の結果得られる値であり、前記第1の変数グループは、前記セルID
【数１２３】
2020507954.tif 000655
を含み、前記スクランブリングコード初期化シードcinitは、式
【数１２４】
2020507954.tif 000656
を満たし、ただし、hは0に等しく、k-8であり、wは1に等しく、uは3であり、Pは前記セルIDの関数であり、Qは前記セルIDの関数であり、a3は非負整数であり、b3は非負整数である請求項6または7に記載の方法。
【請求項９】
メッセージ送信方法であって、
基地局によって、第1のパラメータに従ってスクランブリングコードを生成するステップであって、前記第1のパラメータは、無線フレーム番号、もしくは第1の法による前記無線フレーム番号の剰余演算の結果得られる値を含み、前記第1の法は、3以上の素数である、ステップと、
前記基地局によって、前記スクランブリングコードに従って第1のメッセージをスクランブルするステップと、
前記基地局によって、前記スクランブルされた第1のメッセージを第1のチャネル上で端末に送信するステップと
を含むメッセージ送信方法。
【請求項１０】
前記第1のメッセージはシステムメッセージであるか、または前記第1のメッセージはシステムメッセージの一部であるか、または前記第1のメッセージは符号化されたシステムメッセージであるか、または前記第1のメッセージは符号化されたシステムメッセージの一部であり、前記第1のチャネルは物理ダウンリンク共有チャネルまたは物理ブロードキャストチャネルである請求項9に記載の方法。
【請求項１１】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項9または10に記載の方法。
【請求項１２】
基地局によって、前記第1のパラメータに従ってスクランブリングコードを生成する前記ステップは、
前記基地局によって、前記第1のパラメータに従ってスクランブリングコード初期化シードを生成するステップと、
前記基地局によって、前記スクランブリングコード初期化シードに従って前記スクランブリングコードを生成するステップと
を含む請求項9から11のいずれか一項に記載の方法。
【請求項１３】
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数１２５】
2020507954.tif 000657
のうちの少なくとも1つを含み、前記スクランブリングコード初期化シードcinitは、式
【数１２６】
2020507954.tif 000658
を満たし、ただし、Rは前記無線ネットワーク一時識別子nRNTIの関数であり、hは0に等しく、k=8であり、kは素数であり、wは0もしくは1に等しく、uは1であり、Pは前記セルIDの関数であり、Hは0に等しく、Qは0に等しく、a7は非負整数であり、b7は非負整数であり、c7は非負整数である請求項12に記載の方法。
【請求項１４】
メッセージ受信方法であって、
端末によって、第1のパラメータを決定するステップであって、前記第1のパラメータは、無線フレーム番号、もしくは第1の法による前記無線フレーム番号の剰余演算の結果得られる値を含み、前記第1の法は、3以上の素数である、ステップと、
前記端末によって、スクランブルされた第1のメッセージを第1のチャネル上で受信するステップと、
前記端末によって、前記第1のパラメータに従ってスクランブリングコードを生成するステップと、
前記端末によって、前記スクランブリングコードに従って前記受信されたスクランブルされた第1のメッセージを逆スクランブルするステップと
を含むメッセージ受信方法。
【請求項１５】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項14に記載の方法。
【請求項１６】
前記端末によって、前記第1のパラメータに従ってスクランブリングコードを生成する前記ステップは、
前記端末によって、前記第1のパラメータに従ってスクランブリングコード初期化シードを生成するステップと、
前記端末によって、前記スクランブリングコード初期化シードに従って前記スクランブリングコードを生成するステップと
を含む請求項14または15に記載の方法。
【請求項１７】
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数１２７】
2020507954.tif 000659
のうちの少なくとも1つを含み、前記スクランブリングコード初期化シードcinitは、式
【数１２８】
2020507954.tif 000660
を満たし、ただし、Rは前記無線ネットワーク一時識別子nRNTIの関数であり、hは0に等しく、k=8であり、kは素数であり、wは0もしくは1に等しく、uは1であり、Pは前記セルIDの関数であり、Hは0に等しく、Qは0に等しく、a7は非負整数であり、b7は非負整数であり、c7は非負整数である請求項16に記載の方法。
【請求項１８】
基地局であって、
第1の時間パラメータに従ってスクランブリングコードを生成し、前記スクランブリングコードに従ってシステムメッセージをスクランブルするように構成されている処理モジュールと、
端末に物理ブロードキャストチャネル上で、前記処理モジュールによってスクランブルされた前記システムメッセージを送信するように構成されている送信モジュールと
を備える基地局。
【請求項１９】
前記第1の時間パラメータは、無線フレーム番号、タイムスロット番号、ハイパーフレーム番号、およびシンボル番号のうちの少なくとも1つであるか、または
前記第1の時間パラメータは、第1の法による無線フレーム番号、タイムスロット番号、ハイパーフレーム番号、およびシンボル番号のうちの1つの剰余演算の結果得られる値であり、前記第1の法は、正整数である請求項18に記載の基地局。
【請求項２０】
前記第1の法は8である請求項19に記載の基地局。
【請求項２１】
前記処理モジュールが前記第1の時間パラメータに従って前記スクランブリングコードを決定するように構成されることは、
前記第1の時間パラメータおよび第1の変数グループに従ってスクランブリングコード初期化シードを生成するように構成されることと、前記スクランブリングコード初期化シードに従って前記スクランブリングコードを決定することとを含み、前記第1の変数グループはセルID、無線ネットワーク一時識別子RNTI、およびキャリア識別子のうちの少なくとも1つを含む請求項18から20のいずれか一項に記載の基地局。
【請求項２２】
前記第1の時間パラメータは、前記第1の法kによる前記無線フレーム番号nfの剰余演算の結果得られる値であり、前記第1の変数グループは、前記セルID
【数１２９】
2020507954.tif 000661
を含み、前記スクランブリングコード初期化シードcinitは、式
【数１３０】
2020507954.tif 000662
を満たし、ただし、hは0に等しく、k-8であり、wは1に等しく、uは3であり、Pは前記セルIDの関数であり、Qは前記セルIDの関数であり、a3は非負整数であり、b3は非負整数である請求項21に記載の基地局。
【請求項２３】
通信デバイスであって、
第1の時間パラメータを決定するように構成されている処理モジュールと、
スクランブルされたシステムメッセージを物理ブロードキャストチャネル上で受信するように構成されている受信モジュールとを備え、
前記処理モジュールは、前記第1の時間パラメータに従ってスクランブリングコードを生成し、前記スクランブリングコードに従って、前記受信モジュールによって受信された前記スクランブルされたシステムメッセージを逆スクランブルするようにさらに構成される通信デバイス。
【請求項２４】
前記処理モジュールが前記第1の時間パラメータに従って前記スクランブリングコードを生成するように構成されることは、
前記第1の時間パラメータおよび第1の変数グループに従ってスクランブリングコード初期化シードを生成するように構成されることと、前記スクランブリングコード初期化シードに従って前記スクランブリングコードを生成することとを含み、前記第1の時間パラメータは、無線フレーム番号、タイムスロット番号、ハイパーフレーム番号、およびシンボル番号のうちの少なくとも1つの関数であり、前記第1の変数グループはセルID、無線ネットワーク一時識別子RNTI、およびキャリア識別子のうちの少なくとも1つを含む請求項23に記載のデバイス。
【請求項２５】
前記第1の時間パラメータは、前記第1の法kによる前記無線フレーム番号nfの剰余演算の結果得られる値であり、前記第1の変数グループは、前記セルID
【数１３１】
2020507954.tif 000663
を含み、前記スクランブリングコード初期化シードcinitは、式
【数１３２】
2020507954.tif 000664
を満たし、ただし、hは0に等しく、k-8であり、wは1に等しく、uは3であり、Pは前記セルIDの関数であり、Qは前記セルIDの関数であり、a3は非負整数であり、b3は非負整数である請求項24に記載のデバイス。
【請求項２６】
基地局であって、
第1のパラメータに従ってスクランブリングコードを生成し、前記スクランブリングコードに従って第1のメッセージをスクランブルするように構成されている処理モジュールであって、前記第1のパラメータは、無線フレーム番号、もしくは第1の法による前記無線フレーム番号の剰余演算の結果得られる値を含み、前記第1の法は、3以上の素数である、処理モジュールと、
端末に第1のチャネル上で、前記処理モジュールによってスクランブルされた前記第1のメッセージを送信するように構成されている送信モジュールと
を備える基地局。
【請求項２７】
前記第1のメッセージはシステムメッセージであるか、または前記第1のメッセージはシステムメッセージの一部であるか、または前記第1のメッセージは符号化されたシステムメッセージであるか、または前記第1のメッセージは符号化されたシステムメッセージの一部であり、前記第1のチャネルは物理ダウンリンク共有チャネルまたは物理ブロードキャストチャネルである請求項26に記載の基地局。
【請求項２８】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項26または27に記載の基地局。
【請求項２９】
前記処理モジュールが前記第1のパラメータに従って前記スクランブリングコードを生成するように構成されることは、
前記第1のパラメータに従ってスクランブリングコード初期化シードを生成するように構成されることと、前記スクランブリングコード初期化シードに従って前記スクランブリングコードを決定することとを含む請求項26から28のいずれか一項に記載の基地局。
【請求項３０】
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数１３３】
2020507954.tif 000665
のうちの少なくとも1つを含み、前記スクランブリングコード初期化シードcinitは、式
【数１３４】
2020507954.tif 000666
を満たし、ただし、Rは前記無線ネットワーク一時識別子nRNTIの関数であり、hは0に等しく、k=8であり、kは素数であり、wは0もしくは1に等しく、uは1であり、Pは前記セルIDの関数であり、Hは0に等しく、Qは0に等しく、a7は非負整数であり、b7は非負整数であり、c7は非負整数である請求項26から29のいずれか一項に記載の基地局。
【請求項３１】
通信デバイスであって、
第1のパラメータを決定するように構成されている処理モジュールであって、前記第1のパラメータは、無線フレーム番号、もしくは第1の法による前記無線フレーム番号の剰余演算の結果得られる値を含み、前記第1の法は、3以上の素数である、処理モジュールと、
スクランブルされた第1のメッセージを第1のチャネル上で受信するように構成されている受信モジュールとを備え、
前記処理モジュールは、前記第1のパラメータに従ってスクランブリングコードを生成し、前記スクランブリングコードに従って、前記受信モジュールによって受信された前記スクランブルされた第1のメッセージを逆スクランブルするようにさらに構成される通信デバイス。
【請求項３２】
前記無線フレーム番号または前記第1の法による前記無線フレーム番号の剰余演算の結果得られる前記値に加えて、前記第1のパラメータは、無線ネットワーク一時識別子RNTI、タイムスロット番号、シンボル番号、セルID、およびキャリア識別子のうちの少なくとも1つを含む請求項31に記載のデバイス。
【請求項３３】
前記処理モジュールが前記第1のパラメータに従って前記スクランブリングコードを生成するように構成されることは、
前記第1のパラメータに従ってスクランブリングコード初期化シードを生成するように構成されることと、前記スクランブリングコード初期化シードに従って前記スクランブリングコードを生成することとを含む請求項31または32に記載のデバイス。
【請求項３４】
前記第1のパラメータは、前記無線ネットワーク一時識別子nRNTI、前記第1の法kによる前記無線フレーム番号nfの剰余演算の結果得られる前記値、前記タイムスロット番号ns、および前記セルID
【数１３５】
2020507954.tif 000667
のうちの少なくとも1つを含み、前記スクランブリングコード初期化シードcinitは、式
【数１３６】
2020507954.tif 000668
を満たし、ただし、Rは前記無線ネットワーク一時識別子nRNTIの関数であり、hは0に等しく、k=8であり、kは素数であり、wは0もしくは1に等しく、uは1であり、Pは前記セルIDの関数であり、Hは0に等しく、Qは0に等しく、a7は非負整数であり、b7は非負整数であり、c7は非負整数である請求項33に記載のデバイス。
【請求項３５】
プロセッサによって実行されたときに前記プロセッサに請求項1から5および請求項9から13のいずれか一項に記載の方法を実行させるプログラミング命令が記憶されている非一時的なコンピュータ可読記憶媒体。
【請求項３６】
プロセッサによって実行されたときに前記プロセッサに請求項6から8および請求項14から17のいずれか一項に記載の方法を実行させるプログラミング命令が記憶されている非一時的なコンピュータ可読記憶媒体。
【国際調査報告】
2020507954.tif 000669
2020507954.tif 000670
2020507954.tif 000671
2020507954.tif 000672
2020507954.tif 000673
2020507954.tif 000674